(57)【特許請求の範囲】
【請求項１】
遊技球を発射する発射手段と、
発射された遊技球が案内される遊技領域と、
前記遊技領域内に配置された入球手段と、
前記入球手段へ入球した遊技球を検出する入球検出手段と、
前記入球検出手段から出力される信号を監視して所定の制御を行う制御手段とを備えた遊技機において、
前記入球検出手段は、遊技球の非検出中は第１レベルの信号を継続して出力し、遊技球の検出中は第２レベルの信号を継続して出力し、
前記制御手段は、
前記入球検出手段から入力される信号レベルを定期的に監視する信号監視手段と、
前記入球検出手段から入力される信号レベルの切換わりに基づき、少なくとも前記入球手段へ遊技球が入球した旨を判定可能な入球判定手段と、
前記入球判定手段による入球有り判定時から所定の契機までの経過時間を計測可能な経過時間計測手段と、
前記経過時間計測手段により計測された経過時間に基づき、所定の異常の有無を判定可能な異常判定手段と、
前記異常判定手段による異常判定に基づき、所定の異常があった旨を報知可能な報知手段とを備え、
前記経過時間計測手段は、所定の入球有り判定時となる前記第１レベルから前記第２レベルへの前記信号レベルの切換わりから次の入球有り判定時となる前記第１レベルから前記第２レベルへの前記信号レベルの切換わりまでの第１の経過時間を計測可能、かつ、所定の入球有り判定時となる前記第１レベルから前記第２レベルへの前記信号レベルの切換わりから当該入球有り判定に係る入球無し判定時となる前記第２レベルから前記第１レベルへの前記信号レベルの切換わりまでの第２の経過時間を計測可能に構成され、
前記異常判定手段は、前記第１の経過時間が予め設定された第１の規定時間よりも短い場合に異常有りと判定可能、かつ、前記第２の経過時間が予め設定された第２の規定時間よりも長い場合に異常有りと判定可能に構成されていることを特徴とする遊技機。
【請求項２】
前記遊技機は、パチンコ機であることを特徴とする請求項１に記載の遊技機。
【発明の詳細な説明】
【技術分野】
【０００１】
本発明は、パチンコ機等の遊技機に関するものである。
【背景技術】
【０００２】
遊技機の一種としてパチンコ機がある。パチンコ機では、発射された遊技球が案内される遊技領域において、当該遊技球が入球可能な各種入球手段が設けられている。これら入球手段には、それぞれ遊技球の入球を検出する入球検出スイッチが設けられている。そして、入球検出スイッチから出力される検出信号が主制御装置に入力されると、主制御装置は、これらの検出信号に基づいて遊技に関する各種制御を行うこととなる（例えば、特許文献１参照）。
【先行技術文献】
【特許文献】
【０００３】
【特許文献１】特開２０００−１０７３９６号公報
【発明の概要】
【発明が解決しようとする課題】
【０００４】
しかしながら、故意に入球検出スイッチを誤作動させる不正行為が行われるおそれがあった。
【０００５】
本発明は、上記例示した問題点などを解決するためになされたものであり、その目的は、不正行為を抑制することのできる遊技機を提供することにある。
【課題を解決するための手段】
【０００６】
上記の目的を達成するため、本発明に係る遊技機は、
遊技球を発射する発射手段と、
発射された遊技球が案内される遊技領域と、
前記遊技領域内に配置された入球手段と、
前記入球手段へ入球した遊技球を検出する入球検出手段と、
前記入球検出手段から出力される信号を監視して所定の制御を行う制御手段とを備えた遊技機において、
前記入球検出手段は、遊技球の非検出中は第１レベルの信号を継続して出力し、遊技球の検出中は第２レベルの信号を継続して出力し、
前記制御手段は、
前記入球検出手段から入力される信号レベルを定期的に監視する信号監視手段と、
前記入球検出手段から入力される信号レベルの切換わりに基づき、少なくとも前記入球手段へ遊技球が入球した旨を判定可能な入球判定手段と、
前記入球判定手段による入球有り判定時から所定の契機までの経過時間を計測可能な経過時間計測手段と、
前記経過時間計測手段により計測された経過時間に基づき、所定の異常の有無を判定可能な異常判定手段と、
前記異常判定手段による異常判定に基づき、所定の異常があった旨を報知可能な報知手段とを備え、
前記経過時間計測手段は、所定の入球有り判定時となる前記第１レベルから前記第２レベルへの前記信号レベルの切換わりから次の入球有り判定時となる前記第１レベルから前記第２レベルへの前記信号レベルの切換わりまでの第１の経過時間を計測可能、かつ、所定の入球有り判定時となる前記第１レベルから前記第２レベルへの前記信号レベルの切換わりから当該入球有り判定に係る入球無し判定時となる前記第２レベルから前記第１レベルへの前記信号レベルの切換わりまでの第２の経過時間を計測可能に構成され、
前記異常判定手段は、前記第１の経過時間が予め設定された第１の規定時間よりも短い場合に異常有りと判定可能、かつ、前記第２の経過時間が予め設定された第２の規定時間よりも長い場合に異常有りと判定可能に構成されていることをその要旨としている。
【発明の効果】
【０００７】
本発明の遊技機によれば、不正行為の抑制を図ることができるという優れた効果を奏する。
【図面の簡単な説明】
【０００８】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】パチンコ機の主な電気的構成を示すブロック図である。
【図８】入賞口スイッチと主制御装置との電気的接続構成を示すブロック図である。
【図９】遊技制御に用いる各種カウンタの概要を示す説明図である。
【図１０】主制御装置によるメイン処理を示すフローチャートである。
【図１１】主制御装置による通常処理を示すフローチャートである。
【図１２】タイマ割込み処理を示すフローチャートである。
【図１３】スイッチ読込み処理を示すフローチャートである。
【図１４】始動入賞処理を示すフローチャートである。
【図１５】第２契機対応口通過処理を示すフローチャートである。
【図１６】ＮＭＩ割込み処理を示すフローチャートである。
【図１７】第１表示制御処理を示すフローチャートである。
【図１８】変動表示設定処理を示すフローチャートである。
【図１９】判別情報設定処理を示すフローチャートである。
【図２０】（ａ），（ｂ）は各種テーブル構成を示す説明図である。
【図２１】可変入賞装置制御処理を示すフローチャートである。
【図２２】第２表示制御処理を示すフローチャートである。
【図２３】契機対応ユニット制御処理を示すフローチャートである。
【図２４】受信割込み処理を示すフローチャートである。
【図２５】払出制御装置のメイン処理を示すフローチャートである。
【図２６】タイマ割込み処理を示すフローチャートである。
【図２７】コマンド判定処理を示すフローチャートである。
【図２８】サブ制御装置の通常処理を示すフローチャートである。
【図２９】装飾図柄の決定に用いる各種カウンタの概要を示す説明図である。
【図３０】外れ図柄カウンタの更新処理を示すフローチャートである。
【図３１】テーブル構成を示す説明図である。
【図３２】（ａ）は、入賞口スイッチからの出力信号を説明するためのタイミングチャートであり、（ｂ）は、ＣＰＵへの入力信号を説明するためのタイミングチャートである。
【図３３】異常判定処理等を説明するためのタイミングチャートである。
【図３４】（ａ）は、近接スイッチにおける磁界等の変化を説明するための図であり、（ｂ）は、近接スイッチからの出力信号を説明するためのタイミングチャートである。
【図３５】（ａ）は、不正行為時における近接スイッチ（入球検出スイッチ）の磁界等の変化を説明するための図であり、（ｂ）は、その際の近接スイッチからの出力信号を説明するためのタイミングチャートである。
【図３６】第２実施形態に係る内枠および遊技盤等の構成を示す正面図である。
【図３７】第２実施形態に係る主制御装置による通常処理を示すフローチャートである。
【図３８】第２実施形態に係るタイマ割込み処理を示すフローチャートである。
【図３９】第２実施形態に係るスイッチ読込み処理を示すフローチャートである。
【図４０】第２実施形態に係る始動入賞処理を示すフローチャートである。
【図４１】第２実施形態に係る大当たり判定処理を示すフローチャートである。
【図４２】（ａ）は第２実施形態に係る第２モード判定処理を示すフローチャートであり、（ｂ）は第２実施形態に係る第１モード判定処理を示すフローチャートである。
【図４３】第２実施形態に係るリーチ判定処理を示すフローチャートである。
【図４４】第２実施形態に係るスルーゲート通過処理を示すフローチャートである。
【図４５】第２実施形態に係る第１表示制御処理を示すフローチャートである。
【図４６】第２実施形態に係る変動表示設定処理を示すフローチャートである。
【図４７】第２実施形態に係る判別情報設定処理を示すフローチャートである。
【図４８】第２実施形態に係る可変入賞装置制御処理を示すフローチャートである。
【図４９】第２実施形態に係る第２表示制御処理を示すフローチャートである。
【図５０】第２実施形態に係る契機対応ユニット制御処理を示すフローチャートである。
【図５１】第２実施形態に係るサブ制御装置の通常処理を示すフローチャートである。
【図５２】第２実施形態に係るコマンドを説明するための説明図である。
【図５３】第２実施形態に係る各種当たり種別の構成の違いを説明するための説明図である。
【図５４】第２実施形態に係る各種開放種別の構成の違いを説明するための説明図である。
【図５５】別の実施形態に係る可変入賞装置制御処理を示すフローチャートである。
【図５６】別の実施形態に係るスイッチ読込み処理を示すフローチャートである。
【発明を実施するための形態】
【０００９】
上述したように、遊技機の一種としてパチンコ機がある。パチンコ機では、発射された遊技球が案内される遊技領域において、当該遊技球が入球可能な各種入球手段が設けられている。これら入球手段には、それぞれ遊技球の入球を検出する入球検出スイッチが設けられている。そして、入球検出スイッチから出力される検出信号が主制御装置に入力されると、主制御装置は、これらの検出信号に基づいて遊技に関する各種制御を行うこととなる。
【００１０】
例えば、所定の入球手段に遊技球が入球した場合には、主制御装置は、検出結果に応じた払出指令を払出制御装置に送信する。これにより、所定の入球手段に対応した所定数の賞球が遊技者に対し払出される。
【００１１】
また、始動用の入球手段に遊技球が入球した場合には大当たり状態を発生させるか否かの当落抽選を行い、当選結果が得られると遊技者に有利な大当たり状態が発生する。大当たり状態が発生すると、遊技者は、大当たり用の入球手段に遊技球を入球させることにより、多くの賞球を獲得することができる。
【００１２】
一般的な入球検出スイッチとしては、非接触式で耐久性などに優れた近接スイッチが数多く採用されている（例えば、特許文献１参照）。
【００１３】
近接スイッチは、遊技球の通過に伴う磁束の変化を検出することにより当該遊技球の通過を検出する。
【００１４】
より詳しく説明すると、近接スイッチは、遊技球を通過させる通過孔と、その通過孔の回りに配設された検出コイルと、当該検出コイルに接続された高周波発振回路とを有している。そして、遊技球が通過孔を通過した場合には、電磁誘導作用によって、金属である遊技球内に誘導電流が流れる。この際の検出コイルのインダクタンスや損失の変化により、高周波発振回路では発振振幅や発振周波数等が変化する。これを検出回路により検出することにより、遊技球の通過を非接触で検出できる。検出回路により検出される信号は、コンパレータ等からなる出力回路を介して外部に出力される。
【００１５】
上記構成の下、遊技球が通過孔を通過してない通常時には、近接スイッチの出力端子からはローレベル信号が出力される一方、遊技球が通過孔を通過している際中にはハイレベル信号が出力される。主制御装置は、この信号レベルの変化を検知することにより、遊技球の通過があった旨を検出することができる。
【００１６】
例えば、近接スイッチの通過孔を遊技球が通過すると、図３４（ａ）に示すように、遊技球の通過中（時間ＴＳ１〜ＴＳ２）は、高周波発振回路の発振振幅や発振周波数等が変化し、図３４（ｂ）に示すように、出力端子からの出力レベルがローレベル（Ｌ）からハイレベル（Ｈ）に切換わる。
【００１７】
しかしながら、このような近接スイッチを球検出スイッチとして用いた場合、外部からの電波の影響を受けて検出コイル周りの磁界が変化し、遊技球が通過していないにもかかわらず、遊技球が通過したと誤検知してしまうことがある。このため、電波を発信する機器を使用して、故意に近接スイッチを誤作動させる不正行為、いわゆる「電波ゴト」が行われるおそれがあった。
【００１８】
例えば、遊技球の入球を検出する近接スイッチ（入球検出スイッチ）に対しては、図３５（ａ）に示すように、遊技球の通過中（時間ＴＳ１〜ＴＳ２）に、それよりも発信時間（時間ＴＫ１〜ＴＫ２）の短い電波を挿し込むことで、図３５（ｂ）に示すように、近接スイッチの出力レベルは、時間ＴＫ１〜ＴＫ２の間がローレベル（Ｌ）となる。つまり、遊技球の通過中（時間ＴＳ１〜ＴＳ２）に信号レベルが２度切換わることとなり、実際には入球手段へ入球した遊技球が１個であるにもかかわらず、２個分の入球があったと誤検知させることができる。
【００１９】
本発明は、上記例示した問題点などを解決するためになされたものであり、その目的は、不正行為を抑制することのできる遊技機を提供することにある。
【００２０】
〔第１実施形態〕
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００２１】
図３等に示すように、パチンコ機１０は、当該パチンコ機１０の外郭を構成する外枠１１を備えており、この外枠１１の一側部に内枠１２が開閉可能に支持されている。
【００２２】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００２３】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００２４】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００２５】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００２６】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００２７】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２９】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００３０】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００３１】
下皿１５の上方には上皿１９が設けられている。上皿１９は、遊技球を一旦貯留し、一列に整列させながら後述する発射手段としての遊技球発射装置（以下、単に発射装置という）７０の方へ案内する球受皿である。なお、上皿１９が遊技球で一杯になった状態では、払出される遊技球は下皿１５へと案内される。
【００３２】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００３３】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００３４】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００３５】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３６】
また、内枠１２（樹脂ベース３８）の前面下部、すなわち窓孔３９（遊技盤３０）の下方位置には、発射装置７０及び当該発射装置７０より発射された直後の遊技球を案内する発射レール６１が取付けられている。本実施形態では、発射装置７０としてソレノイド式発射装置を採用している。
【００３７】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球が入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３８】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球が常時入球可能な開状態となっているのに対し、下入賞口３３ｂは、開閉部材３３ｃが所定条件の成立に応じて開閉動作することにより、遊技球が入球不能な閉状態と、遊技球が入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球の入球があった場合に閉状態となる。この開閉処理は、通常モード時においては１回だけ行われる。また、上記構成に代えて、下入賞口３３ｂが、遊技球が入球困難な閉状態と、遊技球が前記閉状態より入球容易な開状態とに切換わる構成としてもよい。
【００３９】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００４０】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００４１】
また、普通図柄表示装置４１の変動表示中に、新たに遊技球が第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４２】
特別表示装置４３は、普通図柄表示装置４１の右側方に設けられ、赤、緑、青の発光色を有する三色発光ダイオード（三色ＬＥＤ）により構成されている。そして、遊技球が第１契機対応ユニット３３に入賞する毎に色換え表示（変動表示）が行われ、変動表示が停止したときの点灯態様（点灯色）により、大当たりか否かが確定的に表示される。
【００４３】
より詳しくは、第１契機対応ユニット３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが後述する高確率モードであることを示す表示であり、緑は、大当たり終了後の遊技モードが後述する時間短縮モードであることを示す表示である。なお、この特別表示装置４３についても、主制御装置２６１によって表示内容が直接的に制御される。
【００４４】
また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００４５】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００４６】
可変入賞装置３２は、通常は遊技球が入賞できない閉状態になっており、大当たり（特別遊技状態の発生）の際に、遊技球が入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００４７】
また、遊技盤３０には、内レール構成部５１と外レール構成部５２とからなり、発射装置７０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４８】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００４９】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００５０】
図３に示すように、前面枠セット１４の背面側には、窓部１０１の下方において、後述する払出機構部３５２から下皿１５の排出口１６へ繋がる球通路７１が設けられている。また、内枠１２に設けられた発射レール６１とレールユニット５０（外レール構成部５２）との間には所定間隔の隙間があり、前面枠セット１４の背面側には、前記隙間より落下した遊技球を下皿１５へと案内するファール球通路７２が形成されている。これにより、仮に、発射装置７０から発射された遊技球が戻り球防止部材５３まで至らずファール球としてレール５０を逆戻りする場合には、そのファール球がファール球通路７２を介して下皿１５に排出される。
【００５１】
また、図３及び図４中の符号６７は後述する払出機構部３５２により払出された遊技球を内枠１２の前方に案内するための払出通路であり、上皿１９に通じる通路と、球通路７１ひいては下皿１５に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、球通路７１の入口側後端部によってシャッタ６８が押し開けられるようになっている。
【００５２】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５３】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５４】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００５５】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００５６】
また、本実施形態では、裏枠セット２１５が主制御装置２６１の取付台として機能する。より詳しくは、主制御装置２６１を搭載した基板搭載ユニット７０１が、裏枠セット２１５に対し回動可能に軸支され、後方に開放可能となっている。
【００５７】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００５８】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【００５９】
また、図示は省略するが、裏枠セット２１５には、入賞口スイッチ２２１、カウントスイッチ２２３及び第２契機対応口スイッチ２２５とケーブルコネクタを介して電気的に接続される第１盤面中継基板が設けられている。この第１盤面中継基板は、入賞口スイッチ２２１等と、制御手段としての主制御装置２６１とを中継するものであり、ケーブルコネクタを介して主制御装置２６１と電気的に接続されている。
【００６０】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【００６１】
詳しくは後述するが、各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（第２契機対応口スイッチ２２５により検出された場合を除く。）
ここで、各種入球検出スイッチの構成について説明する。本実施形態では、入賞口スイッチ２２１、カウントスイッチ２２３、第１契機対応ユニットスイッチ２２４ａ，２２４ｂ、第２契機対応口スイッチ２２５として、従来一般に使用される貫通型の近接スイッチを採用している。
【００６２】
貫通型の近接スイッチは、遊技球を通過させる通過孔を有している。その通過孔の回りには高周波発振回路に接続された検出コイルが配設されている。そして、遊技球が通過孔を通過した場合には、電磁誘導作用によって、金属である遊技球内に誘導電流が流れる。この際の検出コイルのインダクタンスや損失の変化により、高周波発振回路では発振振幅や発振周波数等が変化する。これを検出回路により検出することにより、遊技球の通過を非接触で検出できる。検出回路により検出される信号は、コンパレータ等からなる出力回路を介して外部に出力される。
【００６３】
次に上記入球検出スイッチと主制御装置２６１とに関わる電気的構成について、図８の模式的なブロック図に示す入賞口スイッチ２２１との関係を例にして説明する。但し、図８では、便宜上、両者を中継する第１盤面中継基板などは省略している。
【００６４】
上述したような貫通型の近接スイッチよりなる入賞口スイッチ２２１は、入力端子２２１ａ、出力端子２２１ｂ及びアース端子２２１ｃを備えている。
【００６５】
入賞口スイッチ２２１の入力端子２２１ａは、ケーブルコネクタや第１盤面中継基板などにより構成される所定の電気経路２２６を介して、主制御装置２６１の電源供給端子２２７に接続されている。これにより、入賞口スイッチ２２１には、後述する電源装置３１３によって生成される＋１２Ｖ電源が動作電源として供給される。
【００６６】
入賞口スイッチ２２１の出力端子２２１ｂは、ケーブルコネクタや第１盤面中継基板などにより構成される所定の電気経路２２８を介して、主制御装置２６１の反転回路２２９に接続されている。主制御装置２６１の反転回路２２９は、後述するＣＰＵ５０１に接続されている。これにより、入賞口スイッチ２２１からの出力信号は、主制御装置２６１の反転回路２２９にて論理反転されて、ＣＰＵ５０１へ入力される。
【００６７】
入賞口スイッチ２２１のアース端子２２１ｃは、ケーブルコネクタや第１盤面中継基板などにより構成される所定の電気経路２３０を介して主制御装置２６１のグランドレベルに電気的に接続（接地）されている。図示は省略するが、ＣＰＵ５０１（アース端子）も当然グランドレベルに接続されている。なお、ここでいうグランドレベルとは、主制御装置２６１において基準電位０Ｖのレベルとなる電気経路全般を指す。
【００６８】
上記構成により、遊技球が入賞口スイッチ２２１の通過孔を通過してない通常時には、出力端子２２１ｂから＋１２Ｖのハイレベル信号が出力される。一方、遊技球が通過孔を通過している際には、基準電位０Ｖのローレベル信号が出力される。従って、主制御装置２６１のＣＰＵ５０１には、反転回路２２９を介すことにより、通常時にはローレベル信号が入力され、遊技球の通過を検出した場合にはハイレベル信号が入力されることとなる。
【００６９】
なお、入賞口スイッチ２２１が通常時にハイレベル信号を出力し、遊技球検出時にローレベル信号を出力する構成とした理由は、主制御装置２６１のＣＰＵ５０１による誤検知を抑制するためである。
【００７０】
従来のように通常時にはローレベル信号を出力し、遊技球検出時にはハイレベル信号を出力する構成では、入賞口スイッチ２２１と主制御装置２６１との間の電気経路２２８にノイズが乗り、このノイズがあたかもハイレベル信号として主制御装置２６１に入力されてしまい、実際には入賞口スイッチ２２１ヘの遊技球の通過がないにもかかわらず、ＣＰＵ５０１が遊技球の通過があったと誤認してしまうおそれがあった。ノイズの原因としては、各種電子機器により生じる静電気や、遊技者がパチンコ機１０を揺らしたり叩いたりして生じる振動等が挙げられる。
【００７１】
さらには、例えば入賞口スイッチ２２１と主制御装置２６１とを接続するケーブルコネクタのコネクタを意図的に抜き差しすることや、予めコネクタの接続状態を緩めておき、パチンコ機１０に振動を与えてコネクタの雄雌ピンを衝突させることによりハイレベル信号を生成するといった不正行為が行われるおそれもあるため、上記構成ではこれを抑制する効果もある。
【００７２】
なお、詳細は省略するが、他の入球検出スイッチ（カウントスイッチ２２３、第１契機対応ユニットスイッチ２２４ａ，２２４ｂ、第２契機対応口スイッチ２２５）と主制御装置２６１との関係についても、入賞口スイッチ２２１と同様の構成となっている。
【００７３】
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。
【００７４】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【００７５】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００７６】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板搭載ユニット７０１の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００７７】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００７８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００７９】
裏パックユニット２０３（基板搭載ユニット７０１）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００８０】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００８１】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００８２】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００８３】
加えて、カードユニット接続基板３１４は、基板ボックス３１４ａに収容されて、基板ボックス３１３ａ（発射制御装置３１２及び電源装置３１３）の背面側に固定されている。
【００８４】
なお、上記各基板ボックス３１１ａ，３１３ａ，３１４ａは透明樹脂材料等により構成されており、内部が視認可能となっている。
【００８５】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００８６】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００８７】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００８８】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００８９】
また、図４に示すように、内枠１２の前面側右下部（発射装置７０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００９０】
次に、パチンコ機１０の電気的構成について説明する。図７は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【００９１】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【００９２】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【００９３】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、通常処理（図１１参照）によって電源切断時に実行され、逆にバックアップエリア５０３ａに書き込まれた各値の復帰は、電源入時（停電解消による電源入を含む。以下同様）のメイン処理（図１０参照）において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、図１６の停電処理（ＮＭＩ割込み処理）が即座に実行される。
【００９４】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【００９５】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００９６】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【００９７】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００９８】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００９９】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１００】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０１】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１０２】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１０３】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理（図２５参照）によって電源切断時に実行され、バックアップエリア５１３ａに書き込まれた各値の復帰は電源入時のメイン処理（図２５参照）において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１０４】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１０５】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１０６】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、後述するコマンド判定処理（図２７参照）により受信されたコマンドの判定が行われた場合にオフされる。
【０１０７】
コマンドバッファは、主制御装置２６１から送信されるコマンドを一時的に記憶するリングバッファで構成されている。
【０１０８】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１０９】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１１０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１１１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１１２】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１１３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１１４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１１５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１１６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１１７】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１１８】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（図１６のＮＭＩ割込み処理）を実行する。
【０１１９】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１２１】
次に、上記の如く構成されたパチンコ機１０の動作について説明する。
【０１２２】
本実施形態では、主制御装置２６１内のＣＰＵ５０１は、遊技に際し各種カウンタ情報を用いて抽選（大当たり抽選）を行うこととしている。具体的には、図９に示すように、大当たりの抽選に使用する抽選用乱数カウンタとしての大当たり乱数カウンタＣ１と、大当たりに際し後述する高確率モード又は低確率モードへの移行決定に使用するモード決定カウンタＣ２と、特別表示装置４３の変動表示時間の決定等に使用する変動選択カウンタＣ３と、大当たり乱数カウンタＣ１の初期値設定に使用する初期値乱数カウンタＣＩＮＩと、特別表示装置４３の変動表示時間の決定等に使用する変動種別カウンタＣＳ１，ＣＳ２と、普通図柄表示装置４１の抽選に使用する普通図柄乱数カウンタＣ４とを用いることとしている。なお、変動選択カウンタＣ３は、装飾図柄表示装置４２を外れ変動させる際の変動パターンやリーチ種別の抽選にも使用される。また、変動種別カウンタＣＳ１，ＣＳ２は、装飾図柄表示装置４２の変動パターン選択（演出パターン選択）にも使用される。詳しくは、決定された変動パターンにより、特別表示装置４３の変動時間が決定されるとともに、装飾図柄表示装置４２における変動態様及び変動時間すなわち演出パターン（演出態様）が決定される。
【０１２３】
カウンタＣ１，Ｃ２，Ｃ３，ＣＩＮＩ，ＣＳ１，ＣＳ２，Ｃ４は、その更新の都度前回値に１が加算され、上限値に達した後、下限値である０に戻るループカウンタとなっている。各カウンタは定期的に更新され、その更新値がＲＡＭ５０３の所定領域に設定されたカウンタ用バッファに適宜格納される（乱数初期値カウンタＣＩＮＩを除く）。
【０１２４】
ＲＡＭ５０３には、１つの実行エリアと４つの保留エリア（保留第１〜保留第４エリア）とからなる記憶エリアとしての第１保留球格納エリア及び第２保留球格納エリアが設けられている。第１保留球格納エリアの各エリアには、第１契機対応ユニット３３への遊技球の入賞履歴に合わせて、大当たり乱数カウンタＣ１、モード決定カウンタＣ２、及び変動選択カウンタＣ３の各値が時系列的に格納されるようになっている。また、第２保留球格納エリアの各エリアには、第２契機対応口３４への遊技球の通過履歴に合わせて、普通図柄乱数カウンタＣ４の値が時系列的に格納されるようになっている。
【０１２５】
各カウンタについて詳しく説明すると、大当たり乱数カウンタＣ１は、例えば０〜６７６の範囲内で順に１ずつ加算され、終値としての上限値（つまり６７６）に達した後、始値としての下限値である０に戻る構成となっている。通常、大当たり乱数カウンタＣ１が１周した場合、その時点の初期値乱数カウンタＣＩＮＩの値が当該大当たり乱数カウンタＣ１の次の初期値として読み込まれる。なお、初期値乱数カウンタＣＩＮＩは、大当たり乱数カウンタＣ１と同様のループカウンタであり（値＝０〜６７６）、タイマ割込み毎に１回更新されると共に通常処理の残余時間内で繰り返し更新される。一方、大当たり乱数カウンタＣ１は定期的に（本実施形態ではタイマ割込み毎に１回）更新され、大当たり乱数カウンタＣ１の値が大当たり乱数カウンタバッファに格納される。そして、遊技球が第１契機対応ユニット３３（上入賞口３３ａ又は下入賞口３３ｂ）に入賞したタイミングで大当たり乱数カウンタバッファに格納されている大当たり乱数カウンタＣ１の値がＲＡＭ５０３の第１保留球格納エリアに格納される。大当たりとなる乱数の値は、低確率状態（通常モードや時間短縮モード等）と高確率状態（高確率モード）とで２種類設定されており、本実施形態では、低確率状態であれば大当たりとなる乱数の値の数は２で、その値は「３３７，６７３」であり、高確率状態であれば大当たりとなる乱数の値の数は１０で、その値は「６７，１３１，１９９，２６９，３３７，４０１，４６３，５２３，６０１，６６１」である。
【０１２６】
ここで、各種遊技モードについて説明する。本実施形態では、遊技モード（遊技状態）が、通常モード（通常状態）及び当該通常モードよりも遊技者に有利な複数の特定モードの間で切換設定される。より詳しくは、特定モードとしては、高確率モード及び時間短縮モードの２つが設定されている。このうち、高確率モードは、次回大当たりまで継続する遊技モードであり、時間短縮モードは、所定期間終了後には次のモードへ移行するモードである。
【０１２７】
通常モードとは、上記高確率モード等の特定モードでない通常時の状態をいう。従って、通常モード時には、大当たり確率（大当たり状態の当選確率）が通常の低確率となっている。
【０１２８】
また、高確率モードとは、特別表示装置４３において「赤」で停止表示されること（装飾図柄表示装置４２において予め定められた確変図柄で停止表示されること）によって大当たりになり、その後の大当たり確率が低確率状態時に比べアップした状態をいう。以下の説明では適宜、装飾図柄表示装置４２において確変図柄によって大当たりになった場合を「確変大当たり」といい、確変図柄以外の通常図柄によって大当たりになった場合を「通常大当たり」という。
【０１２９】
高確率モードにおいては、大当たり確率が高められ、高確率状態となるのであるが、これに加えて、本実施形態では（１）特別表示装置４３における変動表示時間を短くした状態（時間短縮状態）、（２）普通図柄表示装置４１における変動表示時間を短くした状態、（３）第１契機対応ユニット３３（下入賞口３３ｂ）の開閉処理に関わる規定時間（開放時間）を通常モードに比べて長くした状態、又は、規定個数（入賞個数）を通常モードに比べて多くした状態、（４）普通図柄表示装置４１において「○」図柄が停止表示される旨の当選結果が得られた場合一回につき行う第１契機対応ユニット３３の開閉処理の実行回数を通常モードに比べて多くした状態、（５）普通図柄表示装置４１において「○」図柄が停止表示される確率（当選確率）を通常モード時の当選確率より高くした状態が付与される。より具体的には、高確率モード時には、第１契機対応ユニット３３の開閉部材３３ｃが開状態となり、規定時間（例えば３秒）の経過した場合又は規定個数（例えば３個）の遊技球の入球があった場合に閉状態となる。そして、この開閉処理が２回繰り返し行われる。これによって、第１契機対応ユニット３３の下入賞口３３ｂが頻繁に開放されるようになり、大当たり抽選が連続してなされると共に、玉持ちのよい状態となる。これに限らず、高確率モードとしては、大当たり確率（大当たり状態の当選確率）を高めることに加え、上記（１）〜（５）の構成の任意の組合せ（例えば（１）、（２）、（３）、（４）、（５）、（１）と（２）、（１）と（３）、（１）と（４）、（１）と（５）、（２）と（３）、（２）と（４）、（２）と（５）、（３）と（４）、（３）と（５）、（４）と（５）、（１）と（２）と（３）、（１）と（２）と（４）、（１）と（２）と（５）、（１）と（３）と（４）、（１）と（３）と（５）、（１）と（４）と（５）、（２）と（３）と（４）、（２）と（３）と（５）、（２）と（４）と（５）、（３）と（４）と（５）、（１）と（２）と（３）と（４）、（１）と（２）と（３）と（５）、（１）と（２）と（４）と（５）、（１）と（３）と（４）と（５）、（２）と（３）と（４）と（５））を採用できる。なお、上記（２）〜（５）の状態により、第１契機対応ユニット３３の下入賞口３３ｂにおける単位時間あたりの閉状態に対する開状態の割合が通常モード時の割合より高い状態となる。つまり、このような状態が本実施形態における高入球状態に相当する。従って、上記高確率モードは、高確率・時間短縮・高入球モードと言い換えることができる。これに対し、通常モード時のように、上記（２）〜（５）の状態ではない状態は低入球状態に相当する。
【０１３０】
また、時間短縮モードとは、特別表示装置４３において「緑」で停止表示されること（装飾図柄表示装置４２において予め定められた確変図柄以外の通常図柄で停止表示されること）によって大当たりになり、その後特別表示装置４３の変動表示が１００回行われる間設定される遊技モードであり、通常モードよりも遊技者に有利な状態をいう。時間短縮モードは、大当たり確率が通常モード時と同じ低確率であり、かつ、第１契機対応ユニット３３の下入賞口３３ｂにおける単位時間あたりの閉状態に対する開状態の割合が通常モード時の割合より高い遊技モードである。本実施形態では、高確率モード時に付与される上記（１）〜（５）の状態が同様に付与される。つまり、大当たり確率（大当たり状態の当選確率）の違いを除いて同様の状態（時間短縮状態及び高入球状態）となる。もちろん、高確率モード時と同様に、上記（１）〜（５）の構成の任意の組合せを採用できる。従って、上記時間短縮モードは、低確率・時間短縮・高入球モードと言い換えることができる。
【０１３１】
モード決定カウンタＣ２は、例えば０〜９の範囲内で順に１ずつ加算され、上限値（つまり９）に達した後、下限値である０に戻る構成となっている。本実施形態では、モード決定カウンタＣ２によって、大当たり後、高確率モードへ移行させるか否かが決定されるようになっている。具体的には、カウンタの値が「１，３，５，７，９」という奇数であれば高確率モードへの移行が決定され、「０，２，４，６，８」という偶数であれば時間短縮モードへの移行が決定される。なお、ここでは移行という文言を用いたが、もともと高確率モードにある場合にカウンタ値が奇数であれば高確率モードが継続されることになり、もともと時間短縮モードにある場合にカウンタ値が偶数であれば時間短縮モードが継続されることになる。モード決定カウンタＣ２は定期的に（本実施形態ではタイマ割込み毎に１回）更新され、モード決定カウンタＣ２の値がモード決定カウンタバッファに格納される。そして、遊技球が第１契機対応ユニット３３（上入賞口３３ａ又は下入賞口３３ｂ）に入賞したタイミングで、モード決定カウンタバッファに格納されているモード決定カウンタＣ２の値がＲＡＭ５０３の第１保留球格納エリアに格納される。
【０１３２】
また、変動選択カウンタＣ３は、例えば０〜２３８の範囲内で順に１ずつ加算され、上限値（つまり２３８）に達した後、下限値である０に戻る構成となっている。本実施形態では、変動選択カウンタＣ３によって、装飾図柄に関してリーチが発生した後、最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしており、例えば、Ｃ３＝０，１が前後外れリーチに該当し、Ｃ３＝２〜２１が前後外れ以外リーチに該当し、Ｃ３＝２２〜２３８が完全外れに該当する。なお、リーチの抽選は、抽選確率の状態や変動開始時の始動保留球数等に応じて各々個別に設定されるものであってもよい。変動選択カウンタＣ３は定期的に（本実施形態ではタイマ割込み毎に１回）更新され、変動選択カウンタバッファに変動選択カウンタＣ３の値が格納される。そして、遊技球が第１契機対応ユニット３３（上入賞口３３ａ又は下入賞口３３ｂ）に入賞したタイミングで、変動選択カウンタバッファに格納されている変動選択カウンタＣ３の値がＲＡＭ５０３の第１保留球格納エリアに格納される。
【０１３３】
また、２つの変動種別カウンタＣＳ１，ＣＳ２のうち、一方の変動種別カウンタＣＳ１は、例えば０〜１９８の範囲内で順に１ずつ加算され、上限値（つまり１９８）に達した後、下限値である０に戻る構成となっており、他方の変動種別カウンタＣＳ２は、例えば０〜２４０の範囲内で順に１ずつ加算され、上限値（つまり２４０）に達した後、下限値である０に戻る構成となっている。以下の説明では、ＣＳ１を「第１変動種別カウンタ」、ＣＳ２を「第２変動種別カウンタ」ともいう。図９中でもこのように表記した。第１変動種別カウンタＣＳ１によって、いわゆるノーマルリーチ、スーパーリーチ、プレミアムリーチ等、装飾図柄のリーチ種別（リーチパターン）やその他大まかな図柄変動態様が決定され、第２変動種別カウンタＣＳ２によって、リーチ発生後に最終停止図柄（本実施形態では中図柄）が停止するまでの経過時間（言い換えれば、変動図柄数）などより細かな図柄変動態様が決定される。従って、これらの変動種別カウンタＣＳ１，ＣＳ２を組合わせることで、変動パターンの多種多様化を容易に実現できる。また、第１変動種別カウンタＣＳ１だけで図柄変動態様を決定したり、第１変動種別カウンタＣＳ１と停止図柄とを組合わせて同じく図柄変動態様を決定したりすることも可能である。
【０１３４】
なお、本実施形態では、「大当たり」が発生する場合には、ノーマルリーチ、スーパーリーチ、プレミアムリーチのうちいずれかが選択され、「前後外れリーチ」が発生する場合には、ノーマルリーチ、スーパーリーチのうちどちらかが選択され、「前後外れ以外リーチ」が発生する場合にはノーマルリーチが選択される。また、「完全外れ」となる場合には、ノーマルリーチ、スーパーリーチ、プレミアムリーチのいずれも選択されない。
【０１３５】
また、変動種別カウンタＣＳ１，ＣＳ２は、後述する通常処理が１回実行される毎に１回更新され、当該通常処理の残余時間内でも繰り返し更新される。そして、装飾図柄表示装置４２による装飾図柄の変動開始時における変動パターン決定に際してＣＳ１，ＣＳ２のバッファ値が取得される。
【０１３６】
なお、各カウンタの大きさや範囲は一例にすぎず任意に変更できる。但し、大当たり乱数カウンタＣ１、変動選択カウンタＣ３、変動種別カウンタＣＳ１，ＣＳ２の大きさは何れも異なる素数とし、いかなる場合にも同期しない数値としておくのが望ましい。
【０１３７】
また、普通図柄乱数カウンタＣ４は、例えば０〜２５０の範囲内で順に１ずつ加算され、上限値（つまり２５０）に達した後、下限値である０に戻るループカウンタとして構成されている。普通図柄乱数カウンタＣ４は定期的に（本実施形態ではタイマ割込み毎に１回）更新され、遊技球が左右何れかの第２契機対応口３４を通過した時に普通図柄乱数カウンタＣ４の値が取得される。通常、当選となる乱数の値の数は１４９あり、その範囲は「５〜１５３」である。一方、高確率モード時及び時間短縮モード時、つまり第１契機対応ユニット３３が高入球状態にある場合においては２２４あり、その範囲は「５〜２２８」である。つまり、普通図柄表示装置４１における「○」図柄の停止確率が通常モードに比べ高くなる。そして、当選となる普通図柄乱数カウンタＣ４の値が取得された場合、普通図柄表示装置４１において変動表示が所定時間行われた後、当選に対応する図柄（本例では「○」）が停止表示され、第１契機対応ユニット３３が所定時間の間、作動状態となる。また、高確率モード時及び時間短縮モード時においては、普通図柄表示装置４１において抽選の結果が表示されるまでの時間（普通図柄の変動表示時間）が短縮される等して、第１契機対応ユニット３３が高入球状態となる割合が多くなる。これによって、第１契機対応ユニット３３の下入賞口３３ｂが頻繁に開放されるようになり、大当たり抽選が連続してなされる。
【０１３８】
次いで、主制御装置２６１内のＣＰＵ５０１により実行される各制御処理をフローチャートを参照しながら説明する。かかるＣＰＵ５０１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停止信号の入力により起動されるＮＭＩ割込み処理とがあり、説明の便宜上ここでは、先ずタイマ割込み処理とＮＭＩ割込み処理とを説明し、その後でメイン処理を説明する。
【０１３９】
図１２は、タイマ割込み処理を示すフローチャートであり、本処理は主制御装置２６１のＣＰＵ５０１により例えば２ｍｓｅｃ毎に実行される。
【０１４０】
図１２において、先ずステップＳ３０１では、各種入球検出スイッチの読み込み処理を実行する。詳しくは後述するが、ここでは主制御装置２６１に接続されている各種入球検出スイッチの状態を読み込むと共に、当該スイッチの状態を判定して検出情報を保存する。
【０１４１】
ステップＳ３０２では、乱数初期値更新処理を実行する。具体的には、乱数初期値カウンタＣＩＮＩを１インクリメントすると共に、そのカウンタ値が最大値（本実施の形態では６７６）に達した際０にクリアする。
【０１４２】
また、ステップＳ３０３では乱数更新処理を実行する。具体的には、大当たり乱数カウンタＣ１、モード決定カウンタＣ２、変動選択カウンタＣ３及び普通図柄乱数カウンタＣ４をそれぞれ１インクリメントすると共に、それらのカウンタ値が最大値（本実施の形態ではそれぞれ、６７６，９，２３８，２５０）に達した際それぞれ０にクリアする。そして、各カウンタＣ１，Ｃ２，Ｃ３，Ｃ４の更新値を、ＲＡＭ５０３の該当するバッファ領域に格納する。
【０１４３】
その後、ステップＳ３０４では、第１契機対応ユニット３３への入賞に伴う始動入賞処理を実行し、ステップＳ３０５では、第２契機対応口３４への遊技球の通過に伴う第２契機対応口通過処理を実行する。その後、タイマ割込み処理を一旦終了する。
【０１４４】
ここで、ステップＳ３０１のスイッチ読み込み処理について詳しく説明する。なお、このスイッチ読み込み処理では、各入球検出スイッチ（入賞口スイッチ２２１、カウントスイッチ２２３、第１契機対応ユニットスイッチ２２４ａ，２２４ｂ、第２契機対応口スイッチ２２５）を個々に監視して、個別に同様の処理が行われる。従って、ここでは入賞口スイッチ２２１に係るスイッチ読み込み処理を一例に図１３を参照して詳しく説明するが、他の入球検出スイッチに関しても図１３に示す処理と同様の処理が行われる。
【０１４５】
先ずステップＳ４０１では、入賞口スイッチ２２１からの入力信号の信号レベルをチェックする。この処理の機能が本実施形態における信号監視手段を構成する。
【０１４６】
例えば遊技球が入賞口スイッチ２２１の通過孔を通過してない通常時には、入賞口スイッチ２２１からは＋１２Ｖのハイレベル信号（Ｈ）が出力され〔図３２（ａ）のタイミングｔ１参照〕、主制御装置２６１側では反転回路２２９を経てＣＰＵ５０１に基準電位０Ｖのローレベル信号（Ｌ）が入力される〔図３２（ｂ）のタイミングｔ１参照〕。図３２（ａ）は、入賞口スイッチ２２１からの出力信号を説明するためのタイミングチャートであり、図３２（ｂ）は、ＣＰＵ５０１への入力信号を説明するためのタイミングチャートである。
【０１４７】
一方、一般入賞口３１へ遊技球が入球して、遊技球が入賞口スイッチ２２１の通過孔を通過している最中には、入賞口スイッチ２２１からローレベル信号（Ｌ）が出力され〔図３２（ａ）のタイミングｔ２，ｔ３参照〕、主制御装置２６１側では反転回路２２９を経てＣＰＵ５０１にハイレベル信号（Ｈ）が入力される〔図３２（ｂ）のタイミングｔ２，ｔ３参照〕。
【０１４８】
続くステップＳ４０２では、ステップＳ４０１にてチェックした信号レベルを、ＲＡＭ５０３の作業エリアに設けられた入賞口スイッチ２２１用の信号レベルバッファに記憶する。
【０１４９】
なお、信号レベルバッファは、各入球検出スイッチ（入賞口スイッチ２２１、カウントスイッチ２２３、第１契機対応ユニットスイッチ２２４ａ，２２４ｂ、第２契機対応口スイッチ２２５）に対応して設けられており、各入球検出スイッチ毎の信号レベルがそれぞれ記憶される。信号レベルバッファが本実施形態におけるレベル記憶手段に相当する。
【０１５０】
信号レベルバッファは、リングバッファにより構成されている。リングバッファとは、概念上、バッファ領域内の先頭アドレスと最終アドレスとがリング状に？がり、ライトポインタとリードポインタの２つのアドレスポインタを用いて先頭アドレスから順に書き込んで行き、最終アドレスまで到達すると再び先頭アドレスに戻って書き込めるように制御されるバッファである。そして、ライトポインタの示す所定アドレス位置にデータの書込みが行われた後、当該ライトポインタの値が次のアドレスを示す値に更新される。同様に、リードポインタの示す所定アドレス位置からデータの読出しが行われた後、当該リードポインタの値が次のアドレスを示す値に更新される。
【０１５１】
また、本実施形態の各信号レベルバッファを構成するリングバッファには、最も新しい過去２００ｍｓｅｃ分すなわち１００周期分のデータが記憶されるとともに、これを越えた古いデータから順に消去される構成となっている。また、リードポインタの位置は最新のデータの記憶された所定アドレス位置を示すようになっており、後述するように当該リードポインタの位置を基準に過去複数回分のデータが読み出される構成となっている。
【０１５２】
ステップＳ４０２の説明に戻り、入賞口スイッチ２２１用の信号レベルバッファには、２ｍｓｅｃ周期で信号レベルをチェックする毎に、当該信号レベルに対応した論理値が順にライトポインタの示す所定アドレス位置に書き込まれていく。ここで、ＣＰＵ５０１への入力信号の信号レベルが「Ｈ（ハイ）」の場合には、これを示すレベル情報としての論理値「１」が記憶され、信号レベルが「Ｌ（ロー）」の場合には、これを示すレベル情報としての論理値「０」が記憶される。
【０１５３】
ステップＳ４０３では、後述する異常監視タイマＣＴの設定状況（例えば異常監視タイマＣＴの設定の有無を判別可能な設定フラグの値など）を見て、異常監視タイマＣＴが設定されている場合には、当該異常監視タイマＣＴの減算処理を行う。後述するように、異常監視タイマＣＴには当初１０００ｍｓｅｃがセットされ、この処理が１回行われる毎にその値が２ｍｓｅｃずつ減算されていく。一方、異常監視タイマＣＴが設定されていない場合には、そのまま次の処理へ移行する。異常監視タイマＣＴが本実施形態における経過時間計測手段を構成する。
【０１５４】
ステップＳ４０４では、一般入賞口３１へ遊技球の入球の有無を判定するための前処理である演算処理を行う。
【０１５５】
より詳しくは、信号レベルバッファに記憶された最近の過去３回分のデータのうちの最先のデータ（最も古いデータ）の論理反転処理を行うとともに、当該論理反転された最先のデータ及び残り２回分のデータすべての論理積を算出する。そして、この値を、ＲＡＭ５０３の作業エリアにて一旦記憶する。この処理の機能が本実施形態における論理反転手段や論理積算出手段を構成する。
【０１５６】
例えば、図３２（ｂ）に示すように、タイミングｔ１，ｔ２，ｔ３において記憶された信号レベルの論理値が「０」，「１」，「１」である場合、最先のデータの論理反転処理を行うと、最先のデータは「１」となる。従って、このデータと他の２回分のデータの論理積は「１」となる。
【０１５７】
続くステップＳ４０５では、ステップＳ４０４にて算出された論理積の値が「１」であるか否かを判別する。ここで論理積の値が「１」となった場合には、信号レベルが「Ｌ」から「Ｈ」に切り替わったことを意味するため、これをもって一般入賞口３１への入球有りと判断して、ステップＳ４０６において入賞口スイッチ２２１（一般入賞口３１）用の入球判別フラグの値に「１」を設定し、ステップＳ４０８へ移行する。なお、入球判別フラグは、入球の有無を判別するための判別子であり、各入球検出スイッチに対応してそれぞれ設けられている。そして、ステップＳ３０４の始動入賞処理や、ステップＳ３０５の第２契機対応口通過処理では、これを基に入球の有無を判断している。
【０１５８】
一方、ステップＳ４０５にて論理積の値が「０」の場合には、過去４ｍｓｅｃの間、信号レベルが「Ｌ」のままか若しくは「Ｈ」のまま切り替わらなかった、又は信号レベルが「Ｈ」から「Ｌ」に切り替わったこと等を意味するため、これをもって一般入賞口３１への入球無しと判断して、ステップＳ４０７において入賞口スイッチ２２１用の入球判別フラグの値に「０」を設定し、ステップＳ４１３へ移行する。上述したステップＳ４０４〜Ｓ４０７の一連の処理（入球判定処理）の機能が本実施形態における入球判定手段を構成する。
【０１５９】
ステップＳ４０８では、異常監視タイマＣＴの値が９６４ｍｓｅｃ以上であるか否かを判別する。後述するように、異常監視タイマＣＴは、一般入賞口３１への入球有りと判断した時点で１０００ｍｓｅｃが設定される。つまり、ステップＳ４０８では、一般入賞口３１への入球有りと判定された第１の時点ｔ５から、次に一般入賞口３１への入球有りと判定された第２の時点ｔ７までに経過した時間ＴＬ３が３６ｍｓｅｃ以下であるか否かを判別する（図３３参照）。
【０１６０】
図３３に示すように、本実施形態において、遊技球（直径１１．０ｍｍのパチンコ球）が自由落下して入賞口スイッチ２２１等の通過孔を通過するのに要する時間ＴＬ１は、８ｍｓｅｃから遅くとも３０ｍｓｅｃ程度である。また、仮に２つの遊技球が連なるように一般入賞口３１等へ入球した場合でも、第１に入球した遊技球の検出終了時ｔ６から第２に入球した遊技球の検出開始時ｔ７までには、２８ｍｓｅｃ以上の時間ＴＬ２を要する。従って、一般入賞口３１への入球有りと判定された第１の時点ｔ５から、次に一般入賞口３１への入球有りと判定された第２の時点ｔ７までに経過した時間ＴＬ３が３６ｍｓｅｃ以下である場合には、上記「発明が解決しようとする課題」で述べたような「電波ゴト」が行われた可能性が高い。
【０１６１】
但し、遊技球の入球間隔（時間ＴＬ３）が３６ｍｓｅｃ以下となるような異常が検出された場合でも、その検出回数が少ない場合（例えば１回だけの場合）には、不正行為ではなく、単にノイズ等による偶発的な不具合である可能性も考えられる。これに対し、このような異常が多数検出された場合には不正行為である可能性が高い。前記「３６ｍｓｅｃ」が本実施形態における規定時間（第１の規定時間）に相当する。なお、３６ｍｓｅｃという数値は任意に設定したものであり、上記「電波ゴト」等に起因した異常を判別可能な値であれば、適宜、変更可能である。
【０１６２】
そこで、ステップＳ４０８にて、異常監視タイマＣＴの値が９６４ｍｓｅｃ以上であると判定された場合には、ステップＳ４０９にて、ＲＡＭ５０３の作業エリアに設けられた異常計数カウンタの値に１を加算し、ステップＳ４１０にて、異常計数カウンタの値が５０以上となったか否かを判定する。異常計数カウンタは、異常有りと判定された回数を加算して記憶していく異常回数記憶手段である。一方、ステップＳ４０８にて、異常監視タイマＣＴの値が９６４ｍｓｅｃ未満であると判定された場合には、そのままステップＳ４１２へ移行する。ステップＳ４０８の判定処理の機能が本実施形態における異常判定手段を構成する。
【０１６３】
ステップＳ４１０にて異常計数カウンタの値が５０以上と判定された場合には、ステップＳ４１１にて、第１報知設定処理を行った後、ステップＳ４１２へ移行する。一方、異常計数カウンタの値が５０未満と判定された場合には、そのままステップＳ４１２へ移行する。
【０１６４】
ステップＳ４１１の第１報知設定処理では、異常有りを報知するための設定処理（報知処理）が行われる。例えば、本実施形態では、エラー表示ランプ１０４を点滅させるためのコマンドをサブ制御装置２６２へ出力するための設定や、遊技ホールのホールコンピュータへエラー信号を出力するための設定などが行なわれる。これに基づき、後述する通常処理の外部出力処理において、サブ制御装置２６２に対し当該コマンドが出力され、サブ制御装置２６２によってエラー表示ランプ１０４の点滅制御が行われる。このエラー表示ランプ１０４や、入球エラー信号を出力する外部中継端子板２４０などが本実施形態における報知手段を構成する。
【０１６５】
ステップＳ４１２では、一般入賞口３１への今回の入球有り判定に起因して、異常監視タイマＣＴの設定処理が行われる。本実施形態では、ここで第２の規定時間である１０００ｍｓｅｃをセットする。なお、１０００ｍｓｅｃという数値は任意に設定したものであり、後述する「不正大球」等に起因した異常を判別可能な値であれば、適宜、変更可能である。
【０１６６】
その後、ステップＳ４１３において、入賞口スイッチ２２１による遊技球の検出終了時を特定するための検出終了時判定処理を行う。
【０１６７】
具体的には、まず信号レベルバッファに記憶された最近の過去３回分のデータのうちの最新のデータ（最も新しいデータ）の論理反転処理を行うとともに、当該論理反転された最新のデータ及び残り２回分のデータすべての論理積を算出する。そして、この値を、ＲＡＭ５０３の作業エリアにて一旦記憶する。
【０１６８】
例えば、図３２（ｂ）に示すように、タイミングｔ２，ｔ３，ｔ４において記憶された信号レベルの論理値が「１」，「１」，「０」である場合、最新のデータの論理反転処理を行うと、最新のデータは「１」となる。従って、このデータと他の２回分のデータの論理積は「１」となる。
【０１６９】
続いて、算出された論理積の値が「１」であるか否かを判別する。ここで論理積の値が「１」となった場合には、信号レベルが「Ｈ」から「Ｌ」に切り替わったことを意味するため、これをもって入球検出終了と判断し、入賞口スイッチ２２１（一般入賞口３１）用の終了判別フラグの値に「１」を設定する。なお、終了判別フラグは、入球検出終了を判別するための判別子であり、各入球検出スイッチに対応してそれぞれ設けられている。そして、後述するステップＳ４１５の判定処理においては、これを基に入球検出終了時を判別している。一方、論理積の値が「０」の場合には、過去４ｍｓｅｃの間、信号レベルが「Ｌ」のままか若しくは「Ｈ」のまま切り替わらなかった、又は信号レベルが「Ｌ」から「Ｈ」に切り替わったこと等を意味するため、入賞口スイッチ２２１用の終了判別フラグの値に「０」を設定する。
【０１７０】
続くステップＳ４１４では、異常監視タイマＣＴの値が９６４ｍｓｅｃ未満であるか否かを判別する。つまり、一般入賞口３１への入球有りと判定された時点から３６ｍｓｅｃ経過したか否かを判別する。
【０１７１】
ここで異常監視タイマＣＴの値が９６４ｍｓｅｃ未満と判別された場合には、ステップＳ４１５において、終了判別フラグの値が「１」か否かを判別する。一方、異常監視タイマＣＴの値が９６４ｍｓｅｃ以上である場合には、そのままステップＳ４１７へ移行する。
【０１７２】
ステップＳ４１５にて終了判別フラグの値が「１」であると判別された場合、すなわち入賞口スイッチ２２１による遊技球の検出が終了したと判別された場合には、ステップＳ４１６において終了判別フラグの値を「０」に設定すると共に、異常監視タイマＣＴの設定を解除する。なお、ここで異常監視タイマＣＴの設定を解除することには、例えば異常監視タイマＣＴの値を初期値（本実施形態では１０００ｍｓｅｃ）にリセットすることや、異常監視タイマＣＴの設定の有無を判別可能な設定フラグの値を、設定有りを示す「１」から、設定無しを示す「０」に代えることなどが含まれる。
【０１７３】
一方、ステップＳ４１５にて終了判別フラグの値が「０」であると判別された場合、そのままステップＳ４１７へ移行する。
【０１７４】
ステップＳ４１７では、異常監視タイマＣＴの値が「０」か否かを判別する。すなわち、異常監視タイマＣＴが設定された状況下で、一般入賞口３１への入球有りと判定された時点から１秒（１０００ｍｓｅｃ）が経過したか否かを判別する。ここで、１秒経過していないと判別された場合には、そのまま本処理を終了する。なお、上記ステップＳ４１６において異常監視タイマＣＴの設定を解除する際、仮に異常監視タイマＣＴの値を初期値（例えば０ｍｓｅｃ）にリセットする方法を採用した場合には、ステップＳ４１７においては、例えば異常監視タイマＣＴの値が「２」以下であるか否かを判別するといった構成を採用すればよい。
【０１７５】
「電波ゴト」には、上述したような実際に入賞口スイッチ２２１等を通過する遊技球を検出することに基づき出力されるレベル信号を分断して検出回数を増やす不正行為とは別に、例えば正規の遊技球（直径１１．０ｍｍ）及び入賞口スイッチ２２１の通過孔（例えば直径１１．４ｍｍ）よりも直径の大きい遊技球（以下、「不正大球」という。例えば直径１１．８ｍｍ）を用いる方法も考えられる。かかる場合、まず不正大球を一般入賞口３１へ入賞させる等して、予め球通路内へ入れる。そうすると、当該不正大球は、入賞口スイッチ２２１の通過孔を通過できずに、当該通過孔に引っ掛った状態となる。これにより、入賞口スイッチ２２１は、常時、不正大球を検出したオン状態（ローレベル信号を出力した状態）となる。この状態で、入賞口スイッチ２２１をオフ状態（ハイレベル信号を出力した状態）とする不正な電波を適宜発信することにより、オンオフ状態を切換え、遊技球が通過していないにもかかわらず、遊技球が通過したと誤検知させることができる。
【０１７６】
上述したように本実施形態においては、遊技球が入賞口スイッチ２２１等の通過孔を通過するのに要する時間ＴＬ１は、８ｍｓｅｃから遅くとも３０ｍｓｅｃ程度である。つまり、一般入賞口３１への入球有りと判定された時点から継続して１秒以上、ハイレベル信号が出力され続けている場合には、上記不正大球による不正行為が行われている可能性が高い。
【０１７７】
そこで、ステップＳ４１７にて肯定判別された場合、すなわち一般入賞口３１への入球有りと判定された時点から１秒が経過し、異常監視タイマＣＴの値が「０」となった場合には、ステップＳ４１８にて第２報知設定処理を行い、本処理を終了する。ステップＳ４１７の判定処理の機能が本実施形態における異常判定手段を構成する。
【０１７８】
ステップＳ４１８の第２報知設定処理では、上記第１報知設定処理（ステップＳ４１１）と同様に、異常有りを報知するための設定処理が行われる。
【０１７９】
次にステップＳ３０４の始動入賞処理について図１４のフローチャートを参照して説明する。ステップＳ５０１では、遊技球が第１契機対応ユニット３３（上入賞口３３ａ又は下入賞口３３ｂ）に入賞したか否かを第１契機対応ユニットスイッチ２２４ａ，２２４ｂに対応する上記入球判別フラグの値に基づき判別する。遊技球が第１契機対応ユニット３３に入賞したと判別されると、続くステップＳ５０２では、始動保留球数Ｎが上限値（本実施形態では４）未満であるか否かを判別する。第１契機対応ユニット３３への入賞があり、且つ始動保留球数Ｎ＜４であることを条件にステップＳ５０３に進み、始動保留球数Ｎをインクリメントする。
【０１８０】
また、続くステップＳ５０４では、当否に関わる乱数を取得する。具体的には、上記ステップＳ３０３の乱数更新処理で更新した大当たり乱数カウンタＣ１、モード決定カウンタＣ２及び変動選択カウンタＣ３の各値を、ＲＡＭ５０３の第１保留球格納エリアの空き記憶エリアのうち最初のエリアに格納する。その後、始動入賞処理を一旦終了する。
【０１８１】
次に、ステップＳ３０５の第２契機対応口通過処理について図１５のフローチャートを参照して説明する。ステップＳ６０１では、遊技球が第２契機対応口３４を通過したか否かを第２契機対応口スイッチ２２５に対応する上記入球判別フラグの値に基づき判別する。遊技球が第２契機対応口３４を通過したと判別されると、続くステップＳ６０２では、普通図柄表示装置４１の保留球数Ｎが上限値（本実施形態では４）未満であるか否かを判別する。第２契機対応口３４への通過があり、且つ保留球数Ｎ＜４であることを条件にステップＳ６０３に進み、保留球数Ｎを１インクリメントする。また、続くステップＳ６０４では、当否に関わる乱数を取得する。具体的には、上記ステップＳ３０３の乱数更新処理で更新した普通図柄乱数カウンタＣ４の値を、ＲＡＭ５０３の第２保留球格納エリアの空き記憶エリアのうち最初のエリアに格納する。その後、第２契機対応口通過処理を一旦終了する。
【０１８２】
図１６は、ＮＭＩ割込み処理を示すフローチャートであり、本処理は、主制御装置２６１のＣＰＵ５０１により停電の発生等によるパチンコ機１０の電源断時に実行される。このＮＭＩ割込みにより、電源断時の主制御装置２６１の状態がＲＡＭ５０３のバックアップエリア５０３ａに記憶される。
【０１８３】
すなわち、停電の発生等によりパチンコ機１０の電源が遮断されると、停電信号ＳＫ１が停電監視回路５４２から主制御装置２６１内のＣＰＵ５０１のＮＭＩ端子に出力される。すると、ＣＰＵ５０１は実行中の制御を中断してＮＭＩ割込み処理を開始し、ステップＳ７０１において、電源断の発生情報の設定として電源断の発生情報をＲＡＭ５０３のバックアップエリア５０３ａに記憶してＮＭＩ割込み処理を終了する。
【０１８４】
なお、上記のＮＭＩ割込み処理は払出制御装置３１１でも同様に実行され、かかるＮＭＩ割込みにより、電源断の発生情報がＲＡＭ５１３のバックアップエリア５１３ａに記憶される。すなわち、停電の発生等によりパチンコ機１０の電源が遮断されると、停電信号ＳＫ１が停電監視回路５４２から払出制御装置３１１内のＣＰＵ５１１のＮＭＩ端子に出力され、ＣＰＵ５１１は実行中の制御を中断して図１６のＮＭＩ割込み処理を開始する。その内容は上記説明の通りである。
【０１８５】
次に、主制御装置２６１内のＣＰＵ５０１により実行されるメイン処理の流れを図１０のフローチャートを参照しながら説明する。このメイン処理は電源投入時のリセットに伴い起動される。
【０１８６】
先ずはじめに、ステップＳ１０１では、電源投入に伴う初期設定処理を実行する。具体的には、スタックポインタに予め決められた所定値を設定すると共に、サブ側の制御装置（サブ制御装置２６２，払出制御装置３１１等）が動作可能な状態になるのを待つために例えば１秒程度、ウェイト処理を実行する。続くステップＳ１０３では、ＲＡＭアクセスを許可する。
【０１８７】
その後、ＣＰＵ５０１内のＲＡＭ５０３に関してデータバックアップの処理を実行する。つまり、ステップＳ１０４では、電源装置３１３に設けたＲＡＭ消去スイッチ３２３が押下（ＯＮ）されているか否かを判別し、押下されていれば、バックアップデータをクリア（消去）するべく、ステップＳ１１３へ移行する。一方、ＲＡＭ消去スイッチ３２３が押下されていなければ、続くステップＳ１０５で、ＲＡＭ５０３のバックアップエリア５０３ａに電源断の発生情報が設定されているか否かを判別する。ここで、設定されていなければ、バックアップデータは記憶されていないので、この場合もステップＳ１１３へ移行する。バックアップエリア５０３ａに電源断の発生情報が設定されていれば、ステップＳ１０６でＲＡＭ判定値を算出し、続くステップＳ１０７では、そのＲＡＭ判定値が電源断時に保存したＲＡＭ判定値と一致するか否か、すなわちバックアップの有効性を判別する。ここで算出したＲＡＭ判定値が電源断時に保存したＲＡＭ判定値と一致しなければ、バックアップされたデータは破壊されているので、この場合もステップＳ１１３へ移行する。
【０１８８】
ステップＳ１１３の処理では、サブ側の制御装置となるサブ制御装置２６２及び払出制御装置３１１等を初期化するために、初期化コマンドを送信する。その後、ＲＡＭの初期化処理（ステップＳ１１４等）に移行する。なお、ＲＡＭ判定値は、例えばＲＡＭ５０３の作業領域アドレスにおけるチェックサム値である。このＲＡＭ判定値に代えて、ＲＡＭ５０３の所定のエリアに書き込まれたキーワードが正しく保存されているか否かによりバックアップの有効性を判断することも可能である。
【０１８９】
上述したように、本パチンコ機１０では、例えばホールの営業開始時など、電源投入時に初期状態に戻したい場合にはＲＡＭ消去スイッチ３２３を押しながら電源が投入される。従って、ＲＡＭ消去スイッチ３２３がＯＮされていれば、ＲＡＭの初期化処理（ステップＳ１１４等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１４等）に移行する。つまり、ステップＳ１１４ではＲＡＭ５０３の使用領域を０にクリアし、続くステップＳ１１５ではＲＡＭ５０３の初期値を設定する。その後、ステップＳ１１２で割込み許可を設定し、後述する通常処理に移行する。
【０１９０】
一方、ＲＡＭ消去スイッチ３２３が押されていない場合（ステップＳ１０４：ＮＯ）には、電源断の発生情報が設定されていること、及びＲＡＭ判定値（チェックサム値等）が正常であることを条件に、復電時の処理（電源断復旧時の処理）を実行する。つまり、ステップＳ１０８では、電源断前のスタックポインタを復帰させ、ステップＳ１０９では、電源断の発生情報をクリアする。ステップＳ１１０では、サブ側の制御装置を電源断時の遊技状態に復帰させるコマンドを送信し、ステップＳ１１１では、使用レジスタをＲＡＭ５０３のバックアップエリア５０３ａから復帰させる。その後、ステップＳ１１２で割込み許可を設定し、後述する通常処理に移行する。
【０１９１】
次に、通常処理の流れを図１１のフローチャートを参照しながら説明する。この通常処理では遊技の主要な処理が実行される。その概要として、ステップＳ２０１〜Ｓ２１０の処理が４ｍｓｅｃ周期の定期処理として実行され、その残余時間でステップＳ２１１，ステップＳ２１２のカウンタ更新処理が実行される構成となっている。
【０１９２】
先ずステップＳ２０１では、前回の処理で更新された特別表示装置４３や第１契機対応ユニット３３等の設定内容に基づいた制御信号を各装置に送信したり、コマンド等の出力データをサブ側の各制御装置に送信する外部出力処理を実行する。以下により詳しい具体例をいくつか挙げる。
【０１９３】
例えば、上記各種入球判別フラグを参酌して、一般入賞口３１など各種入賞口への遊技球の入賞の有無を判別し、入賞有りの場合には当該入賞に対応した個数に対応する賞球払出コマンドを払出制御装置３１１に対して送信する。そして、当該コマンドの送信後において、対応する入球判別フラグの値を「０」に戻す。
【０１９４】
また、エラー表示ランプ１０４を点滅させるためのコマンドなどが設定されている場合には、サブ制御装置２６２に対し当該コマンドを出力する。
【０１９５】
また、外部出力処理では後述する大当たりフラグなど各種判別情報を参酌して、遊技状態を把握させるための情報が遊技ホールのホールコンピュータへ外部出力される。さらには、ホールコンピュータへのエラー情報などの出力もこの出力処理において実行される。
【０１９６】
例えば、入球エラーが検出された場合には、外部中継端子板２４０の所定の端子を介して、遊技ホールのホールコンピュータへオン信号（パルス信号）が出力され、入球エラーがない場合には、オフ信号が出力される。
【０１９７】
また、装飾図柄表示装置４２による装飾図柄の変動表示に際して、変動パターンコマンド、図柄コマンド等をサブ制御装置２６２に送信する。つまり、変動パターンコマンドや図柄コマンドは、特別表示装置４３にて行われる表示に合わせた表示演出を装飾図柄表示装置４２にて行わせるためにサブ制御装置２６２に出力されるコマンドである。これに対し、変動パターンコマンド、図柄コマンド等を入力したサブ制御装置２６２は、かかる各種コマンドに基づいて、装飾図柄表示装置４２の変動態様を決定し、該変動態様を装飾図柄表示装置４２において表示（変動表示）するように表示制御装置４５に対し指示を出す。
【０１９８】
便宜上、ここで変動パターンコマンド等について説明する。変動パターンコマンドには、ノーマルリーチ、スーパーリーチ、プレミアムリーチといった装飾図柄の変動種別を特定する情報が含まれている。本実施形態では、例えば通常モード時には「ＦＦ１０」，「ＦＦ１１」，「ＦＦ１２」，「ＦＦ１３」，「ＦＦ１４」，「ＦＦ１５」，「ＦＦ１６」のうちのいずれかが変動パターンコマンドとして設定される。また、高確率モード時には、「ＦＤ１０」，「ＦＤ１１」，「ＦＤ１２」，「ＦＤ１３」，「ＦＤ１４」，「ＦＤ１５」，「ＦＤ１６」が設定され、時間短縮モード時には、「ＦＥ１０」，「ＦＥ１１」，「ＦＥ１２」，「ＦＥ１３」，「ＦＥ１４」，「ＦＥ１５」，「ＦＥ１６」が設定される。一方、サブ制御装置２６２には、これらの変動パターンコマンドと装飾図柄の変動種別との関係がテーブル（図３１参照）で記憶されている。そして、サブ制御装置２６２は、変動パターンコマンドに対応する演出パターンを実行する。
【０１９９】
以下、装飾図柄の変動種別、及び、変動種別と変動パターンコマンドとの対応関係について説明する。
【０２００】
ノーマルリーチは、装飾図柄の変動以外には特段の演出表示がされないリーチパターンである。そして、ノーマルリーチに対応する変動パターンコマンドには通常モード時には「ＦＦ１１」が設定され、高確率モード時には「ＦＤ１１」が設定され、時間短縮モード時には「ＦＥ１１」が設定される。なお、本実施形態では、ノーマルリーチが導出される変動表示時間は通常モード時「２０秒」、高確率モード時「８秒」、時間短縮モード時「１０秒」に設定されている。
【０２０１】
スーパーリーチは、装飾図柄の変動表示中（リーチ状態成立後）において、装飾図柄以外にも、装飾図柄表示装置４２にキャラクタ等が表示され、これにより遊技者に対し期待感を抱かせるリーチパターンである。本実施形態では、スーパーリーチには通常モード時で３０秒、４０秒、５０秒パターンの３種類（スーパーリーチＳＲ１，ＳＲ２，ＳＲ３）が用意されている。なお、高確率モード時及び時間短縮モード時の変動表示時間は、上記ノーマルリーチ同様に通常モード時に比べ時間短縮されている。各リーチパターンに対応して、スーパーリーチＳＲ１ならば通常モード時「ＦＦ１２」、高確率モード時「ＦＤ１２」、時間短縮モード時「ＦＥ１２」が変動パターンコマンドに設定される。スーパーリーチＳＲ２ならば通常モード時「ＦＦ１３」、高確率モード時「ＦＤ１３」、時間短縮モード時「ＦＥ１３」が設定される。スーパーリーチＳＲ３ならば通常モード時「ＦＦ１４」、高確率モード時「ＦＤ１４」、時間短縮モード時「ＦＥ１４」が設定される。
【０２０２】
プレミアムリーチは、大当たり状態が発生する際にのみ導出され得る演出態様であり、装飾図柄の変動表示中（リーチ状態成立後）において、装飾図柄以外に、スーパーリーチとは異なるパターンのキャラクタ等が表示される態様で行われ、これにより遊技者に対し期待感を抱かせるリーチパターンである。本実施形態のプレミアムリーチには通常モード時で６０秒、７０秒パターンの２種類（プレミアムリーチＰＲ１，ＰＲ２）が用意されている。なお、高確率モード時及び時間短縮モード時の変動表示時間は、上記ノーマルリーチ同様に通常モード時に比べ時間短縮されている。各リーチパターンに対応して、プレミアムリーチＰＲ１ならば通常モード時「ＦＦ１５」、高確率モード時「ＦＤ１５」、時間短縮モード時「ＦＥ１５」が変動パターンコマンドに設定される。プレミアムリーチＰＲ２ならば通常モード時「ＦＦ１６」、高確率モード時「ＦＤ１６」、時間短縮モード時「ＦＥ１６」が設定される。
【０２０３】
また、いずれのリーチ状態にもならない「完全外れ」に対応する変動パターンコマンドには通常モード時「ＦＦ１０」、高確率モード時「ＦＤ１０」、時間短縮モード時「ＦＥ１０」が変動パターンコマンドに設定される。本実施形態では、完全外れとなる変動表示時間は通常モード時で１０秒に設定されている。もちろん、高確率モード時及び時間短縮モード時の変動表示時間は、上記ノーマルリーチ同様に通常モード時に比べ時間短縮されている。
【０２０４】
また、サブ制御装置２６２は、図柄コマンドに基づき停止図柄（停止図柄の組合わせ）を決定して、変動時間経過後に表示する。図柄コマンドは、サブ制御装置２６２に停止図柄を決定させるコマンドであり、確変図柄の組合わせ、通常図柄の組合わせ、前後外れ図柄の組合わせ、前後外れ以外図柄の組合わせ、完全外れ図柄の組合わせという５つの区分を指定するものである。これらの区分は、「Ａ１」，「Ａ２」，「Ａ３」，「Ａ４」，「Ａ５」で示され、この内のいずれかが図柄コマンドとして設定される。一方、サブ制御装置２６２には、これらのコマンドと停止図柄との関係がテーブルで記憶されている。そして、サブ制御装置２６２は、図柄コマンドに対応する停止図柄を表示する。
【０２０５】
以下、停止図柄の区分及び、停止図柄と図柄コマンドとの対応関係について説明する。
【０２０６】
確変図柄の組合わせは、１，３，５，７，９の数字のゾロ目からなる図柄の組合わせであり、確変図柄の組合わせに対応する図柄コマンドには「Ａ１」が設定される。そして、サブ制御装置２６２は、図柄コマンドに確変図柄を示す「Ａ１」が設定されている場合、１，３，５，７，９の数字のゾロ目からなる図柄の組合わせのうちの一つを停止図柄として決定する。
【０２０７】
通常図柄の組合わせは、０，２，４，６，８の数字のゾロ目からなる図柄の組合わせであり、通常図柄の組合わせに対応する図柄コマンドには「Ａ２」が設定される。そして、サブ制御装置２６２は、図柄コマンドに通常図柄を示す「Ａ２」が設定されている場合、０，２，４，６，８の数字のゾロ目からなる図柄の組合わせのうちの一つを停止図柄として決定する。
【０２０８】
前後外れ図柄の組合わせは、リーチ発生した後、最終停止図柄がリーチ図柄の前後に１つだけずれて停止する「前後外れリーチ」に対応するものであり、前後外れ図柄の組合わせに対応する図柄コマンドには「Ａ３」が設定される。前後外れ以外図柄の組合わせは、リーチ発生した後、最終停止図柄がリーチ図柄の前後以外で停止する「前後外れ以外リーチ」に対応するものであり、前後外れ以外図柄の組合わせに対応する図柄コマンドには「Ａ４」が設定される。完全外れ図柄の組合わせは、リーチ発生しない「完全外れ」に対応するものであり、完全外れ図柄の組合わせに対応する図柄コマンドには「Ａ５」が設定される。なお、詳しくは後述するが、図柄コマンドに「Ａ３」〜「Ａ５」が設定されている場合、サブ制御装置２６２は、対応するＲＡＭ５５３のカウンタ用バッファに格納されている図柄の組合わせを停止図柄として決定する。本実施形態では、外れ用の図柄コマンドに「Ａ３」〜「Ａ５」の３つのコマンドを用意しているが、これに限らず、例えば外れ用の図柄コマンドが１つだけの構成としてもよい。
【０２０９】
図１１の説明に戻り、ステップＳ２０２では、変動種別カウンタＣＳ１，ＣＳ２の更新を実行する。より具体的には、他のカウンタと同様に、変動種別カウンタＣＳ１，ＣＳ２を１インクリメントすると共に、それらのカウンタ値が上限値（本実施形態では１９８，２４０）に達した際、それぞれ０にクリアする。そして、変動種別カウンタＣＳ１，ＣＳ２の更新値を、ＲＡＭ５０３の該当するバッファ領域に格納する。
【０２１０】
続くステップＳ２０３では、払出制御装置３１１より受信した賞球計数信号を読み込む。次に、ステップＳ２０４では、払出制御装置３１１より受信した払出異常信号を読み込む。
【０２１１】
その後、ステップＳ２０５では、第１表示制御処理を実行する。この処理では、特別表示装置４３においてどのような制御を行うか当該特別表示装置４３の制御内容の設定が行われると共に、大当たり判定や装飾図柄表示装置４２における装飾図柄の変動パターン（演出パターン）の設定などが行われる。この第１表示制御処理の詳細は後述する。
【０２１２】
ステップＳ２０６では、可変入賞装置制御処理を実行する。この処理では、可変入賞装置３２においてどのような制御を行うか当該可変入賞装置３２の制御内容の設定が行われる。これにより、大当たり状態（特別遊技状態）となった場合には、可変入賞装置３２の大入賞口の開閉処理が所定ラウンド数繰り返し実行される。可変入賞装置制御処理の詳細は後述する。
【０２１３】
ステップＳ２０７では、第２表示制御処理を実行する。この処理では、普通図柄表示装置４１おいてどのような制御を行うか当該普通図柄表示装置４１の制御内容の設定などが行われる。この第２表示制御処理の詳細は後述する。
【０２１４】
ステップＳ２０８では、契機対応ユニット制御処理を実行する。この処理では、第１契機対応ユニット３３においてどのような制御を行うか当該第１契機対応ユニット３３の制御内容の設定が行われる。
【０２１５】
その後は、ステップＳ２０９において、ＲＡＭ５０３のバックアップエリア５０３ａに電源断の発生情報が設定されているか否かを判別する。ここでバックアップエリア５０３ａに電源断の発生情報が設定されていなければ、ステップＳ２１０で、次の通常処理の実行タイミングに至ったか否か、すなわち前回の通常処理の開始から所定時間（本実施の形態では４ｍｓｅｃ）が経過したか否かを判別する。そして、既に所定時間が経過していれば、ステップＳ２０１へ移行し、上記ステップＳ２０１以降の処理を繰り返し実行する。
【０２１６】
一方、前回の通常処理の開始から未だに所定時間が経過していなければ、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２１１，ステップＳ２１２）。
【０２１７】
つまり、ステップＳ２１１では、乱数初期値カウンタＣＩＮＩの更新を実行する。具体的には、乱数初期値カウンタＣＩＮＩを１インクリメントすると共に、そのカウンタ値が最大値（本実施の形態では６７６）に達した際０にクリアする。
【０２１８】
また、ステップＳ２１２では、変動種別カウンタＣＳ１，ＣＳ２の更新を実行する（前記ステップＳ２０２と同様）。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の変更値を、ＲＡＭ５０３の該当するバッファ領域に格納する。
【０２１９】
ここで、ステップＳ２０１〜Ｓ２０９の各処理の実行時間は遊技の状態に応じて変化するため、次の通常処理の実行タイミングに至るまでの残余時間は一定ではなく変動する。故に、かかる残余時間を使用して乱数初期値カウンタＣＩＮＩの更新を繰り返し実行することにより、乱数初期値カウンタＣＩＮＩ（すなわち大当たり乱数カウンタＣ１の初期値）をランダムに更新することができ、同様に変動種別カウンタＣＳ１，ＣＳ２についてもランダムに更新することができる。
【０２２０】
さて、ＲＡＭ５０３のバックアップエリア５０３ａに電源断の発生情報が設定されていれば（ステップＳ２０９：ＹＥＳ）、電源が遮断されたことになるので、電源断時の停電処理としてステップＳ２１３以降の処理が行われる。停電処理は、まずステップＳ２１３において各割込み処理の発生を禁止し、ステップＳ２１４において、ＣＰＵ５０１が使用している各レジスタの内容をスタックエリアに退避し、ステップＳ２１５において、スタックポインタの値をバックアップエリア５０３ａに記憶する。その後、ステップＳ２１６において、電源が遮断されたことを示す電源断通知コマンドを他の制御装置（払出制御装置３１１等）に対して送信する。そして、ステップＳ２１７でＲＡＭ判定値を算出し、バックアップエリア５０３ａに保存する。ＲＡＭ判定値は、例えば、ＲＡＭ５０３の作業領域アドレスにおけるチェックサム値である。その後、ステップＳ２１８でＲＡＭアクセスを禁止して、電源が完全に遮断して処理が実行できなくなるまで無限ループを継続する。
【０２２１】
なお、ステップＳ２０９の処理は、ステップＳ２０１〜Ｓ２０８で行われる遊技の状態変化に対応した一連の処理の終了時、又は、残余時間内に行われるステップＳ２１１，Ｓ２１２の処理の１サイクルの終了時となるタイミングで実行されている。よって、主制御装置２６１の通常処理において、各処理の終了時に電源断の発生情報を確認しているので、各処理が途中の場合と比較してＲＡＭ５０３のバックアップエリア５０３ａに記憶するデータ量が少なくなり、容易に記憶することができる。また、電源遮断前の状態に復帰する場合には、バックアップエリア５０３ａに記憶されているデータ量が少ないので、容易に復帰させることができ、主制御装置２６１の処理の負担を軽減することができる。さらに、データの記憶前に割込み処理の発生を禁止（ステップＳ２１３）するので、電源が遮断されたときのデータが変更されることを防止でき、電源遮断前の状態を確実に記憶することができる。
【０２２２】
次に、前記ステップＳ２０５の第１表示制御処理について図１７のフローチャートを参照して説明する。
【０２２３】
図１７において、ステップＳ８０１では、今現在、大当たり中であるか否かを判別する。なお、大当たり中には、大当たり状態（特別遊技状態）の最中と大当たり状態終了後の所定時間とが含まれる。
【０２２４】
続くステップＳ８０２では、表示タイマの設定状況を見て特別表示装置４３による色換え表示（変動表示）中であるか否かを判別する。詳しくは、表示タイマが設定されている場合（オン状態の場合）には変動表示中とみなされ、表示タイマが解除されている場合（オフ状態の場合）には、変動表示が停止した状態にあたる停止表示中であるとみなされる。そして、大当たり中でなくさらに変動表示中でもない場合、ステップＳ８０３に進み、始動保留球数Ｎが０よりも大きいか否かを判別する。このとき、大当たり中であるか、又は始動保留球数Ｎが０である場合、そのまま本処理を終了する。
【０２２５】
また、大当たり中、変動表示中の何れでもなく且つ始動保留球数Ｎ＞０であれば、ステップＳ８０４に進む。ステップＳ８０４では、始動保留球数Ｎから１を減算する。ステップＳ８０５では、第１保留球格納エリアに格納されたデータをシフトさせる処理を実行する。このデータシフト処理は、第１保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。
【０２２６】
その後、ステップＳ８０６では、変動表示設定処理を実行する。ここで、図１８のフローチャートを用いて変動表示設定処理の詳細を説明する。
【０２２７】
まず、ステップＳ９０１では、第１保留球格納エリアの実行エリアに格納されている大当たり乱数カウンタＣ１の値に基づいて大当たりか否かを判別する。具体的には、大当たりか否かは大当たり乱数カウンタＣ１の値とその時々のモードとの関係に基づいて判別され、前述した通り通常モード等の低確率状態では大当たり乱数カウンタＣ１の数値０〜６７６のうち「３３７，６７３」が当たり値であり、高確率モードでは「６７，１３１，１９９，２６９，３３７，４０１，４６３，５２３，６０１，６６１」が当たり値である。ここで大当たりであると判断された場合（ステップＳ９０１：ＹＥＳ）、ステップＳ９０２へ移行する。一方、大当たりでないと判断された場合（ステップＳ９０１：ＮＯ）、すなわち外れである場合には、ステップＳ９０９へ移行する。
【０２２８】
ステップＳ９０２では、確変大当たりであるか否かを判断する。本実施形態では、大当たりとなった場合、それぞれ１／２の確率で高確率モード又は時間短縮モードへ移行するように構成されている。具体的には、高確率モードへ移行させるか否かは、第１保留球格納エリアの実行エリアに格納されているモード決定カウンタＣ２の値に基づいて判断される。格納されているモード決定カウンタＣ２の値が、数値０〜９のうち奇数「１，３，５，７，９」であるならば高確率モードへの移行が決定され（確変大当たり）、偶数「０，２，４，６，８」であるならば時間短縮モードへの移行が決定される（通常大当たり）。
【０２２９】
ここで確変大当たりであると判断された場合（ステップＳ９０２：ＹＥＳ）、ステップＳ９０４にて大当たり変動パターンを決定し、ステップＳ９０５にて確変図柄（本実施形態では「Ａ１」）を図柄コマンドに設定して、ステップＳ９１７へ移行する。
【０２３０】
一方、ステップＳ９０２で確変大当たりでないと判断された場合（ステップＳ９０２：ＮＯ）、すなわち通常大当たりである場合には、ステップＳ９０７にて大当たり変動パターンを決定し、ステップＳ９０８にて通常図柄（本実施形態では「Ａ２」）を図柄コマンドに設定して、ステップＳ９１７へ移行する。
【０２３１】
上記ステップＳ９０４，ステップＳ９０７では、大当たり時における変動パターンを決定し、当該変動パターンを変動パターンコマンドに設定する。このとき、ＲＡＭ５０３のカウンタ用バッファに格納されている変動種別カウンタＣＳ１，ＣＳ２の値を確認し、第１及び第２変動種別カウンタＣＳ１、ＣＳ２の値に基づいて装飾図柄の図柄変動態様を決定する。なお、第１変動種別カウンタＣＳ１の数値とリーチパターン（変動種別）との関係、第２変動種別カウンタＣＳ２の数値と変動時間との関係は、各遊技モード毎にテーブル等により予め規定されている。なお、本実施形態におけるモード判別は、後述する高確率状態フラグ、時間短縮状態フラグ及び高入球状態フラグのオンオフ状況の組合せにより行われる。例えば、高確率状態フラグ、時間短縮状態フラグ及び高入球状態フラグが全てオン状態（フラグ値「１」）であれば、高確率モードと判別される。
【０２３２】
ここで、第１変動種別カウンタＣＳ１及び第２変動種別カウンタＣＳ２の数値と変動種別との対応関係について説明する。例えば通常モード中の大当たり時においては、図２０（ａ）に示すような通常モード中大当たり時テーブルによって前記対応関係が規定されている。すなわち、ＣＳ１＝０〜９のときは、ＣＳ２の値に関わらず、変動パターンコマンドに「ＦＦ１１」（ノーマルリーチ）が設定される。ＣＳ１＝１０〜１９６かつＣＳ２＝０〜６９のときは、変動パターンコマンドに「ＦＦ１２」（スーパーリーチＳＲ１）が設定される。ＣＳ１＝１０〜１９６かつＣＳ２＝７０〜１４９のときは、変動パターンコマンドに「ＦＦ１３」（スーパーリーチＳＲ２）が設定される。ＣＳ１＝１０〜１９６かつＣＳ２＝１５０〜２４０のときは、変動パターンコマンドに「ＦＦ１４」（スーパーリーチＳＲ３）が設定される。ＣＳ１＝１９７，１９８かつＣＳ２＝０〜１２０のときは、変動パターンコマンドに「ＦＦ１５」（プレミアムリーチＰＲ１）が設定される。ＣＳ１＝１９７，１９８かつＣＳ２＝１２１〜２４０のときは、変動パターンコマンドに「ＦＦ１６」（プレミアムリーチＰＲ２）が設定される。
【０２３３】
また、ステップＳ９０５，ステップＳ９０８における図柄コマンドは、大当たりの図柄を所定区分で指示するものであり、停止図柄の決定は、後述するようにサブ制御装置２６２が行う。具体的には、確変図柄の組合わせを示す「Ａ１」が図柄コマンドに設定されると（ステップＳ９０５）、１，３，５，７，９のゾロ目のいずれかの図柄の組合わせをサブ制御装置２６２が停止図柄として決定する。一方、通常図柄の組合わせを示す「Ａ２」が図柄コマンドに設定されると（ステップＳ９０８）、０，２，４，６，８のゾロ目のいずれかの図柄の組合わせをサブ制御装置２６２が停止図柄として決定する。当該ステップＳ９０５、ステップＳ９０８で図柄コマンドを設定した後、ステップＳ９１７へ移行する。
【０２３４】
また、ステップＳ９０１にて否定判断された場合に移行するステップＳ９０９では、リーチであるか否かを判断する。この判断は、第１保留球格納エリアの実行エリアに格納されている変動選択カウンタＣ３の値に基づいてなされる。上述したように、本実施形態では、変動選択カウンタＣ３によって、リーチ発生した後最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしており、例えば、Ｃ３＝０，１が前後外れリーチに該当し、Ｃ３＝２〜２１が前後外れ以外リーチに該当し、Ｃ３＝２２〜２３８が完全外れに該当する。ここでリーチであると判断された場合（ステップＳ９０９：ＹＥＳ）、ステップＳ９１０へ移行する。一方、リーチでないと判断された場合（ステップＳ９０９：ＮＯ）、すなわち「完全外れ」である場合には、ステップＳ９１５にて外れ変動パターンを決定し、ステップＳ９１６にて完全外れ図柄を図柄コマンドに設定して、ステップＳ９１７へ移行する。
【０２３５】
ステップＳ９１０では、前後外れリーチであるか否かを判断する。ここで前後外れリーチであると判断された場合（ステップＳ９１０：ＹＥＳ）、ステップＳ９１１にて外れ変動パターンを決定し、ステップＳ９１２にて前後外れ図柄を図柄コマンドに設定して、ステップＳ９１７へ移行する。一方、前後外れリーチでないと判断された場合（ステップＳ９１０：ＮＯ）、すなわち前後外れ以外リーチである場合には、ステップＳ９１３にて外れ変動パターンを決定し、ステップＳ９１４にて前後外れ以外図柄を図柄コマンドに設定して、ステップＳ９１７へ移行する。
【０２３６】
上記ステップＳ９１１，ステップＳ９１３，ステップＳ９１５で外れ変動パターンを決定する際、ＲＡＭ５０３のカウンタ用バッファに格納されている変動種別カウンタＣＳ１，ＣＳ２の値に基づいて変動パターンが決定されるのは前記ステップＳ９０４等と同様である。
【０２３７】
ここで、第１変動種別カウンタＣＳ１の数値と変動種別との対応関係について説明する。例えば通常モード中の前後外れリーチ時においては、図２０（ｂ）に示すような通常モード中前後外れリーチ時テーブルによって前記対応関係が規定されている。すなわち、ＣＳ１＝０〜９のときは、ＣＳ２の値に関わらず、変動パターンコマンドに「ＦＦ１１」（ノーマルリーチ）が設定される。ＣＳ１＝１０〜１９８かつＣＳ２＝０〜９０のときは、変動パターンコマンドに「ＦＦ１２」（スーパーリーチＳＲ１）が設定される。ＣＳ１＝１０〜１９８かつＣＳ２＝９１〜１７０のときは、変動パターンコマンドに「ＦＦ１３」（スーパーリーチＳＲ２）が設定される。ＣＳ１＝１０〜１９８かつＣＳ２＝１７１〜２４０のときは、変動パターンコマンドに「ＦＦ１４」（スーパーリーチＳＲ３）が設定される。また、前後外れ以外リーチ時（Ｃ３＝２〜２１）においては、変動種別カウンタＣＳ１，ＣＳ２の値にかかわらずノーマルリーチとなり、変動パターンコマンドに「ＦＦ１１」が設定される。また、完全外れ時（Ｃ３＝２２〜２３８）においては、変動種別カウンタＣＳ１，ＣＳ２の値にかかわらず、変動パターンコマンドに「ＦＦ１０」が設定される。
【０２３８】
また、ステップＳ９１２，ステップＳ９１４，ステップＳ９１６における図柄コマンドが外れの図柄の組合わせの所定区分を指示するものであることも、上記ステップＳ９０５等と同様である。具体的には、前後外れ図柄の組合わせを示す「Ａ３」が図柄コマンドに設定されると（ステップＳ９１２）、当該図柄コマンドを受信したサブ制御装置２６２は、ＲＡＭ５５３の前後外れリーチ図柄バッファに格納されている前後外れリーチに対応する図柄の組合わせを停止図柄として決定する。前後外れ以外図柄の組合わせを示す「Ａ４」が図柄コマンドに設定されると（ステップＳ９１４）、ＲＡＭ５５３の前後外れ以外リーチ図柄バッファに格納されている前後外れ以外リーチに対応する図柄の組合わせを、サブ制御装置２６２が停止図柄として決定する。完全外れ図柄の組合わせを示す「Ａ５」が図柄コマンドに設定されると（ステップＳ９１６）、ＲＡＭ５５３の完全外れ図柄バッファに格納されている完全外れに対応する図柄の組合わせを、サブ制御装置２６２が停止図柄として決定する。
【０２３９】
さて、ステップＳ９１７では、特別表示装置４３において色換え表示（変動表示）を行う条件が成立したことを示す開始設定処理を行う。この開始設定処理では、表示タイマの設定処理が行われる。表示タイマとは、変動時間を計測する手段であり、変動表示開始から所定時間が経過したか否かを判別する際に参酌される。例えば変動時間が１０秒（１００００ｍｓｅｃ）の場合には１００００ｍｓｅｃと設定される。そして、後述するように表示タイマは通常処理が１回行われる毎に４ｍｓｅｃずつ減算されていく。なお、本実施形態における特別表示装置４３の変動表示時間は、上記変動種別カウンタＣＳ１，ＣＳ２により選出される装飾図柄の変動パターンに対応した値が設定される。このような表示タイマの設定に基づき、次回の通常処理の外部出力処理において、特別表示装置４３に対し色換え表示（変動表示）を開始する旨の制御信号が出力された場合には、特別表示装置４３において色換え表示が開始される。特別表示装置４３は上述したような３色ＬＥＤであり、点灯している色が赤であれば緑、緑であれば青、青であれば赤へ色換えを行う。そして、ステップＳ９１７の終了後、変動表示設定処理を終了する。
【０２４０】
図１７の説明に戻り、ステップＳ８０２がＹＥＳ、すなわち変動表示中である場合には、ステップＳ８０７に進み、表示タイマ減算処理を行う。この処理が１回行われる毎に表示タイマの値が４ｍｓｅｃずつ減算されていく。例えば、１００００ｍｓｅｃの表示タイマが設定された場合には、当該表示タイマの設定された回の次回の通常処理における表示タイマ減算処理において表示タイマの値は９９９６ｍｓｅｃとなる。
【０２４１】
続いてステップＳ８０８に進み、上記減算後の表示タイマの値を参酌して所定の変動時間が経過したか否かを判別する。このとき、所定の変動時間が経過した時すなわち表示タイマの値が「０」となった時にステップＳ８０８が肯定判別される。ステップＳ８０８で肯定判別された場合には、ステップＳ８０９において上記表示タイマを解除〔オフ（クリア）〕し、ステップＳ８１０において特別表示装置４３にて停止表示を行うための停止表示設定を行う。そして、この停止表示設定の設定内容に基づき、次回の通常処理における外部出力処理において、特別表示装置４３に対し停止表示を行う旨の制御信号が出力される。すなわち、高確率モードへの移行を伴う確変大当たりである場合には赤色を停止表示（例えば数秒間だけ点灯）させ、時間短縮モードへの移行を伴う通常大当たりである場合には緑色を停止表示させ、外れである場合には青色を停止表示させる。繰り返しとなるが、このような特別表示装置４３による停止表示が主となる表示であり、装飾図柄表示装置４２による装飾図柄の表示はあくまでも補助的なものとなっている。
【０２４２】
続いてステップＳ８１１に進み、判別情報設定処理を行う。より詳しくは、図１９に示すように、ステップＳ１００１において、停止表示が大当たりに対応するか否かを判別する。ここで、大当たりに対応する場合には、ステップＳ１００２へ移行し、大当たり設定を行う。具体的には、大当たりフラグ、可変フラグ、可変タイマ及びラウンド数カウンタの設定処理を行う。そして、ステップＳ１００２の終了後、判別情報設定処理を終了する。
【０２４３】
大当たりフラグとは、特別遊技状態としての大当たり状態か否かを判別するための状態判別情報であり、ここでは大当たり状態の発生を示す「１」がフラグ値として設定される。大当たりフラグの値は、大当たり乱数カウンタＣ１の値に基づき決定される。
【０２４４】
可変フラグとは、可変入賞装置３２が開状態中であるか否かを判別するための判別情報である。
【０２４５】
可変タイマとは、可変入賞装置３２の開放時間を計測する手段であり、開放開始から規定時間が経過したか否かを判別する際に参酌される。
【０２４６】
ラウンド数カウンタとは、後述するように大当たり状態中に実行されるラウンド数（特賞状態発生回数、つまり可変入賞装置３２の開閉処理の実行回数）を判別するための判別情報であり、本処理では１５ラウンドを示す「１５」が値として設定される。
【０２４７】
さて、ステップＳ１００１において、大当たりに対応しない、すなわち外れであると判別された場合には、ステップＳ１００３へ移行する。
【０２４８】
ステップＳ１００３では、変動回数カウンタの設定の有無を判別する。変動回数カウンタとは、時間短縮状態の継続期間（変動表示何回分か）を計測するための手段であり、後述するように通常大当たり終了後にカウンタ値として「１００」が設定される。
【０２４９】
ここで、変動回数カウンタが解除されている場合（オフ状態の場合）には、そのまま本処理を終了する。一方、変動回数カウンタが設定されている場合（オン状態の場合）には、時間短縮状態の設定中とみなし、ステップＳ１００４において、変動回数カウンタの値を１減算する処理を行い、ステップＳ１００５へ移行する。
【０２５０】
ステップＳ１００５では、変動回数カウンタの値が残り０カウントか否かを判別する。つまり、今回の変動表示が、通常大当たりの終了後（時間短縮状態の付与後）、１００回目の変動表示であったか否かを判別する。ここで、変動回数カウンタの値が残り０カウントであれば、ステップＳ１００６において後述する高入球状態フラグをリセットする（「０」にする）処理を行い、ステップＳ１００７において後述する時間短縮状態フラグをリセットする（「０」にする）処理を行い、ステップＳ１００８において変動回数カウンタを解除（オフ）する処理を行い、本処理を終了する。
【０２５１】
一方、ステップＳ１００５で、変動回数カウンタの値が残り０カウントでないと判別された場合には、そのまま本処理を終了する。
【０２５２】
図１７の説明に戻り、ステップＳ８１１の判別情報設定処理の終了後、第１表示制御処理を終了する。また、上記ステップＳ８０８で否定判別された場合には、ステップＳ８１２において、特別表示装置４３のＬＥＤの色換え表示（変動表示）を継続して行うための色換え表示設定を行い、本処理を終了する。そして、この色換え表示設定の設定内容に基づき、次回の通常処理における外部出力処理において、特別表示装置４３に対し色換え表示を行う旨の制御信号が出力される。具体的には、現在の点灯色が赤であれば緑、緑であれば青、青であれば赤への色換えを行うよう設定する。これによって、第１表示制御処理のタイミング、すなわち４ｍｓ毎に特別表示装置４３のＬＥＤの色換え表示（変動表示）が実現される。なお、本実施形態では、停止表示設定処理（ステップＳ８１０）の後に、判別情報設定処理（ステップＳ８１１）を行う構成となっているが、これに限らず、例えば、変動表示設定処理（ステップＳ８０６）の後に行う構成としてもよい。
【０２５３】
次に上記ステップＳ２０６の可変入賞装置制御処理について図２１のフローチャートを参照して説明する。
【０２５４】
まず、ステップＳ１２０１において可変入賞装置３２の可変フラグがオンであるか否かを判別する。ここで、可変フラグがオンでない（オフである）と判別された場合、そのまま本処理を終了する。
【０２５５】
上述したように可変フラグとは、可変入賞装置３２が開状態中であるか否かを判別するための判別情報であり、上記ステップＳ１２０１の判別処理に際しては、可変フラグが設定されている場合（オン状態の場合）には開状態中とみなされ、可変フラグが解除されている場合（オフ状態の場合）には閉状態中であるとみなされる。
【０２５６】
そして、この可変フラグのオンオフ状況に基づき、次回の通常処理の外部出力処理において、可変入賞装置３２に対し各種制御信号が出力される。可変フラグがオンの場合には可変入賞装置３２に対し大入賞口を開放する旨の制御信号が出力され、可変入賞装置３２が開状態となる。一方、可変フラグがオフの場合には可変入賞装置３２に対し大入賞口を閉鎖する旨の制御信号が出力され、可変入賞装置３２が閉状態となる。
【０２５７】
一方、上記ステップＳ１２０１において肯定判別された場合、すなわち可変フラグがオンである場合は可変入賞装置３２が開状態であるとみなし、ステップＳ１２０２において可変タイマ減算処理を行う。この処理が１回行われる毎に可変タイマの値が４ｍｓｅｃずつ減算されていく。
【０２５８】
続いてステップＳ１２０３に進み、上記減算後の可変タイマの値を参酌して、規定された開放時間が経過したか否かを判別する。ここでは、規定された開放時間を経過した時、すなわち可変タイマの値が「０」となった時にステップＳ１２０３が肯定判別される。そして、ステップＳ１２０３で肯定判別された場合にはステップＳ１２０４へ移行する。
【０２５９】
また、ステップＳ１２０３で否定判別された場合には、ステップＳ１２０５において可変入賞装置３２へ入賞した遊技球の球数が規定個数に達したか否かを判別する。ここで肯定判別された場合には、ステップＳ１２０４へ移行する。一方、ステップＳ１２０５で否定判別された場合、すなわち可変入賞装置３２への入賞個数が規定個数に達していない場合には、そのまま本処理を終了する。従って、可変入賞装置３２は、規定された開放時間が経過するまで又は規定個数の遊技球が入賞するまで開状態を維持し、前記条件が成立すると閉状態となる。
【０２６０】
ステップＳ１２０４に進み、上記ラウンド数カウンタの値を参酌して可変入賞装置３２の開放回数、すなわち実行したラウンド数が規定回数の達したか（ラウンド数カウンタの値が０か）否かを判別する。ここで、ラウンド数が規定回数に達していない場合には、ステップＳ１２０６において、ラウンド数カウンタの値を１減算し、そのまま本処理を終了する。つまり、実行したラウンド数が、事前に設定された規定回数に達するまで上記開閉処理が繰り返し行われる。
【０２６１】
一方、ステップＳ１２０４において、ラウンド数が規定回数に達していると判別された場合には、ステップＳ１２０７において終了設定処理を行い、本処理を終了する。
【０２６２】
ステップＳ１２０７の終了設定処理では、上記可変フラグ及び可変タイマのリセット処理（解除処理）、大当たりフラグのリセット処理、ラウンド数カウンタのリセット処理、高確率状態フラグの設定処理、時間短縮状態フラグの設定処理、高入球状態フラグの設定処理、変動回数カウンタの設定処理などが行われる。
【０２６３】
より詳しくは、可変フラグ及び可変タイマのリセット処理により、可変フラグ及び可変タイマが解除（オフ）される。
【０２６４】
大当たりフラグのリセット処理では、大当たり状態の終了を示す「０」がフラグ値として設定される。
【０２６５】
ラウンド数カウンタのリセット処理により、ラウンド数カウンタが解除（オフ）される。
【０２６６】
高確率状態フラグとは、遊技モードが高確率状態か否かを判別するための状態判別情報であり、前記高確率状態フラグの設定処理では、第１保留球格納エリアの実行エリアに格納されているモード決定カウンタＣ２の値に基づいて、フラグ値の切換設定が行われる。これにより、大当たり終了後に高確率モードが設定される場合（確変大当たり）には、高確率状態の発生を示す「１」がフラグ値として設定され、時間短縮モードが設定される場合（通常大当たり）には、低確率状態の発生を示す「０」がフラグ値として設定される。
【０２６７】
時間短縮状態フラグとは、遊技モードが時間短縮状態か否かを判別するための状態判別情報であり、前記時間短縮状態フラグの設定処理では、時間短縮状態を発生させる旨を示す「１」がフラグ値として設定される。
【０２６８】
高入球状態フラグとは、遊技モードが高入球状態か否かを判別するための状態判別情報であり、前記高入球状態フラグの設定処理では、高入球状態を発生させる旨を示す「１」がフラグ値として設定される。
【０２６９】
変動回数カウンタとは、上述したように時間短縮状態の継続期間（変動表示何回分か）を計測するための手段であり、前記変動回数カウンタの設定処理では、上記高確率状態フラグの設定処理と同様にモード決定カウンタＣ２の値に基づいて、変動回数カウンタの切換設定が行われる。これにより、大当たり終了後に高確率モードが設定される場合（確変大当たり）には、変動回数カウンタは解除（オフ）される。一方、時間短縮モードが設定される場合（通常大当たり）には、変動回数カウンタの値として変動表示１００回分に相当する「１００」が設定される。
【０２７０】
次に、前記ステップＳ２０７の第２表示制御処理について図２２のフローチャートを参照して説明する。
【０２７１】
図２２において、ステップＳ２１０１では、表示タイマの設定状況を見て普通図柄表示装置４１による切換表示（変動表示）中であるか否かを判別する。詳しくは、表示タイマが設定されている場合（オン状態の場合）には変動表示中とみなされ、表示タイマが解除されている場合（オフ状態の場合）には、変動表示が停止した状態にあたる停止表示中であるとみなされる。そして、変動表示中でもない場合、ステップＳ２１０２に進み、保留球数Ｎが０よりも大きいか否かを判別する。このとき、保留球数Ｎが０である場合には、そのまま本処理を終了する。
【０２７２】
また、変動表示中でなく且つ保留球数Ｎ＞０であれば、ステップＳ２１０３に進む。ステップＳ２１０３では、保留球数Ｎから１を減算する。ステップＳ２１０４では、第２保留球格納エリアに格納されたデータをシフトさせる処理を実行する。このデータシフト処理は、第２保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。
【０２７３】
その後、ステップＳ２１０５では、開始設定処理を実行する。この処理では、普通図柄表示装置４１において切換表示（変動表示）を行う条件が成立したことを示す処理を行う。詳しくは普通図柄表示装置４１の表示タイマの設定処理が行われる。表示タイマとは、変動時間を計測する手段であり、変動表示開始から所定時間が経過したか否かを判別する際に参酌される。なお、本実施形態における普通図柄表示装置４１の変動表示時間は、上述したように高入球状態と低入球状態とでそれぞれ予め設定されている。このような表示タイマの設定に基づき、次回の通常処理の外部出力処理において、普通図柄表示装置４１に対し切換表示（変動表示）を開始する旨の制御信号が出力された場合には、普通図柄表示装置４１において切換表示が開始される。上述したように普通図柄表示装置４１は、普通図柄として「○」又は「×」を点灯表示するように構成されており、表示されているのが「○」であれば「×」、「×」であれば「○」へ切換え表示する。そして、ステップＳ２１０５の終了後、第２表示制御処理を終了する。
【０２７４】
さて、ステップＳ２１０１がＹＥＳ、すなわち変動表示中である場合には、ステップＳ２１０６に進み、表示タイマ減算処理を行う。この処理が１回行われる毎に表示タイマの値が４ｍｓｅｃずつ減算されていく。
【０２７５】
続いてステップＳ２１０７に進み、上記減算後の表示タイマの値を参酌して所定の変動時間が経過したか否かを判別する。このとき、所定の変動時間が経過した時すなわち表示タイマの値が「０」となった時にステップＳ２１０７が肯定判別される。ステップＳ２１０７で肯定判別された場合には、ステップＳ２１０８において上記表示タイマを解除〔オフ（クリア）〕し、ステップＳ２１０９において普通図柄表示装置４１にて停止表示を行うための停止表示設定を行う。そして、この停止表示設定の設定内容に基づき、次回の通常処理における外部出力処理において、普通図柄表示装置４１に対し停止表示を行う旨の制御信号が出力される。すなわち、当選である場合には「○」図柄（当選図柄）を停止表示（例えば数秒間だけ点灯）させ、外れである場合には「×」図柄を停止表示させる。
【０２７６】
なお、上述したように、第２保留球格納エリアの実行エリアに格納されている普通図柄乱数カウンタＣ４の値に基づいて当選か否かが判別される。具体的には、当選か否かは普通図柄乱数カウンタＣ４の値とその時々のモードとの関係に基づいて判別され、前述した通り通常モード等の低入球状態では普通図柄乱数カウンタＣ４の数値０〜２５０のうち「５〜１５３」が当たり値であり、高確率モード等の高入球状態では「５〜２２８」が当たり値である。
【０２７７】
続いてステップＳ２１１０に進み、判別情報設定処理を行い、本処理を終了する。この処理において、停止表示が当選に対応する場合には、第１契機対応ユニット３３の開閉部材３３ｃの開閉処理を行うための設定処理を行う。具体的には、可変フラグ、可変タイマ及び開放回数カウンタの設定処理を行う。
【０２７８】
可変フラグとは、第１契機対応ユニット３３の開閉部材３３ｃが開状態中であるか否かを判別するための判別情報である。
【０２７９】
可変タイマとは、第１契機対応ユニット３３の開閉部材３３ｃの開放時間を計測する手段であり、開放開始から規定時間が経過したか否かを判別する際に参酌される。
【０２８０】
開放回数カウンタとは、第１契機対応ユニット３３の開閉部材３３ｃの開閉処理の実行回数を判別するための判別情報である。
【０２８１】
一方、ステップＳ２１０７で否定判別された場合には、ステップＳ２１１１において、普通図柄表示装置４１の切換表示（変動表示）を継続して行うための切換え表示設定を行い、本処理を終了する。そして、この切換え表示設定の設定内容に基づき、次回の通常処理における外部出力処理において、普通図柄表示装置４１に対し切換え表示を行う旨の制御信号が出力される。具体的には、現在の点灯が「○」であれば「×」、「×」であれば「○」へ切換え表示する。これによって、第２表示制御処理のタイミング、すなわち４ｍｓ毎に普通図柄表示装置４１の切換表示（変動表示）が実現される。
【０２８２】
次に上記ステップＳ２０８の契機対応ユニット制御処理について図２３のフローチャートを参照して説明する。
【０２８３】
まず、ステップＳ２２０１において第１契機対応ユニット３３の可変フラグがオンであるか否かを判別する。ここで、可変フラグがオンでない（オフである）と判別された場合、そのまま本処理を終了する。
【０２８４】
上述したように可変フラグとは、第１契機対応ユニット３３の開閉部材３３ｃ（下入賞口３３ｂ）が開状態中であるか否かを判別するための判別情報であり、上記ステップＳ２２０１の判別処理に際しては、可変フラグが設定されている場合（オン状態の場合）には開状態中とみなされ、可変フラグが解除されている場合（オフ状態の場合）には閉状態中であるとみなされる。
【０２８５】
そして、この可変フラグのオンオフ状況に基づき、次回の通常処理の外部出力処理において、第１契機対応ユニット３３に対し各種制御信号が出力される。可変フラグがオンの場合には第１契機対応ユニット３３に対し開閉部材３３ｃを開放する旨の制御信号が出力され、第１契機対応ユニット３３の下入賞口３３ｂが開状態となる。一方、可変フラグがオフの場合には第１契機対応ユニット３３に対し開閉部材３３ｃを閉鎖する旨の制御信号が出力され、第１契機対応ユニット３３の下入賞口３３ｂが閉状態となる。
【０２８６】
一方、上記ステップＳ２２０１において肯定判別された場合、すなわち可変フラグがオンである場合は第１契機対応ユニット３３の下入賞口３３ｂが開状態であるとみなし、ステップＳ２２０２において可変タイマ減算処理を行う。この処理が１回行われる毎に可変タイマの値が４ｍｓｅｃずつ減算されていく。
【０２８７】
続いてステップＳ２２０３に進み、上記減算後の可変タイマの値を参酌して、規定された開放時間が経過したか否かを判別する。ここでは、規定された開放時間を経過した時、すなわち可変タイマの値が「０」となった時にステップＳ２２０３が肯定判別される。そして、ステップＳ２２０３で肯定判別された場合にはステップＳ２２０４へ移行する。
【０２８８】
また、ステップＳ２２０３で否定判別された場合には、ステップＳ２２０５において第１契機対応ユニット３３（上入賞口３３ａ及び下入賞口３３ｂ）へ入賞した遊技球の球数が規定個数に達したか否かを判別する。ここで肯定判別された場合には、ステップＳ２２０４へ移行する。一方、ステップＳ２２０５で否定判別された場合、すなわち第１契機対応ユニット３３への入賞個数が規定個数に達していない場合には、そのまま本処理を終了する。従って、第１契機対応ユニット３３は、規定された開放時間が経過するまで又は規定個数の遊技球が入賞するまで下入賞口３３ｂの開状態を維持し、前記条件が成立すると閉状態となる。
【０２８９】
ステップＳ２２０４に進み、上記開放回数カウンタの値を参酌して第１契機対応ユニット３３の開閉部材３３ｃの開放回数が規定回数の達したか（開放回数カウンタの値が０か）否かを判別する。ここで、開放回数が規定回数に達していない場合には、ステップＳ２２０６において、開放回数カウンタの値を１減算し、そのまま本処理を終了する。つまり、事前に設定された規定回数に達するまで上記開閉処理が繰り返し行われる。
【０２９０】
一方、ステップＳ２２０４において、開放回数が規定回数に達していると判別された場合には、ステップＳ２２０７において終了設定処理を行い、本処理を終了する。
【０２９１】
ステップＳ２２０７の終了設定処理では、上記可変フラグ及び可変タイマのリセット処理（解除処理）、開放回数カウンタのリセット処理などが行われる。
【０２９２】
より詳しくは、可変フラグ及び可変タイマのリセット処理により、可変フラグ及び可変タイマが解除（オフ）される。また、開放回数カウンタのリセット処理により、開放回数カウンタが解除（オフ）される。
【０２９３】
次に、払出制御装置３１１内のＣＰＵ５１１により実行される払出制御について説明する。説明の便宜上、まず図２４を参照して受信割込み処理を説明し、その後図２５を参照してメイン処理を説明する。
【０２９４】
図２４は、払出制御装置３１１により実行される受信割込み処理を示すフローチャートである。受信割込み処理は、主制御装置２６１から送信されるコマンドを払出制御装置３１１が受信した場合に割り込んで実行される処理である。主制御装置２６１から送信されたコマンドが受信されたことを払出制御装置３１１が確認すると、払出制御装置３１１内のＣＰＵ５１１により実行される他の処理を一端待機させ、受信割込み処理が実行される。受信割込み処理が実行されると、まずステップＳ３００１において主制御装置２６１から送信されたコマンドをＲＡＭ５１３のコマンドバッファに記憶し、ステップＳ３００２において主制御装置２６１からコマンドが送信されたことを記憶するためにコマンド受信フラグをオンして、本受信割込み処理を終了する。上述したように、コマンドがコマンドバッファに記憶される場合には、ライトポインタが参照されて所定の記憶領域に記憶されると共に、次に受信したコマンドを次の記憶領域に記憶させるためにライトポインタが更新される。
【０２９５】
なお、本実施形態では、主制御装置２６１から送信されるコマンドの受信処理は、そのコマンドが受信されたときに実行される割込処理で行われるものとしたが、例えば、図２６に示したタイマ割込処理において、コマンド判定処理（ステップＳ３２０１）が行われる前に、コマンドが受信されたか否かを確認し、コマンドが受信されている場合にはそのコマンドをＲＡＭ５１３のコマンドバッファへ記憶してコマンド受信フラグをオンするとともに、コマンドが受信されていない場合にはコマンド判定処理へ移行するものとしてもよい。かかる場合には、所定間隔毎に入出力ポートのコマンド入力に対応するポートを確認することで、コマンドが受信されたか否かを確認する。
【０２９６】
次に、払出制御装置３１１のメイン処理について図２５を参照して説明する。図２５は、払出制御装置３１１のメイン処理を示すフローチャートであり、このメイン処理は電源投入時のリセットに伴い起動される。
【０２９７】
先ず始めに、ステップＳ３１０１では、電源投入に伴う初期設定処理を実行する。具体的には、スタックポインタに予め決められた所定値を設定すると共に、割込みモードを設定する。そして、ステップＳ３１０３でＲＡＭアクセスを許可すると共に、ステップＳ３１０４で外部割込みベクタの設定を行う。
【０２９８】
その後、ステップＳ３１０６では、ＲＡＭ５１３のバックアップエリア５１３ａに電源断の発生情報が設定されているか否かを判別する。そして、バックアップエリア５１３ａに電源断の発生情報が設定されていれば、ステップＳ３１０７でＲＡＭ判定値を算出し、続くステップＳ３１０８で、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０２９９】
ステップＳ３１０６で電源断の発生情報が設定されていない場合や、ステップＳ３１０８でＲＡＭ判定値（チェックサム値等）によりバックアップの異常が確認された場合には、ステップＳ３１１５以降のＲＡＭ５１３の初期化処理へ移行する。
【０３００】
ステップＳ３１１５ではＲＡＭ５１３の全領域を０にクリアし、ステップＳ３１１６ではＲＡＭ５１３の初期値を設定する。その後、ステップＳ３１１７ではＣＰＵ周辺デバイスの初期設定を行い、ステップＳ３１１４へ移行して割込みを許可する。
【０３０１】
一方、ステップＳ３１０６で電源断の発生情報が設定されていること、及びステップＳ３１０８でＲＡＭ判定値（チェックサム値等）が正常であることを条件に、復電時の処理（電源断復旧時の処理）を実行する。つまり、ステップＳ３１０９で電源断前のスタックポインタを復帰させ、ステップＳ３１１０で電源断の発生情報をクリアし、ステップＳ３１１１で賞球の払出を許可する払出許可フラグをクリアする。また、ステップＳ３１１２では、ＣＰＵ周辺デバイスの初期設定を行い、ステップＳ３１１３では、使用レジスタをＲＡＭ５１３のバックアップエリア５１３ａから復帰させる。さらに、ステップＳ３１１４では、割込みを許可する。
【０３０２】
ステップＳ３１１４で割込みが許可された後は、ステップＳ３１２２の処理において、バックアップエリア５１３ａに電源断の発生情報が設定されているか否かを判別する。ここで、電源断の発生情報が設定されていれば、電源が遮断されたことになるので、電源断時の停電処理としてステップＳ３１２３以降の処理が行われる。停電処理は、まずステップＳ３１２３において各割込み処理の発生を禁止し、次のステップＳ３１２４において後述するコマンド判定処理を実行する。その後、ステップＳ３１２５でＣＰＵ５１１が使用している各レジスタの内容をスタックエリアに退避し、ステップＳ３１２６でスタックポインタの値をバックアップエリア５１３ａに記憶し、ステップＳ３１２７でＲＡＭ判定値を算出してバックアップエリア５１３ａに保存し、ステップＳ３１２８でＲＡＭアクセスを禁止して、電源が完全に遮断して処理が実行できなくなるまで無限ループを継続する。ここで、ＲＡＭ判定値は、例えば、ＲＡＭ５１３のバックアップされるスタックエリア及び作業エリアにおけるチェックサム値である。
【０３０３】
なお、ステップＳ３１２２の処理は、電源投入時に行われる処理の終了後に電源断の発生情報を確認しているので、各処理が途中の場合と比較してＲＡＭ５１３のバックアップエリア５１３ａに記憶するデータ量が少なくなり、容易に記憶することができる。また、電源遮断前の状態に復帰する場合には、バックアップエリア５１３ａに記憶されているデータ量が少ないので、容易に復帰させることができ、払出制御装置３１１の処理の負担を軽減することができる。
【０３０４】
次に、図２６のフローチャートを参照して、払出制御装置３１１のタイマ割込み処理を説明する。このタイマ割込み処理は、定期的に（本実施の形態では２ｍｓｅｃ周期で）起動される。
【０３０５】
タイマ割込み処理では、まず、主制御装置２６１からのコマンドを取得し、そのコマンドの判定処理を行う（ステップＳ３２０１）。このコマンド判定処理について図２７を参照して以下に説明する。
【０３０６】
図２７は、払出制御装置３１１により行われるコマンド判定処理を示すフローチャートである。コマンド判定処理（ステップＳ３１２４，Ｓ３２０１）では、まず、ステップＳ３３０１においてコマンド受信フラグがオンされているか否かを判別する。コマンド受信フラグは、上述した受信割込み処理（図２４参照）において主制御装置２６１から送信されたコマンドを受信したときにオンされる。
【０３０７】
ステップＳ３３０１においてコマンド受信フラグがオフと判別されれば、新たなコマンドを主制御装置２６１から受信していないので、そのまま本処理を終了する。一方、ステップＳ３３０１でコマンド受信フラグがオンと判別されれば、ステップＳ３３０２において、その受信したコマンドをＲＡＭ５１３から読み出し、ステップＳ３３０３においてコマンド受信フラグをオフする。ステップＳ３３０３においてコマンド受信フラグをオフすることにより、新たにコマンドが受信されるまで、ステップＳ３３０２〜ステップＳ３３１１の処理をスキップできるので、払出制御装置３１１の制御を軽減することもできる。
【０３０８】
ステップＳ３３０４〜ステップＳ３３０６の処理でＲＡＭ５１３から読み出されたコマンドの種類が判別される。ステップＳ３３０４では主制御装置２６１から送信されたコマンドが払出初期化コマンドであるか否かが判別され、ステップＳ３３０５では払出復帰コマンドであるか否かが判別され、ステップＳ３３０６では賞球コマンドであるか否かが判別される。
【０３０９】
主制御装置２６１から送信されたコマンドが払出初期化コマンドであれば、ステップＳ３３０７で既に払出許可フラグがオンされているか否かが判別され、払出許可フラグがオフされていれば、電源投入時に主制御装置２６１からＲＡＭ５１３の初期化が指示されていることになるので、ステップＳ３３０８でＲＡＭ５１３のスタックエリア以外となる作業領域（エリア）を０にクリアし、ステップＳ３３０９でＲＡＭ５１３の初期値を設定する。その後、ステップＳ３３１１で払出許可フラグをオンして、賞球の払出許可が設定される。
【０３１０】
上述したように、主制御装置２６１は、払出初期化コマンドを送信した後に、ＲＡＭ５０３の初期化処理を行っており、払出制御装置３１１は、払出初期化コマンドを受信した後に、ＲＡＭ５１３の初期化処理を行っているので、ＲＡＭ５０３が初期化されるタイミングと、ＲＡＭ５１３が初期化されるタイミングとが略同時期となる。よって、初期化のタイミングがずれることにより、主制御装置２６１から送信されるコマンドを払出制御装置３１１が受信したとしても、ＲＡＭ５１３が初期化されてしまい、受信したコマンドに対応する制御が行えない等の弊害の発生を防止することができる。また、ＲＡＭ５１３が初期化された後に、払出許可フラグをオンするので、賞球の払出許可を確実に設定することができる。
【０３１１】
一方、ステップＳ３３０７で既に払出許可フラグがオンされていれば、ＲＡＭ５１３の作業領域のクリアと、ＲＡＭ５１３の初期化処理とを行わずに、本コマンド判定処理を終了する。すなわちステップＳ３３０７の処理は、払出許可フラグが設定された状態でＲＡＭ５１３が初期化されることを禁止している。なお、払出初期化コマンドは、電源投入時にＲＡＭ消去スイッチ３２３がオンされている場合のみ送信されるコマンドであるので、払出許可フラグがオンされた状態で受信することはなく、かかる場合には、ノイズなどの影響によって払出制御装置３１１が払出初期化コマンドとして認識してしまったことが考えられる。よって、払出許可フラグがオンされている状態で、ＲＡＭ５１３の作業領域のクリア（ステップＳ３３０８）と、ＲＡＭ５１３の初期値設定（ステップＳ３３０９）を実行すると、賞球が残っている場合に払出されないなどの弊害が生じて遊技者に損失を与えてしまうが、払出許可フラグがオンされている状態で、ＲＡＭ５１３が初期化されることを防止しているので、遊技者に損失を与えることを防止できる。
【０３１２】
また、主制御装置２６１から送信されたコマンドが払出復帰コマンドであれば（ステップＳ３３０４：ＮＯ、ステップＳ３３０５：ＹＥＳ）、主制御装置２６１及び払出制御装置３１１が電源遮断前の状態に復帰するので、賞球の払出を許可するためにステップＳ３３１１で払出許可フラグをオンする。すなわち、電源断の発生情報があり、主制御装置２６１と払出制御装置３１１が電源遮断前の状態に復帰した場合には、賞球の払出が許可される。ステップＳ３３１１の処理において払出許可フラグがオンされると、コマンドバッファの所定の記憶領域に記憶されたコマンドに基づく処理が終わったことになるので、リードポインタが次の記憶領域に対応したリードポインタに更新される。
【０３１３】
さらに、主制御装置２６１から送信されたコマンドが賞球コマンドであれば（ステップＳ３３０５：ＮＯ、ステップＳ３３０６：ＹＥＳ）、ステップＳ３３１０において、受信した賞球個数を総賞球個数に加算して記憶し、賞球の払出を許可するためにステップＳ３３１１で払出許可フラグをオンする。この際、払出制御装置３１１は、コマンドバッファ（リングバッファ）に記憶された賞球コマンドを順次読み出し、当該コマンドに対応する賞球個数を、所定のバッファ領域に記憶される総賞球個数に加算して記憶する。主制御装置２６１から送信される賞球コマンドに基づいて賞球個数に対応した賞球の払出しが行われるので、賞球コマンドは、賞球コマンドは賞球の払出しを指示する払出指示コマンドである。また、賞球コマンドが受信された場合には、即座に払出許可が設定されるので、入賞に対して早期に賞球の払出しを行うことができる。ステップＳ３３１１の処理において払出許可フラグがオンされると、コマンドバッファの所定の記憶領域に記憶されたコマンドに基づく処理が終わったことになるので、リードポインタが次の記憶領域に対応したリードポインタに更新される。
【０３１４】
なお、主制御装置２６１から送信されたコマンドが払出初期化コマンドでもなく（ステップＳ３３０４：ＮＯ）、払出復帰コマンドでもなく（ステップＳ３３０５：ＮＯ）、賞球コマンドでもなければ（ステップＳ３３０６：ＮＯ）、払出許可フラグをオンすることなく、コマンド判定処理を終了する。
【０３１５】
ここで、図２６のフローチャートに戻って説明する。コマンド判定処理が終わると、ステップＳ３２０２において、コマンド判定処理で払出許可フラグがオンされたか否かが判別される。ここで、払出許可フラグがオンされていなければ、そのまま本処理を終了する。つまり、主制御装置２６１からコマンドが送信される前に賞球の払出しが行われることを防止することができる。
【０３１６】
一方、ステップＳ３２０２で肯定判定されれば、ステップＳ３２０３で発射制御装置３１２に対して発射許可の設定を行い、ステップＳ３２０４で状態復帰スイッチ３２１をチェックして、状態復帰動作開始と判定した場合に状態復帰動作を実行する。この処理により、例えば払出モータの球詰まり等、払出エラーの発生時において状態復帰スイッチ３２１が押下されると、払出モータが正逆回転され、球詰まりの解消（正常状態への復帰）が図られる。
【０３１７】
その後、ステップＳ３２０５では、下皿１５の状態の変化に応じて下皿満タン状態又は下皿満タン解除状態の設定を実行する。すなわち、下皿満タンスイッチ（図示略）の検出信号により下皿１５の満タン状態を判別し、下皿満タンになった時、下皿満タン状態の設定を実行し、下皿満タンでなくなった時、下皿満タン解除状態の設定を実行する。また、ステップＳ３２０６では、タンク球の状態の変化に応じてタンク球無し状態（球切れ状態）又はタンク球無し解除状態（球有り状態）の設定を実行する。すなわち、タンク球無しスイッチ（図示略）の検出信号によりタンク球無し状態を判別し、タンク球無しになった特、タンク球無し状態の設定を実行し、タンク球無しでなくなった特、タンク球無し解除状態の設定を実行する。
【０３１８】
その後、ステップＳ３２０７では、例えば下皿満タンエラー、タンク球無しエラー、払出しエラーなど各種エラー状態が発生した場合のように、報知すべき状態がある場合には、その旨をエラー信号として主制御装置２６１へ送信する。
【０３１９】
続いて賞球及び貸球の払出制御処理を実行する。詳しくは、ステップＳ３２０８で払出個数設定処理を行い、ステップＳ３２０９においてモータ制御状態取得処理を行い、ステップＳ３２１０においてモータ駆動処理を行う。
【０３２０】
ステップＳ３２１１では、状態復帰スイッチ３２１をチェックして球抜き不可状態でないこと、及び球抜き動作開始でないことを条件に、払出装置３５８を駆動させ球抜き処理を実行する。その後、本タイマ割込み処理の先頭に戻る。
【０３２１】
次に、サブ制御装置２６２の処理ついて説明する。変動パターンコマンド、図柄コマンド等を入力したサブ制御装置２６２は、かかる各種コマンドに基づいて、装飾図柄表示装置４２の表示態様を決定し、該表示態様を装飾図柄表示装置４２において表示制御装置４５に表示させる。
【０３２２】
ここで、図２８のフローチャートを参照して、サブ制御装置２６２の通常処理ついてより詳しく説明する。この通常処理は、定期的に（本実施形態では４ｍｓｅｃ周期で）起動される。
【０３２３】
先ずステップＳ３９０１では、前回の処理で更新された設定内容に基づいた制御信号を各装置に送信する外部出力処理を実行する。例えば、装飾図柄表示装置４２による装飾図柄の変動表示に際して表示コマンドを表示制御装置４５に送信する。
【０３２４】
ステップＳ３９０２では、各種カウンタの更新処理を実行する。サブ制御装置２６２のＣＰＵ５５１は、装飾図柄の表示に際し各種カウンタ情報を用いる。具体的には、図２９に示すように、大当たり時装飾図柄カウンタＣ５と、上列、中列及び下列の各外れ図柄の設定に使用する上・中・下の各外れ図柄カウンタＣＬ，ＣＭ，ＣＲとを用いることとしている。外れ図柄カウンタＣＬ，ＣＭ，ＣＲは、ＣＰＵ５５１内のＲレジスタ（リフレッシュレジスタ）を用いてレジスタ値が加算され、結果的に数値がランダムに変化する構成となっている。
【０３２５】
大当たり時装飾図柄カウンタＣ５は、大当たりの際、装飾図柄表示装置４２の変動停止時の図柄（大当たり図柄）を決定するものであり、本実施形態では、装飾図柄表示装置４２において装飾図柄は、確変図柄が５通り、通常図柄が５通り設定されている。従って、大当たり時装飾図柄カウンタＣ５としては、５個（０〜４）のカウンタ値が用意されている。すなわち、大当たり時装飾図柄カウンタＣ５は、０〜４の範囲内で順に１ずつ加算され、上限値（つまり４）に達した後０に戻る構成となっている。そして、主制御装置２６１から送信された図柄コマンドが確変図柄の組合わせを示す「Ａ１」である場合、図示しないテーブル（カウンタ値と装飾図柄とを対応付けるテーブル）に基づいて、例えば、カウンタ値が０であれば「１」（のゾロ目）、１であれば「３」（のゾロ目）、２であれば「５」（のゾロ目）、３であれば「７」（のゾロ目）、４であれば「９」（のゾロ目）という具合に、確変図柄の組合わせを決定する。また、図柄コマンドが通常図柄の組合わせを示す「Ａ２」である場合、図示しないテーブル（カウンタ値と装飾図柄とを対応付けるテーブル）に基づいて、例えば、カウンタ値が０であれば「０」（のゾロ目）、１であれば「２」（のゾロ目）、２であれば「４」（のゾロ目）、３であれば「６」（のゾロ目）、４であれば「８」（のゾロ目）という具合に通常図柄の組合わせを決定する。この大当たり時装飾図柄カウンタＣ５はステップＳ３９０２のカウンタ更新処理にて定期的に更新され、後述するようにサブ制御装置２６２が図柄コマンドを受信するタイミングでＲＡＭ５５３のカウンタ用バッファから読み出す。なお、本実施形態では大当たり時装飾図柄カウンタＣ５はＲＡＭ５５３の大当たり時装飾図柄カウンタバッファに格納されるものとしたが、バッファに格納せず、図柄コマンドを受信したタイミングなどでカウンタ値を参照するようにしてもよい。
【０３２６】
上・中・下の各外れ図柄カウンタＣＬ，ＣＭ，ＣＲは、大当たり抽選が外れとなった時に上列装飾図柄、中列装飾図柄、下列装飾図柄の停止図柄（外れ図柄の組合わせ）を決定するものであり、各列では１０の装飾図柄の何れかが表示されることから、各々に１０個（０〜９）のカウンタ値が用意されている。外れ図柄カウンタＣＬにより上図柄列の停止図柄が決定され、外れ図柄カウンタＣＭにより中図柄列の停止図柄が決定され、外れ図柄カウンタＣＲにより下図柄列の停止図柄が決定される。
【０３２７】
本実施形態では、ＣＰＵ５５１に内蔵のＲレジスタの数値を用いることにより各カウンタＣＬ，ＣＭ，ＣＲの値をランダムに更新する構成としている。すなわち、各外れ図柄カウンタＣＬ，ＣＭ，ＣＲの更新時には、前回値にＲレジスタの下位３ビットの値が加算され、その加算結果が上限値を超えた場合に１０減算されて今回値が決定される。各外れ図柄カウンタＣＬ，ＣＭ，ＣＲは更新時期が重ならないようにして更新され、それら外れ図柄カウンタＣＬ，ＣＭ，ＣＲの組合わせが、ＲＡＭ５５３の前後外れリーチ図柄バッファ、前後外れ以外リーチ図柄バッファ及び完全外れ図柄バッファの何れかに格納される。
【０３２８】
ここで、各外れ図柄カウンタＣＬ，ＣＭ，ＣＲの更新処理を詳しく説明する。図３０に示すように、ステップＳ４００１では、上図柄列の外れ図柄カウンタＣＬの更新時期か否かを判別し、ステップＳ４００２では、中図柄列の外れ図柄カウンタＣＭの更新時期か否かを判別する。なお、上図柄列、中図柄列及び下図柄列の各外れ図柄カウンタＣＬ，ＣＭ，ＣＲが１回の更新処理で１つずつ順に更新されるように構成する。したがって、前回の更新処理において下図柄列の外れ図柄カウンタＣＲが更新されている場合、ステップＳ４００１で肯定判断されることになる。また、前回の更新処理において上図柄列の外れ図柄カウンタＣＬが更新されている場合、ステップＳ４００２で肯定判断されることになる。そして、上図柄列の更新時期（ステップＳ４００１がＹＥＳ）であればステップＳ４００３に進み、上図柄列の外れ図柄カウンタＣＬを更新する。また、中図柄列の更新時期（ステップＳ４００２がＹＥＳ）であればステップＳ４００４に進み、中図柄列の外れ図柄カウンタＣＭを更新する。さらに、下図柄列の更新時期（ステップＳ４００１、Ｓ４００２が共にＮＯ）であればステップＳ４００５に進み、下図柄列の外れ図柄カウンタＣＲを更新する。ステップＳ４００３〜Ｓ４００５の外れ図柄カウンタＣＬ，ＣＭ，ＣＲの更新では、前回のカウンタ値にＲレジスタの下位３ビットの値を加算すると共にその加算結果が上限値を超えた場合に１０を減算して、その演算結果を、外れ図柄カウンタＣＬ，ＣＭ，ＣＲの今回値とする。
【０３２９】
上記ＣＬ，ＣＭ，ＣＲの更新処理によれば、上図柄列、中図柄列及び下図柄列の各外れ図柄カウンタＣＬ，ＣＭ，ＣＲが１回の更新処理で１つずつ順に更新され、各カウンタ値の更新時期が重なることはない。これにより、更新処理を３回実行する毎に外れ図柄カウンタＣＬ，ＣＭ，ＣＲの１セット分が更新されるようになっている。
【０３３０】
その後、ステップＳ４００６では、上記更新した外れ図柄カウンタＣＬ，ＣＭ，ＣＲの組合わせがリーチ図柄の組合わせになっているか否かを判別し、リーチ図柄の組合わせである場合（Ｓ４００６がＹＥＳ）、さらにステップＳ４００７では、それが前後外れリーチであるか否かを判別する。外れ図柄カウンタＣＬ，ＣＭ，ＣＲが前後外れリーチ（前後外れ図柄）の組合わせである場合（Ｓ４００７がＹＥＳ）、ステップＳ４００８に進み、そのときの外れ図柄カウンタＣＬ，ＣＭ，ＣＲの組合わせをＲＡＭ５５３の前後外れリーチ図柄バッファに格納する。外れ図柄カウンタＣＬ，ＣＭ，ＣＲが前後外れ以外リーチ（前後外れ以外図柄）の組合わせである場合（Ｓ４００７がＮＯ）には、ステップＳ４００９に進み、そのときの外れ図柄カウンタＣＬ，ＣＭ，ＣＲの組合わせをＲＡＭ５５３の前後外れ以外リーチ図柄バッファに格納する。
【０３３１】
また、リーチ図柄以外の組合わせである場合（Ｓ４００６がＮＯ）、ステップＳ４０１０に進み、外れ図柄カウンタＣＬ，ＣＭ，ＣＲの組合わせが外れ図柄の組合わせになっているか否かを判別し、外れ図柄（完全外れ図柄）の組合わせになっていれば（Ｓ４０１０がＹＥＳ）、ステップＳ４０１１に進み、そのときの外れ図柄カウンタＣＬ，ＣＭ，ＣＲの組合わせをＲＡＭ５５３の完全外れ図柄バッファに格納する。なお、ステップＳ４００６、Ｓ４０１０が共にＮＯの場合は、上・中・下で図柄が揃っている、すなわち大当たり図柄の組合わせに相当するが、かかる場合、外れ図柄カウンタＣＬ，ＣＭ，ＣＲをバッファに格納することなくそのまま本処理を終了する。
【０３３２】
図２８の説明に戻り、ステップＳ３９０３において、主制御装置２６１から送信されたコマンドが受信されたか否かを判別する。この場合、入出力ポート５５４のコマンド入力に対応するポートを確認することで、コマンドが受信されたか否かを確認する。そして、コマンドが受信されている場合には、ステップＳ３９０４においてそのコマンドをＲＡＭ５５３のコマンドバッファへ記憶する。一方、コマンドが受信されていない場合には、そのままステップＳ３９０６へ移行する。
【０３３３】
ＲＡＭ５５３のコマンドバッファは、主制御装置２６１から送信されるコマンドを一時的に記憶するものであり、上記同様のリングバッファで構成されている。
【０３３４】
続くステップＳ３９０５の演出設定処理では、例えばＲＡＭ５５３のコマンドバッファに格納された情報に基づき、表示制御装置４５へ出力する表示コマンドを生成する等の各種の演算処理及びコマンドの出力設定を行う。従って、ここで装飾図柄表示装置４２において表示する表示態様が決定され、変動パターンコマンドの変動時間に対応する値が変動時間計測タイマに設定される。この際、サブ制御装置２６２は、例えば図３１に示すような装飾図柄の変動種別と変動パターンコマンドとを対応付けるテーブルに基づいて処理を行う。
【０３３５】
なお、表示コマンドは、例えば変動表示の開始から終了までの一連の表示演出を指定するためのコマンドや、大当たり中の表示演出を指定するためのコマンドであり、コマンドバッファに格納された情報に基づいてその都度必要な表示コマンドが生成される。
【０３３６】
また、ここでは、図柄コマンドに基づいて停止図柄の決定もあわせて行う。なお、上述したことであるが、図柄コマンドに「Ａ１」が設定されている場合、１，３，５，７，９のゾロ目のいずれかの図柄の組合わせを停止図柄として決定する。一方、図柄コマンドに「Ａ２」が設定されている場合、０，２，４，６，８のゾロ目のいずれかの図柄の組合わせを停止図柄として決定する。また、図柄コマンドに「Ａ３」が設定されている場合、ＲＡＭ５５３の前後外れリーチ図柄バッファ（図２９参照）に格納されている図柄の組合わせを停止図柄として決定する。図柄コマンドに「Ａ４」が設定されている場合、前後外れ以外リーチ図柄バッファに格納されている図柄の組合わせを停止図柄として決定する。図柄コマンドに「Ａ５」が設定されている場合、完全外れ図柄バッファに格納されている図柄の組合わせを停止図柄として決定する。
【０３３７】
そして、これらの情報を基に表示制御装置４５へ出力する表示コマンドを生成する。通常、サブ制御装置２６２にて生成される変動表示に関わる表示コマンドは大別して通常変動データ群やリーチ演出データ群などからなり、基本的にはこれらデータ群を構成する各データが上記変動時間タイマを基に予め決められた時間順序に則して順次出力されることで、各種変動パターンに応じた表示演出が行われる。例えば、通常変動データ群が通常変動データ１，通常変動データ２，・・・，通常変動データｍからなり、リーチ演出データ群がリーチ演出データ１，リーチ演出データ２，・・・，リーチ演出データｎからなる場合には、通常変動の開始に伴い通常変動データ１→２→・・・→ｍの順でデータ出力が順次行われ、それに引き続きリーチ演出の開始に伴いリーチ演出データ１→２→・・・→ｎの順でデータ出力が順次行われる。
【０３３８】
そして、表示制御装置４５は、サブ制御装置２６２からの指令に応じて描画処理を行い、装飾図柄表示装置４２での図柄の変動表示を開始する。なお、主制御装置２６１から変動パターンコマンドが一旦受信されると、当該変動パターンに対応する変動時間が経過するまで（ステップＳ３９０５で設定された変動時間タイマが０になるまで）の間、サブ制御装置２６２と表示制御装置４５との協働のもとに図柄の変動表示が継続される。
【０３３９】
そして、主制御装置２６１によって大当たりが確定すると、特別表示装置４３にてその旨が表示されると共に、補助的に装飾図柄表示装置４２上で装飾図柄が大当たり図柄の組合せとなり、大当たりとして特別遊技動画が表示されるようになっている（大当たり状態が開始される）。
【０３４０】
ステップＳ３９０６では、音声類、ランプ類を駆動するための制御設定や、デモ画面表示中の表示制御設定などその他の処理を行い、その後、本処理を終了する。例えば、主制御装置２６１からエラー表示ランプ１０４の点滅制御を行う旨のコマンドを受信した場合には、エラー表示ランプ１０４を点滅制御するための設定を行う。
【０３４１】
以上詳述したように、本実施形態では、入賞口スイッチ２２１等から入力される信号レベルを監視して入球判定を行うと共に、異常監視タイマＣＴによって所定の入球有り判定時から所定の契機（第１規定時間又は第２規定時間の経過時）までの時間を計測し、その経過時間に基づき異常判定を行う構成となっている。そして、何らかの異常を検出した場合には、エラー表示ランプ１０４等の報知手段により遊技ホール関係者等に報知する。これにより、例えば上記「発明が解決しようとする課題」で例示したような電波ゴト（実際に入賞口スイッチ２２１等を通過する遊技球を検出することに基づき出力されるレベル信号を分断して検出回数を増やす電波ゴト。以下、「第１の電波ゴト」という。）や、上記不正大球を用いた電波ゴト（以下、「第２の電波ゴト」という。）等の不正行為を、電波検知センサを備えることなく早期発見し、ひいては当該不正行為を抑制することができる。
【０３４２】
なお、電波ゴト防止対策として電波検知センサを用いた場合には、以下に例示するような不具合が生じるおそれがある。例えば、複数の入球手段が配置された遊技領域全体を１つの電波検知センサによりカバーしようとした場合には、検出範囲の広い電波検知センサを用いなければならず、不正電波とは無関係の電波までも検出してしまうおそれがある。逆に、検出範囲の狭い電波検知センサを各入球手段に対応して設けた場合には、部品点数の増大、取付構造の複雑化、電気配線の煩雑化等を招くおそれがある。
【０３４３】
また、上記「第１の電波ゴト」を検出するにあたっては、不正行為とは無関係な電波等による影響を排除する必要があるため、本実施形態では、検出開始時の間隔が３６ｍｓｅｃ以下となるような異常が検出された回数を計数し、その回数が５０回以上となった場合にのみエラー報知する構成となっている。結果として、真の不正行為に対しより適切な対応をとることが可能となり、不正行為を効率よく防止することができる。ひいては、むやみに警報を発しないなど、遊技ホールにとっては、遊技者との無用なトラブルを回避し、円滑なホール運営を行うことができる。
【０３４４】
さらに、本実施形態では、上記「第１の電波ゴト」を検出するための時間計測と、上記「第２の電波ゴト」を検出するための時間計測とを共通の異常監視タイマＣＴにより行っているため、構成の簡素化を図ることができる。
【０３４５】
〔第２実施形態〕
以下、第２実施形態にかかる構成について説明する。但し、上記第１実施形態と同様の構成部分に関しては、同一符号を付し、その詳細な説明を省略する。
【０３４６】
まず遊技盤３０の構成について図３６を参照して説明する。遊技盤３０には、一般入賞口３１、可変入球手段としての可変入賞装置３２、始動入球手段としての始動入賞ユニット（第１契機対応ユニット）３３、スルーゲート（第２契機対応口）３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。
【０３４７】
始動入賞ユニット３３は、上入賞口３３ａ（第１始動入球手段）及び下入賞口３３ｂ（第２始動入球手段）と、下入賞口３３ｂの両側部に設けられた開閉する一対の開閉部材３３ｃを備えている。上入賞口３３ａは、遊技球が常時入球可能となっているのに対し、下入賞口３３ｂは、開閉部材３３ｃが所定条件の成立に応じて開閉動作することにより、遊技領域を流下する遊技球が入球可能な開状態と、遊技球が入球不可能な閉状態との間で状態変化可能に構成されている。尚、詳しくは後述するが、始動入賞ユニット３３は、上入賞口３３ａ、下入賞口３３ｂに入球した遊技球をそれぞれ検知する第１始動入賞スイッチ（第１契機対応ユニットスイッチ）２２４ａ、第２始動入賞スイッチ（第２契機対応ユニットスイッチ）２２４ｂを備えており、当該始動入賞スイッチ２２４ａ，２２４ｂにて遊技球が検知された場合に、大当たり状態を発生させるか否かの当否抽選が行われるとともに、特別表示装置４３Ｌ、４３Ｒ（及び装飾図柄表示装置４２）にて変動表示が行われる構成となっている。そして、当否抽選にて当選した場合には、大当たり状態が付与される。
【０３４８】
本実施形態では、大当たり種別として、「確変大当たり」、「通常大当たり」、「突確大当たり」及び「ＪＵＢ（Ｊｕｍｐ  Ｕｐ  Ｂｏｎｕｓ）大当たり」がある。
【０３４９】
図５３，５４に示すように、「確変大当たり」及び「通常大当たり」の大当たり状態においては、可変入賞装置３２の開閉部材３２ａが閉状態から開状態へ切換えられた後、規定時間の３０秒が経過すること又は可変入賞装置３２に規定個数の１０個の遊技球が入賞することを条件に閉状態となるまでの一開閉動作（以下、「長開放」という。）を１回の特賞状態として、これが最大で１０回（１０ラウンド）繰り返し行われる。
【０３５０】
「突確大当たり」の大当たり状態においては、可変入賞装置３２の開閉部材３２ａが閉状態から開状態へ切換えられた後、規定時間の０．４秒が経過すること又は可変入賞装置３２に規定個数の１個の遊技球が入賞することを条件に閉状態となるまでの一開閉動作（以下、「短開放」という。）を１回の特賞状態として、これが最大で１０回（１０ラウンド）繰り返し行われる。
【０３５１】
「ＪＵＢ大当たり」の大当たり状態においては、「短開放」を１回の特賞状態として、これが最大で１０回繰り返し行われた後、さらに「長開放」を１回の特賞状態として、これが最大で９回繰り返し行われる。換言すれば、１ラウンド目に最大で１０回の「短開放」が行われ、２ラウンド目〜１０ラウンド目にそれぞれ「長開放」が行われることとなる。
【０３５２】
上記のとおり、「確変大当たり」、「通常大当たり」及び「ＪＵＢ大当たり」の大当たり状態においては「長開放」が行われるため、遊技球の大幅な増加が望めるのであるが、「突確大当たり」の大当たり状態においては、「短開放」しか行われないため、大当たり状態中に獲得可能な遊技球の数が著しく少ない（遊技球の増加がほぼ望めない）ものとなる。
【０３５３】
また、「確変大当たり」、「突確大当たり」又は「ＪＵＢ大当たり」が発生した場合には、大当たり状態の終了後に高確率状態（後述する確変モード等の高確率モード）が付与される。但し、「突確大当たり」の大当たり状態においては「短開放」しか行われないため、遊技者に対しては、大当たり状態とならずに突然、確変モードに移行したかのような意外性を与えることができる。一方、「通常大当たり」が発生した場合には、大当たり状態の終了後に低確率状態（後述する時間短縮モード等の低確率モード）が付与される。
【０３５４】
また、本実施形態では、上記各種「大当たり」とは別に、上記当否抽選にて所定の結果が得られた場合に「小当たり」が発生する構成となっている。小当たり状態においては、「突確大当たり」の大当たり状態と同様、「短開放」を１回の特賞状態として、これが最大で１０回（１０ラウンド）繰り返し行われる。但し、小当たり状態終了後に付与される遊技モードは、小当たり状態発生前の元の遊技モードである。例えば、小当たり状態発生前の遊技モードが確変モードであれば、小当たり状態終了後にも確変モードが維持され、小当たり状態発生前の遊技モードが通常モードであれば、小当たり状態終了後にも通常モードが維持される。
【０３５５】
尚、詳しくは後述するが、本実施形態では、遊技球が上入賞口３３ａに入球した場合と、下入賞口３３ｂに入賞した場合とで、当否抽選にて当選した場合に付与される大当たり種別の振分けが異なるようになっている。上入賞口３３ａへの遊技球の入球を契機とする当否抽選に当選した場合には、「確変大当たり」、「通常大当たり」、「突確大当たり」又は「ＪＵＢ大当たり」のいずれかに振分けられ、下入賞口３３ｂへの遊技球の入球を契機とする当否抽選に当選した場合には、「確変大当たり」又は「通常大当たり」のどちらかに振分けられることとなる。
【０３５６】
第１及び第２特別表示装置４３Ｌ、４３Ｒは、７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御装置２６１によって表示内容が直接的に制御される。
【０３５７】
また、第１及び第２特別表示装置４３Ｌ、４３Ｒにて変動表示が行われた後、当該変動表示が停止したときの表示態様（例えば、文字）により、大当たりか否かが確定的に表示される。例えば、上入賞口３３ａに遊技球が入賞すると、対応する第１特別表示装置４３Ｌにて、「−」→「７」→「３」→「２」→「１」→「０」→「−」→・・・という具合に高速で（例えば４ｍｓｅｃ毎に）切替表示（変動表示）がなされ、所定時間が経過すると、いずれかの表示態様を停止表示（例えば数秒間停止）する。そして、大当たり抽選に当選した場合には、「７」、「３」、「２」、「１」のいずれかが変動停止時に表示され、大当たり状態が発生する。但し、後述するように、遊技球が下入賞口３３ｂへ入賞した場合には、「突確大当たり」及び「ＪＵＢ大当たり」は発生しないため、第２特別表示装置４３Ｒにおいて「２」、「１」が決定表示されることはない。
【０３５８】
具体的に、「確変大当たり」が付与される場合には、第１又は第２特別表示装置４３Ｌ、４３Ｒにおいて「７」が停止表示され、「通常大当たり」が付与される場合には、第１又は第２特別表示装置４３Ｌ、４３Ｒにおいて「３」が停止表示され、「突確大当たり」が付与される場合には第１特別表示装置４３Ｌにおいて「２」が停止表示され、「ＪＵＢ大当たり」が付与される場合には第１特別表示装置４３Ｌにおいて「１」が停止表示される。
【０３５９】
また、「小当たり」が付与される場合には、第１又は第２特別表示装置４３Ｌ、４３Ｒにおいて「０」が停止表示される。
【０３６０】
また、第１特別表示装置４３Ｌ又は第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。これに限らず、他の構成を採用してもよい。例えば第１特別表示装置４３Ｌ又は第２特別表示装置４３Ｒのどちらか一方において、変動表示又は決定表示が行われている場合、他方には前回に停止表示された内容（例えば前回「１」が停止表示された場合には、当該「１」）をそのまま表示し、どちらにおいても変動表示及び決定表示が行われていない場合には、両方においてそれぞれ前回に停止表示された内容がそのまま表示されている構成としてもよい。
【０３６１】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球が始動入賞ユニット３３に入賞した場合、その分の変動表示についても保留される。
【０３６２】
尚、基本的に、上入賞口３３ａへの入賞を契機とする変動表示は、対応する遊技球が上入賞口３３ａへ入球した順に記憶されるとともに入球した順に消化され、下入賞口３３ｂへの入賞を契機とする変動表示は、対応する遊技球が下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球が入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。以下、説明の便宜上、上入賞口３３ａへの入球を契機とする変動表示を「第１変動表示」とも称し、下入賞口３３ｂへの入球を契機とする変動表示を「第２変動表示」とも称する。
【０３６３】
また、スルーゲート３４は、遊技領域を流下する遊技球が１球ずつ通過可能に構成されている。スルーゲート３４は、当該スルーゲート３４を通過する遊技球を検知可能なスルーゲートスイッチ（第２契機対応口スイッチ）２２５を備えており、当該スルーゲートスイッチ２２５にて遊技球が検知された場合に、始動入賞ユニット３３を開状態とするか否かの開放抽選が行われるとともに、普通図柄表示装置４１にて変動表示が行われる構成となっている。そして、開放抽選にて当選した場合には、始動入賞ユニット３３（開閉部材３３ｃ）が規定時間だけ開状態とされる。
【０３６４】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。
【０３６５】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【０３６６】
装飾図柄表示装置４２は液晶表示装置により構成されており、後述するサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御手段（制御手段）としての主制御装置２６１からのコマンドに基づき、サブ制御装置２６２によって補助的な表示内容が決定され、後述する表示制御装置４５によって表示が行われる。
【０３６７】
装飾図柄表示装置４２には、例えば、上、中及び下の３つの図柄表示領域が設けられ、各図柄表示領域において複数種類の図柄（数字）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて「確変大当たり」又は「通常大当たり」が確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。なお、「突確大当たり」又は「ＪＵＢ大当たり」の場合、後述するように装飾図柄表示装置４２にて停止表示される図柄の組合わせは、大当たりに対応するものではない。
【０３６８】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【０３６９】
尚、リーチ状態が発生しても、大当たり状態が発生しない場合には、上図柄表示領域及び下図柄表示領域において停止表示された図柄とは異なる図柄が中図柄表示領域において停止表示される。また、「確変大当たり」又は「通常大当たり」となる場合には、上記のように装飾図柄表示装置４２においてゾロ目の数字が停止表示されるのではあるが、「突確大当たり」又は「ＪＵＢ大当たり」となる場合には、ゾロ目ではなく、予め定められた特定の数字の組合わせ（以下、チャンス図柄と称する）が停止表示される。例えば、本実施形態では、上・中・下図柄表示領域において、「３」・「４」・「１」が停止表示される。勿論、「突確大当たり」となる場合と、「ＪＵＢ大当たり」となる場合とで、上・中・下図柄表示領域に停止表示される特定の数字の組合わせが異なる構成としてもよい。また、「突確大当たり」又は「ＪＵＢ大当たり」となる場合に、予め定められた特定の数字の組合わせではなく、表面上、外れ時と同様に、ランダムな外れの組合わせで停止表示されるようにしてもよい。
【０３７０】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【０３７１】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【０３７２】
可変入賞装置３２は、上述したとおり、通常は遊技球が入賞できない閉状態になっており、大当たりや小当たり等の特別遊技状態が発生した際には、遊技球が入賞可能な開状態とされる。
【０３７３】
次に、上記の如く構成されたパチンコ機１０の動作について説明する。
【０３７４】
本実施形態では、主制御装置２６１に設けられたＣＰＵ５０１は、遊技に際し各種カウンタ情報を用いて抽選を行うこととしている。具体的には、大当たり状態を発生させるか否かの大当たり抽選（当否抽選）に使用する当否乱数生成手段としての大当たり乱数カウンタＣ１と、大当たり種別の決定に使用する種別乱数生成手段としての大当たり種別決定カウンタＣ２（上記第１実施形態におけるモード決定カウンタＣ２に相当）と、装飾図柄表示装置４２においてリーチ状態を発生させるか否かの決定に使用する変動選択カウンタＣ３と、大当たり乱数カウンタＣ１の初期値設定に使用する初期値乱数カウンタＣＩＮＩと、第１及び第２特別表示装置４３Ｌ、４３Ｒ（装飾図柄表示装置４２）の変動表示時間の決定等に使用する変動種別カウンタＣＳ１，ＣＳ２と、普通図柄表示装置４１の抽選（始動入賞ユニット３３の開閉部材３３ｃを開状態とするか否かの開放抽選）に使用する普通図柄乱数カウンタＣ４とを用いることとしている。なお、変動選択カウンタＣ３は、装飾図柄表示装置４２を外れ変動させる際のリーチ種別の抽選にも使用される。また、変動種別カウンタＣＳ１，ＣＳ２は、装飾図柄表示装置４２の変動パターン選出にも使用される。詳しくは、決定された変動パターンにより、特別表示装置４３Ｌ、４３Ｒの変動時間が決定されるとともに、装飾図柄表示装置４２における変動態様及び変動時間すなわち変動パターンが決定される。
【０３７５】
カウンタＣ１，Ｃ２，Ｃ３，ＣＩＮＩ，ＣＳ１，ＣＳ２，Ｃ４は、その更新の都度前回値に１が加算され、上限値に達した後、下限値である０に戻るループカウンタとなっている。各カウンタは定期的に更新され、その更新値がＲＡＭ５０３の所定領域に設定されたカウンタ用バッファに適宜格納される（乱数初期値カウンタＣＩＮＩを除く）。
【０３７６】
ＲＡＭ５０３には、大当たり乱数カウンタＣ１、大当たり種別決定カウンタＣ２、及び変動選択カウンタＣ３の各値が記憶される保留記憶エリアとしての特別変動保留エリアと、普通図柄乱数カウンタＣ４の値が記憶される普通変動保留エリアとが設けられている。普通変動保留エリアは、１つの実行エリアと４つの保留エリア（保留第１〜保留第４エリア）とを備えている。
【０３７７】
また、特別変動保留エリアは、それぞれ４つの保留エリア（保留第１〜保留第４エリア）を備える第１特別変動保留エリア及び第２特別変動記憶エリアと、１つの実行エリアとを備えている。第１特別変動保留エリアの各保留エリアには、上入賞口３３ａへの遊技球の入賞履歴に合わせて、大当たり乱数カウンタＣ１、大当たり種別決定カウンタＣ２、及び変動選択カウンタＣ３の各値が時系列的に格納される。第２特別変動保留エリアの各保留エリアには、下入賞口３３ｂへの遊技球の入賞履歴に合わせて、大当たり乱数カウンタＣ１、大当たり種別決定カウンタＣ２、及び変動選択カウンタＣ３の各値が時系列的に格納される。普通変動保留エリアの各保留エリアには、スルーゲート３４への遊技球の通過履歴に合わせて、普通図柄乱数カウンタＣ４の値が時系列的に格納される。当該構成を採用することで、上記のように特別表示装置４３Ｌ、４３Ｒ及び普通図柄表示装置４１における変動表示をそれぞれ４回まで保留可能としている。
【０３７８】
各カウンタについて詳しく説明すると、大当たり乱数カウンタＣ１は、例えば０〜５９９の範囲内で順に１ずつ加算され、終値としての上限値（つまり５９９）に達した後、始値としての下限値である０に戻る構成となっている。通常、大当たり乱数カウンタＣ１が１周した場合、その時点の初期値乱数カウンタＣＩＮＩの値が当該大当たり乱数カウンタＣ１の次の初期値として読み込まれる。なお、初期値乱数カウンタＣＩＮＩは、大当たり乱数カウンタＣ１と同様のループカウンタであり（値＝０〜５９９）、タイマ割込み毎に１回更新されると共に通常処理の残余時間内で繰り返し更新される。一方、大当たり乱数カウンタＣ１は定期的に（本実施形態ではタイマ割込み毎に１回）更新され、大当たり乱数カウンタＣ１の値が大当たり乱数カウンタバッファに格納される。そして、遊技球が始動入賞ユニット３３の上入賞口３３ａ又は下入賞口３３ｂに入賞したタイミングで、大当たり乱数カウンタバッファに格納されている大当たり乱数カウンタＣ１の値が、第１特別変動保留エリア又は第２特別変動保留エリアに格納される。大当たりとなる乱数の値は、低確率状態（通常モードや時間短縮モード等の低確率モード）と、高確率状態（確変モード等の高確率モード）とで２種類設定されており、本実施形態では、低確率状態であれば大当たりとなる乱数の値の数は２つで、その値は「７、３０７」であり、高確率状態であれば大当たりとなる乱数の値の数は２０で、その値は「７〜１６、３０７〜３１６」である。すなわち、低確率状態においては１／３００の確率で当否抽選に当選し（大当たり状態が発生し）、高確率状態においては１／３０の確率で当否抽選に当選することとなる。尚、本実施形態では、ＲＯＭ５０２に対し、大当たり乱数カウンタＣ１の値が大当たりに対応するか否かの判定を行う際に参照される当選値記憶手段としての当否判定テーブルが設けられている。本実施形態では、当否判定テーブルが２つ存在し、「７、３０７」を記憶した第１当否判定テーブルと、「８〜１６、３０８〜３１６」を記憶した第２当否判定テーブルとがある。
【０３７９】
また、大当たり乱数カウンタＣ１の値は、「小当たり」を判定する場合にも使用され、「小当たり」となる乱数の値は１つで、その値は「１５０」となっている。
【０３８０】
ここで、各種遊技モードについて説明する。本実施形態では、遊技モード（遊技状態）が、「通常モード」、「確変モード」及び「時間短縮モード」の間で切替設定される。
【０３８１】
「通常モード」とは、「確変モード」及び「時間短縮モード」ではない通常の状態をいう。従って、「通常モード」時には、大当たり確率（大当たり状態の当選確率）が通常の低確率（例えば１／３００）となっている。つまり、本実施形態の「通常モード」は、後述する時間短縮状態及び高入球状態が付加されていない低確率モードである。
【０３８２】
「確変モード」とは、第１又は第２特別表示装置４３Ｌ、４３Ｒにおいて「７」が停止表示されること（装飾図柄表示装置４２において確変図柄が停止表示されること）によって「確変大当たり」になる、又は、第１特別表示装置４３Ｌにおいて「２」若しくは「１」が停止表示されること（装飾図柄表示装置４２においてチャンス図柄が停止表示されること）によって「突確大当たり」若しくは「ＪＵＢ大当たり」になり、大当たり終了後の大当たり確率が「通常モード」時に比べアップした状態（例えば１／３０）をいう。尚、「確変モード」は、次回の大当たり状態が発生するまで継続する。
【０３８３】
さらに、本実施形態の「確変モード」においては、大当たり確率が高められるだけでなく、特別表示装置４３Ｌ、４３Ｒにおける変動表示時間の短い時間短縮状態となる。また、「通常モード」時に比べ、当選１回あたりの始動入賞ユニット３３（開閉部材３３ｃ）の開放時間が長くなるとともに、開放回数が多くなる。これによって、始動入賞ユニット３３が開状態となっている時間帯が長くなるため、始動入賞ユニット３３（下入賞口３３ｂ）に対して遊技球が頻繁に入球する高入球状態となり、大当たり抽選が連続してなされると共に、玉持ちのよい状態となる。つまり、本実施形態の「確変モード」は、時間短縮状態及び高入球状態が付加された高確率モードである。
【０３８４】
尚、「確変モード」において、普通図柄表示装置４１における変動時間を短くしたり、普通図柄表示装置４１において「○」図柄が停止表示される確率（開放抽選の当選確率）を「通常モード」時よりも高くして高入球状態とすることとしてもよい。
【０３８５】
「時間短縮モード」とは、第１又は第２特別表示装置４３Ｌ、４３Ｒにおいて「３」で停止表示されること（装飾図柄表示装置４２において予め定められた確変図柄以外の通常図柄で停止表示されること）によって「通常大当たり」になり、大当たり状態終了後に、第１及び第２特別表示装置４３Ｌ、４３Ｒにて行われる合計１００回の変動表示にわたって設定される遊技モードである。「時間短縮モード」は、大当たり確率が「通常モード」時と同じ低確率であり、かつ、始動入賞ユニット３３における単位時間あたりの閉状態に対する開状態の割合が「通常モード」時の割合より高い遊技モードである。つまり、大当たり確率（大当たり状態の当選確率）の違いを除いて、上記「確変モード」と同様の状態となる。つまり、本実施形態の「時間短縮モード」は、時間短縮状態及び高入球状態が付加された低確率モードである。尚、「時間短縮モード」は、大当たり状態が発生しなくても、特別表示装置４３Ｌ、４３Ｒにて合計１００回の変動表示が行われた後、「通常モード」に移行する。
【０３８６】
大当たり種別決定カウンタＣ２は、例えば０〜１９の範囲内で順に１ずつ加算され、上限値（つまり１９）に達した後、下限値である０に戻る構成となっている。本実施形態では、大当たり種別決定カウンタＣ２によって、大当たり種別、すなわち「確変大当たり」、「通常大当たり」、「突確大当たり」又は「ＪＵＢ大当たり」のいずれを付与するかが決定されるようになっている。
【０３８７】
尚、ＲＯＭ５０２には、大当たり種別決定カウンタＣ２の値がいずれの大当たりに対応するかの判定を行う際に参照される大当たり種別判定値記憶手段としての大当たり種別判定テーブルが設けられている。また、上記のように、本実施形態では、遊技球が上入賞口３３ａへ入賞した場合と、下入賞口３３ｂへ入賞した場合とで、大当たり種別の振り分けが異なっている。すなわち、本実施形態では、大当たり種別判定テーブルが２つ存在し、遊技球が上入賞口３３ａへ入賞した場合に参酌される第１大当たり種別判定テーブルと、遊技球が上入賞口３３ａへ入賞した場合に参酌される第２大当たり種別判定テーブルとがある。
【０３８８】
具体的には、遊技球が上入賞口３３ａへ入賞した場合、大当たり種別決定カウンタＣ２の値が「０〜５」であれば「確変大当たり」の付与が決定され、「６，７」であれば「突確大当たり」の付与が決定され、「８〜１１」であれば「ＪＵＢ大当たり」の付与が決定され、「１２〜１９」であれば「通常大当たり」の付与が決定される。すなわち、上入賞口３３ａへの入賞を契機とする当否抽選に当選した場合には、３０％の確率で「確変大当たり」となり、１０％の確率で「突確大当たり」となり、２０％の確率で「ＪＵＢ大当たり」となり、４０％の確率で「通常大当たり」となる。
【０３８９】
一方、遊技球が下入賞口３３ｂへ入賞した場合、大当たり種別決定カウンタＣ２の値が「０〜１１」であれば「確変大当たり」の付与が決定され、「１２〜１９」であれば「通常大当たり」の付与が決定される。すなわち、下入賞口３３ｂへの入賞を契機とする当否抽選に当選した場合には、６０％の確率で「確変大当たり」となり、４０％の確率で「通常大当たり」となる。上述した通り、遊技球が下入賞口３３ｂへ入賞した場合には、「突確大当たり」及び「ＪＵＢ大当たり」は発生しない。
【０３９０】
尚、大当たり種別決定カウンタＣ２は定期的に（本実施形態ではタイマ割込み毎に１回）更新され、大当たり種別決定カウンタＣ２の値が大当たり種別決定カウンタバッファに格納される。そして、遊技球が始動入賞ユニット３３の上入賞口３３ａ又は下入賞口３３ｂに入賞したタイミングで、大当たり種別決定カウンタバッファに格納されている大当たり種別決定カウンタＣ２の値がＲＡＭ５０３の特別変動保留エリア（第１特別変動保留エリア又は第２特別変動保留エリア）に格納される。
【０３９１】
また、変動選択カウンタＣ３は、例えば０〜２３８の範囲内で順に１ずつ加算され、上限値（つまり２３８）に達した後、下限値である０に戻る構成となっている。本実施形態では、変動選択カウンタＣ３によって、装飾図柄に関してリーチが発生した後、最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチが発生しない「完全外れ」とを抽選することとしている。本実施形態では、ＲＯＭ５０２に対し、変動選択カウンタＣ３の値がリーチ状態の発生に対応する値であるか否か及びいずれのリーチに対応するかの判定を行う際に参照されるリーチ判定テーブルが設けられている。リーチ判定テーブルには「０〜２３８」の値が記憶され、Ｃ３＝０，１が前後外れリーチに該当し、Ｃ３＝２〜２１が前後外れ以外リーチに該当し、Ｃ３＝２２〜２３８が完全外れに該当する構成となっている。
【０３９２】
変動選択カウンタＣ３は定期的に（本実施形態ではタイマ割込み毎に１回）更新され、変動選択カウンタバッファに変動選択カウンタＣ３の値が格納される。そして、遊技球が始動入賞ユニット３３の上入賞口３３ａ又は下入賞口３３ｂに入賞したタイミングで、変動選択カウンタバッファに格納されている変動選択カウンタＣ３の値がＲＡＭ５０３の特別変動保留エリア（第１特別変動保留エリア又は第２特別変動保留エリア）に格納される。
【０３９３】
なお、本実施形態では、「確変大当たり」又は「通常大当たり」が発生する場合には、ノーマルリーチ、スーパーリーチ、プレミアムリーチのうちいずれかが選択され、「前後外れリーチ」が発生する場合には、ノーマルリーチ、スーパーリーチのうちどちらかが選択され、「前後外れ以外リーチ」が発生する場合にはノーマルリーチが選択される。また、「完全外れ」となる場合には、ノーマルリーチ、スーパーリーチ、プレミアムリーチのいずれも選択されない。
【０３９４】
また、普通図柄乱数カウンタＣ４は、例えば０〜９の範囲内で順に１ずつ加算され、上限値（つまり９に達した後、下限値である０に戻るループカウンタとして構成されている。普通図柄乱数カウンタＣ４は定期的に（本実施形態ではタイマ割込み毎に１回）更新され、遊技球が左右何れかのスルーゲート３４を通過した時に普通図柄乱数カウンタＣ４の値が取得される。通常、当選となる乱数の値の数は６つあり、その範囲は「３〜８」である。そして、当選となる普通図柄乱数カウンタＣ４の値が取得された場合、普通図柄表示装置４１において変動表示が所定時間行われた後、当選に対応する図柄（本例では「○」）が停止表示され、始動入賞ユニット３３（開閉部材３３ｃ）が所定時間の間、開状態となる。
【０３９５】
尚、本実施形態では、普通図柄表示装置４１にて当選に対応する図柄が停止表示される確率、すなわち、始動入賞ユニット３３を開状態とするか否かの開放抽選の当選確率はいずれのモードでも共通である。但し、上述したように「確変モード」及び「時間短縮モード」の場合には、普通図柄表示装置４１にて行われる変動表示の変動時間が、「通常モード」の場合に比べて短縮されている。勿論、上述したように遊技モードに応じて開放抽選の当選確率を変化させてもよい。
【０３９６】
次いで、主制御装置２６１内のＣＰＵ５０１により実行される各制御処理を、フローチャートを参照しながら説明する。かかるＣＰＵ５０１の処理としては大別して、上記第１実施形態と同様、電源投入に伴い起動されるメイン処理と、定期的に（本実施形態では２ｍｓｅｃ周期で）起動されるタイマ割込み処理と、ＮＭＩ端子（ノンマスカブル端子）への停止信号の入力により起動されるＮＭＩ割込み処理とがある。
【０３９７】
図３８は、タイマ割込み処理を示すフローチャートであり、本処理は主制御装置２６１のＣＰＵ５０１により例えば２ｍｓｅｃ毎に実行される。
【０３９８】
図３８において、先ずステップＵ３０１では、各種入球検出スイッチの読み込み処理を実行する。詳しくは後述するが、ここでは主制御装置２６１に接続されている各種入球検出スイッチの状態を読み込むと共に、当該スイッチの状態を判定して検出情報（入賞検知情報）を保存する。
【０３９９】
ステップＵ３０２では乱数初期値更新処理を実行する。具体的には、乱数初期値カウンタＣＩＮＩを１インクリメントすると共に、そのカウンタ値が最大値（本例では５９９）に達した際０にクリアする。
【０４００】
また、ステップＵ３０３では乱数更新処理を実行する。具体的には、大当たり乱数カウンタＣ１、大当たり種別決定カウンタＣ２、変動選択カウンタＣ３及び普通図柄乱数カウンタＣ４をそれぞれ１インクリメントすると共に、それらのカウンタ値が最大値（本実施形態ではそれぞれ、５９９，１９，２３８，９）に達した際それぞれ０にクリアする。そして、各カウンタＣ１，Ｃ２，Ｃ３，Ｃ４の更新値を、ＲＡＭ５０３の該当するバッファ領域に格納する。
【０４０１】
その後、ステップＵ３０４では、始動入賞ユニット３３への入賞に伴う始動入賞処理を実行し、ステップＵ３０５では、スルーゲート３４への遊技球の通過に伴うスルーゲート通過処理を実行する。その後、タイマ割込み処理を一旦終了する。
【０４０２】
ここで、ステップＵ３０１のスイッチ読み込み処理について詳しく説明する。なお、このスイッチ読み込み処理では、各入球検出スイッチ（入賞口スイッチ２２１、カウントスイッチ２２３、始動入賞スイッチ２２４ａ，２２４ｂ、スルーゲートスイッチ２２５）を個々に監視して、個別に同様の処理が行われる。従って、ここでは入賞口スイッチ２２１に係るスイッチ読み込み処理を一例に図３９を参照して詳しく説明するが、他の入球検出スイッチに関しても図３９に示す処理と同様の処理が行われる。ステップＵ３０１のスイッチ読み込み処理の機能が本実施形態における入球判定手段を構成する。
【０４０３】
先ずステップＵ３１０１では、入賞口スイッチ２２１からの入力信号の信号レベルをチェックする。この処理の機能が本実施形態における信号監視手段を構成する。
【０４０４】
例えば遊技球が入賞口スイッチ２２１の通過孔を通過してない通常時には、入賞口スイッチ２２１からは＋１２Ｖのハイレベル信号（Ｈ）が出力され〔図３２（ａ）のタイミングｔ１参照〕、主制御装置２６１側では反転回路２２９を経てＣＰＵ５０１に基準電位０Ｖのローレベル信号（Ｌ）が入力される〔図３２（ｂ）のタイミングｔ１参照〕。図３２（ａ）は、入賞口スイッチ２２１からの出力信号を説明するためのタイミングチャートであり、図３２（ｂ）は、ＣＰＵ５０１への入力信号を説明するためのタイミングチャートである。
【０４０５】
一方、一般入賞口３１へ遊技球が入球して、遊技球が入賞口スイッチ２２１の通過孔を通過している最中には、入賞口スイッチ２２１からローレベル信号（Ｌ）が出力され〔図３２（ａ）のタイミングｔ２，ｔ３参照〕、主制御装置２６１側では反転回路２２９を経てＣＰＵ５０１にハイレベル信号（Ｈ）が入力される〔図３２（ｂ）のタイミングｔ２，ｔ３参照〕。
【０４０６】
続くステップＵ３１０２では、ステップＵ３１０１にてチェックした信号レベルを、ＲＡＭ５０３の作業エリアに設けられた入賞口スイッチ２２１用の信号レベルバッファに記憶する。
【０４０７】
なお、信号レベルバッファは、各入球検出スイッチ（入賞口スイッチ２２１、カウントスイッチ２２３、始動入賞スイッチ２２４ａ，２２４ｂ、スルーゲートスイッチ２２５）に対応して設けられており、各入球検出スイッチ毎の信号レベルがそれぞれ記憶される。信号レベルバッファが本実施形態におけるレベル記憶手段に相当する。
【０４０８】
また、本実施形態の各信号レベルバッファを構成するリングバッファには、最も新しい過去２００ｍｓｅｃ分すなわち１００周期分のデータが記憶されるとともに、これを越えた古いデータから順に消去される構成となっている。また、リードポインタの位置は最新のデータの記憶された所定アドレス位置を示すようになっており、後述するように当該リードポインタの位置を基準に過去複数回分のデータが読み出される構成となっている。
【０４０９】
ステップＵ３１０２の説明に戻り、入賞口スイッチ２２１用の信号レベルバッファには、２ｍｓｅｃ周期で信号レベルをチェックする毎に、当該信号レベルに対応した論理値が順にライトポインタの示す所定アドレス位置に書き込まれていく。ここで、ＣＰＵ５０１への入力信号の信号レベルが「Ｈ（ハイ）」の場合には、これを示すレベル情報としての論理値「１」が記憶され、信号レベルが「Ｌ（ロー）」の場合には、これを示すレベル情報としての論理値「０」が記憶される。
【０４１０】
その後、ステップＵ３１０３において、一般入賞口３１へ遊技球の入球の有無を判定するための前処理である演算処理を行う。
【０４１１】
より詳しくは、信号レベルバッファに記憶された最近の過去３回分のデータのうちの最先のデータ（最も古いデータ）の論理反転処理を行うとともに、当該論理反転された最先のデータ及び残り２回分のデータすべての論理積を算出する。そして、この値を、ＲＡＭ５０３の作業エリアにて一旦記憶する。この処理の機能が本実施形態における論理反転手段や論理積算出手段を構成する。
【０４１２】
例えば、図３２（ｂ）に示すように、タイミングｔ１，ｔ２，ｔ３において記憶された信号レベルの論理値が「０」，「１」，「１」である場合、最先のデータの論理反転処理を行うと、最先のデータは「１」となる。従って、このデータと他の２回分のデータの論理積は「１」となる。
【０４１３】
続くステップＵ３１０４では、ステップＵ３１０３にて算出された論理積の値が「１」であるか否かを判別する。ここで論理積の値が「１」となった場合には、信号レベルが「Ｌ」から「Ｈ」に切り替わったことを意味するため、これをもって一般入賞口３１への入球有りと判断し、ステップＵ３１０５において入賞口スイッチ２２１（一般入賞口３１）用の入球判別フラグの値に「１」を設定し、本処理を終了する。なお、入球判別フラグは、入球の有無を判別するための判別子であり、各入球検出スイッチに対応してそれぞれ設けられている。そして、ステップＵ３０４の始動入賞処理や、ステップＵ３０５のスルーゲート通過処理では、これを基に入球の有無を判断している。
【０４１４】
一方、論理積の値が「０」の場合には、過去４ｍｓｅｃの間、信号レベルが「Ｌ」のままか若しくは「Ｈ」のまま切り替わらなかった、又は信号レベルが「Ｈ」から「Ｌ」に切り替わったこと等を意味するため、これをもって一般入賞口３１への入球無しと判断し、ステップＵ３１０６において入賞口スイッチ２２１用の入球判別フラグの値に「０」を設定し、本処理を終了する。
【０４１５】
ここで、ステップＵ３０４の始動入賞処理について図４０のフローチャートを参照して説明する。尚、特別変動保留エリアの実行エリア及び各保留エリアには、大当たり乱数カウンタＣ１の値を記憶する大当たり乱数記憶エリア、大当たり種別決定カウンタＣ２の値を記憶する大当たり種別乱数記憶エリア、変動選択カウンタＣ３の値を記憶するリーチ乱数記憶エリアが設けられている。本実施形態では、大当たり乱数記憶エリアは、２バイトを使用して大当たり乱数カウンタＣ１の値を記憶している。また、大当たり種別乱数記憶エリア及びリーチ乱数記憶エリアはそれぞれ１バイトを使用して、大当たり種別決定カウンタＣ２の値、及び変動選択カウンタＣ３の値を記憶している。
【０４１６】
先ず、ステップＵ５０１では、遊技球が下入賞口３３ｂに入賞したか否かを第２始動入賞スイッチ２２４ｂに対応する上記入球判別フラグの値に基づき判別する。当該ステップＵ５０１で肯定判別された場合、ステップＵ５０２において、下入賞口３３ｂへの入賞を契機とする変動表示の保留数をカウントする下保留カウンタＮｂの値が上限値（本実施形態では「４」）未満であるか否かを判別する。当該ステップＵ５０２で否定判別された場合には、ステップＵ５０９へ移行する。一方、ステップＵ５０２で肯定判別された場合には、ステップＵ５０３に進み、下保留カウンタＮｂを１インクメントする。
【０４１７】
続くステップＵ５０４では、上記ステップＵ３０３の乱数更新処理で更新した大当たり乱数カウンタＣ１、大当たり種別決定カウンタＣ２、及び変動選択カウンタＣ３の各値を、第２特別変動保留エリアの空いている保留エリアのうち最初のエリアに格納する。ステップＵ５０４の後、ステップＵ５０５に移行する。
【０４１８】
ステップＵ５０５では、新たに第２特別変動保留エリアに記憶された大当たり乱数カウンタＣ１の値が大当たりに対応する値であるか否かを判別する大当たり判定処理を行う。尚、大当たり判定処理の詳細については後述する。
【０４１９】
続くステップＵ５０６では、ステップＵ５０５で大当たり乱数カウンタＣ１の値が大当たりに対応する値であると判定された場合に、新たに第２特別変動保留エリアに記憶された大当たり種別決定カウンタＣ２の値に基づいて、大当たりの種別を判別する第２モード判定処理を行う。尚、第２モード判定処理の詳細については後述する。
【０４２０】
続くステップＵ５０７では、ステップＵ５０５で大当たり乱数カウンタＣ１の値が大当たりに対応する値ではないと判定された場合に、新たに第２特別変動保留エリアに記憶された変動選択カウンタＣ３の値に基づいて、リーチの種別を判別するリーチ判定処理を行う。ステップＵ５０７の後、ステップＵ５０９へ移行する。尚、リーチ判定処理の詳細については後述する。
【０４２１】
ここで、ステップＵ５０５の大当たり判定処理の詳細について、図４１を参照して説明する。
【０４２２】
先ず、ステップＵ５１０１では、新たに第２特別変動保留エリアに記憶された大当たり乱数カウンタＣ１の値が、大当たりに対応する値（第１当否判定テーブルに記憶された値）「７」、「３０７」のどちらかと一致するか否かを判別する。尚、図４１では便宜上、当該ステップＵ５１０１の処理を簡略化して記載しているが、実際には、大当たり乱数カウンタＣ１の値が「７」であるか否かを判別するとともに、当該判別で否定判別された場合には、大当たり乱数カウンタＣ１の値が「３０７」であるか否かを判別し、これらどちらかの判別で肯定判別された場合に、当該ステップＵ５１０１で肯定判別され、どちらの判別においても否定判別された場合に、当該ステップＵ５１０１で否定判別されることとなる。
【０４２３】
ステップＵ５１０１で肯定判別された場合、すなわち大当たり状態が発生すると判別された場合には、ステップＵ５１０２において大当たり当選フラグをオンにした後、ステップＵ５１０５へ移行する。
【０４２４】
一方、ステップＵ５１０１で否定判別された場合には、ステップＵ５１０３において、後述する高確率状態フラグがオンであるか否かを判別し、高確率状態（確変モード等の高確率モード）であるか否かを判別する。
【０４２５】
ステップＵ５１０３で肯定判別された場合、すなわち高確率状態である場合には、ステップＵ５１０４において、新たに第２特別変動保留エリアに記憶された大当たり乱数カウンタＣ１の値が（第２当否判定テーブルに記憶された値）「８〜１６、３０８〜３１６」のいずれかであるか否かを判別する。尚、当該判別処理に際しても、実際には、上記のように大当たり乱数カウンタＣ１の値と大当たりに対応する各値とが一致するか否かを１つずつ判別する。
【０４２６】
当該ステップＵ５１０４で肯定判別された場合、すなわち高確率状態においては大当たり状態が発生すると判別された場合には、ステップＵ５１０２において大当たり当選フラグをオンにした後、ステップＵ５１０５へ移行する。
【０４２７】
ステップＵ５１０３、又はステップＵ５１０４で否定判別された場合、すなわち「外れ」である場合には、そのまま本処理を終了する。
【０４２８】
また、ステップＵ５１０５では、新たに第２特別変動保留エリアに記憶された大当たり乱数カウンタＣ１の値が、小当たりに対応する値「１５０」と一致するか否かを判別する。
【０４２９】
ステップＵ５１０５で肯定判別された場合、すなわち小当たり状態が発生すると判別された場合には、ステップＵ５１０６において小当たり当選フラグをオンにした後、本処理を終了する。一方、ステップＵ５１０５で否定判別された場合には、そのまま本処理を終了する。
【０４３０】
次に、ステップＵ５０６の第２モード判定処理について、図４２（ａ）を参照して説明する。
【０４３１】
先ず、ステップＵ５２０１では、直前に行われた大当たり判定処理にて、大当たり当選フラグが設定されたか否かを判別する。ステップＵ５２０１で否定判別された場合には、そのまま本処理を終了する。
【０４３２】
一方、ステップＵ５２０１で肯定判別された場合には、ステップＵ５２０２において、第２大当たり種別判定テーブルを参酌し、新たに第２特別変動保留エリアに記憶された大当たり種別決定カウンタＣ２の値が、「通常大当たり」に対応する値「１２〜１９」のいずれかと一致するか否かを判別する。ステップＵ５２０２で否定判別された場合、すなわち大当たり種別決定カウンタＣ２の値が「確変大当たり」に対応する値「０〜１１」のいずれかであった場合には、ステップＵ５２０３において確変フラグをオンにしてから、本処理を終了する。
【０４３３】
一方、ステップＵ５２０２で肯定判別された場合には、ステップＵ５２０４において通常フラグをオンにしてから、本処理を終了する。
【０４３４】
次に、ステップＵ５０７のリーチ判定処理について、図４３を参照して説明する。
【０４３５】
先ず、ステップＵ５３０１では、直前に行われた大当たり判定処理にて、当選フラグ（大当たり当選フラグ又は小当たり当選フラグ）が設定されたか否かを判別する。ステップＵ５３０１で肯定判別された場合、すなわち大当たり状態又は小当たり状態が発生する場合には、そのまま本処理を終了する。
【０４３６】
一方、ステップＵ５３０１で肯定判別された場合、すなわち大当たり状態が発生しない場合には、ステップＵ５３０２において、リーチ判定テーブルを参酌し、新たに第２特別変動保留エリアに記憶された変動選択カウンタＣ３の値が、「前後外れリーチ」に対応する値「０、１」のどちらかと一致するか否かを判別する。ステップＵ５３０２で肯定判別された場合には、ステップＵ５３０３において、前後外れリーチの発生を示す前後フラグをオンにした後、本処理を終了する。
【０４３７】
一方、ステップＵ５３０２で否定判別された場合には、ステップＵ５３０４において、リーチ判定テーブルを参酌し、新たに第２特別変動保留エリアに記憶された変動選択カウンタＣ３の値が、「前後外れ以外リーチ」に対応する値「２〜２１」のいずれかと一致するか否かを判別する。当該ステップＵ５３０４で肯定判別された場合には、ステップＵ５３０５において前後以外フラグをオンにした後、本処理を終了する。
【０４３８】
また、ステップＵ５３０４で否定判別された場合、すなわち「完全外れ」となる場合には、そのまま本処理を終了する。
【０４３９】
図４０の説明に戻り、ステップＵ５０７の処理の後、又は、ステップＵ５０１で否定判別された場合には、ステップＵ５０９において、遊技球が上入賞口３３ａに入賞したか否かを第１始動入賞ユニットスイッチ２２４ａに対応する上記入球判別フラグの値に基づき判別する。当該ステップＵ５０９で否定判別された場合には、そのまま本処理を終了する。一方、肯定判別された場合には、ステップＵ５１０において、上入賞口３３ａへの入賞を契機とする変動表示の保留数をカウントする上保留カウンタＮａの値が上限値（本実施形態では「４」）未満であるか否かを判別する。当該ステップＵ５１０で否定判別された場合には、そのまま本処理を終了する。一方、ステップＵ５１０で肯定判別された場合には、ステップＵ５１１に進み、上保留カウンタＮａを１インクメントする。
【０４４０】
続くステップＵ５１２では、大当たり乱数カウンタＣ１、大当たり種別決定カウンタＣ２、及び変動選択カウンタＣ３の各値を、第１特別変動保留エリアの空いている保留エリアのうち最初のエリアに格納する。ステップＵ５１２の後、ステップＵ５１３に移行する。
【０４４１】
ステップＵ５１３では、新たに第１特別変動保留エリアに記憶された大当たり乱数カウンタＣ１の値が大当たりに対応する値であるか否かを判別する大当たり判定処理を行う。尚、ステップＵ５１３の大当たり判定処理は、上記ステップＵ５０５の大当たり判定処理と同様であり、処理の対象となる変動表示に関する情報が、上入賞口３３ａへの入球に基づくものであるといった点だけが異なる。このため、便宜上、詳細な説明は省略する。
【０４４２】
続くステップＵ５１４では、ステップＵ５１３で大当たり乱数カウンタＣ１の値が大当たりに対応する値であると判定された場合に、新たに第１特別変動保留エリアに記憶された大当たり種別決定カウンタＣ２の値に基づいて、大当たりの種別を判別する第１モード判定処理を行う。尚、第１モード判定処理の詳細については後述する。
【０４４３】
続くステップＵ５１５では、ステップＵ５１３で大当たり乱数カウンタＣ１の値が大当たりに対応する値ではないと判定された場合に、新たに第１特別変動保留エリアに記憶された変動選択カウンタＣ３の値に基づいて、リーチの種別を判別するリーチ判定処理を行う。ステップＵ５１５の後、本処理を終了する。尚、ステップＵ５１５のリーチ判定処理は、上記ステップＵ５０７のリーチ判定処理と同様であり、処理の対象となる変動表示に関する情報が、上入賞口３３ａへの球に基づくものであるといった点が異なる。このため、便宜上、詳細な説明は省略する。
【０４４４】
次に、ステップＵ５１４の第１モード判定処理について、図４２（ｂ）を参照して説明する。
【０４４５】
先ず、ステップＵ５４０１では、直前に行われた大当たり判定処理にて、大当たり当選フラグが設定されたか否かを判別する。ステップＵ５４０１で否定判別された場合には、そのまま本処理を終了する。
【０４４６】
一方、ステップＵ５４０１で肯定判別された場合には、ステップＵ５４０２において、第１大当たり種別判定テーブルを参酌し、新たに第１特別変動保留エリアに記憶された大当たり種別決定カウンタＣ２の値が、「通常大当たり」に対応する値「１２〜１９」のいずれかと一致するか否かを判別する。ステップＵ５４０２で肯定判別された場合には、ステップＵ５４０３において通常フラグをオンにした後、本処理を終了する。
【０４４７】
一方、ステップＵ５４０２で否定判別された場合には、ステップＵ５４０４において、第１大当たり種別判定テーブルを参酌し、大当たり種別決定カウンタＣ２の値が「ＪＵＢ大当たり」に対応する値「８〜１１」のいずれかと一致するか否かを判別する。当該ステップＵ５４０４で肯定判別された場合には、ステップＵ５４０５でＪＵＢフラグをオンにした後、本処理を終了する。
【０４４８】
一方、ステップＵ５４０４で否定判別された場合には、ステップＵ５４０６において、第１大当たり種別判定テーブルを参酌し、大当たり種別決定カウンタＣ２の値が「突確大当たり」に対応する値「６，７」のいずれかと一致するか否かを判別する。当該ステップＵ５４０６で肯定判別された場合には、ステップＵ５４０７で突確フラグをオンにした後、本処理を終了する。
【０４４９】
一方、ステップＵ５４０６で否定判別された場合には、ステップＵ５４０８で確変フラグをオンにした後、本処理を終了する。
【０４５０】
尚、ステップＵ５０６の第２モード判定処理や、ステップＵ５１４の第１モード判定処理などにより、本実施形態におけるモード決定手段が構成される。
【０４５１】
次に、ステップＵ３０５のスルーゲート通過処理について図４４のフローチャートを参照して説明する。
【０４５２】
ステップＵ６０１では、遊技球がスルーゲート３４を通過したか否かをスルーゲートスイッチ２２５の検出情報により判別する。
【０４５３】
ステップＵ６０１で否定判別された場合、そのまま本処理を終了する。一方、ステップＵ６０１にて肯定判別された場合、すなわち、遊技球がスルーゲート３４を通過したと判別されると、ステップＵ６０２において、普通図柄表示装置４１にて行われる変動表示の保留数をカウントする普通保留カウンタＮｃの値が上限値（本実施形態では４）未満であるか否かを判別する。ここで否定判別された場合には、そのまま本処理を終了する。一方、ステップＵ６０２で肯定判別された場合、すなわち、スルーゲート３４への遊技球の通過が確認され、且つ、普通保留カウンタＮｃの値＜４であることを条件にステップＵ６０３に進み、普通保留カウンタＮｃを１インクリメントする。
【０４５４】
また、続くステップＵ６０４では、当否に関わる乱数を取得する。具体的には、上記ステップＵ３０３の乱数更新処理で更新した普通図柄乱数カウンタＣ４の値を、ＲＡＭ５０３の普通変動保留エリアの空き記憶エリアのうち最初のエリアに格納する。その後、スルーゲート通過処理を終了する。
【０４５５】
次に、通常処理の流れを図３７のフローチャートを参照しながら説明する。この通常処理では遊技の主要な処理が実行される。その概要として、ステップＵ２０１〜Ｕ２１０の処理が４ｍｓｅｃ周期の定期処理として実行され、その残余時間でステップＵ２１１，ステップＵ２１２のカウンタ更新処理が実行される構成となっている。
【０４５６】
先ずステップＵ２０１では、前回の処理で更新された特別表示装置４３Ｌ、４３Ｒや始動入賞ユニット３３等の設定内容に基づいた制御信号を各装置に送信したり、コマンド等の出力データをサブ側の各制御装置に送信したりする外部出力処理を実行する。以下により詳しい具体例をいくつか挙げる。
【０４５７】
例えば、上記各種入球判別フラグを参酌して、一般入賞口３１など各種入賞口への遊技球の入賞の有無を判別し、入賞有りの場合には当該入賞に対応した個数に対応する賞球払出コマンドを払出制御装置３１１に対して送信する。そして、当該コマンドの送信後において、対応する入球判別フラグの値を「０」に戻す。
【０４５８】
また、エラー表示ランプ１０４を点滅させるためのコマンドなどが設定されている場合には、サブ制御装置２６２に対し当該コマンドを出力する。
【０４５９】
また、外部出力処理では後述する大当たり中フラグなど各種判別情報を参酌して、遊技状態を把握させるための情報が遊技ホールのホールコンピュータへ外部出力される。さらには、ホールコンピュータへのエラー情報などの出力もこの出力処理において実行される。
【０４６０】
例えば、入球エラーが検出された場合には、外部中継端子板２４０の所定の端子を介して、遊技ホールのホールコンピュータへオン信号（パルス信号）が出力され、入球エラーがない場合には、オフ信号が出力される。
【０４６１】
また、装飾図柄表示装置４２による装飾図柄の変動表示に際して、変動パターンコマンド、図柄コマンド等をサブ制御装置２６２に送信する。これに対し、変動パターンコマンド、図柄コマンド等を入力したサブ制御装置２６２は、かかる各種コマンドに基づいて、装飾図柄表示装置４２の変動態様を決定し、該変動態様を装飾図柄表示装置４２において表示（変動表示）するように表示制御装置４５に対し指示を出す。
【０４６２】
便宜上、ここで変動パターンコマンド等について説明する。変動パターンコマンドには、ノーマルリーチ、スーパーリーチ、プレミアムリーチといった装飾図柄の変動種別を特定する情報が含まれている。本実施形態では、図５２に示すように、例えば「通常モード」時には、「ＦＦ０８」，「ＦＦ０９」，「ＦＦ１１」，「ＦＦ１２」，「ＦＦ１３」，「ＦＦ１４」，「ＦＦ１５」，「ＦＦ１６」，「ＦＦ１７」のうちのいずれかが変動パターンコマンドとして設定される。同様に「確変モード」時には、「ＦＤ０７」，「ＦＤ０８」，「ＦＤ０９」，「ＦＤ１１」，「ＦＤ１２」，「ＦＤ１３」，「ＦＤ１４」，「ＦＤ１５」，「ＦＤ１６」，「ＦＤ１７」が設定される。「時間短縮モード」時には、「ＦＥ０７」，「ＦＥ０８」，「ＦＥ０９」，「ＦＥ１１」，「ＦＥ１２」，「ＦＥ１３」，「ＦＥ１４」，「ＦＥ１５」，「ＦＥ１６」，「ＦＥ１７」が設定される。
【０４６３】
一方、サブ制御装置２６２には、これらの変動パターンコマンドと装飾図柄の変動種別との関係がテーブルで記憶されている。そして、サブ制御装置２６２は、変動パターンコマンドに対応する変動パターンを実行する。
【０４６４】
以下、装飾図柄の変動種別、及び、変動種別と変動パターンコマンドとの対応関係について説明する。
【０４６５】
ノーマルリーチは、装飾図柄の変動以外には特段の演出表示がされないリーチパターンである。そして、ノーマルリーチに対応する変動パターンコマンドには「通常モード」時には「ＦＦ１１」が設定され、「確変モード」時には「ＦＤ１１」が設定され、「時間短縮モード」時には「ＦＥ１１」が設定される。なお、本実施形態では、ノーマルリーチが導出される変動表示時間は「通常モード」時で「２０秒」、「確変モード」時で「８秒」、「時間短縮モード」時で「１０秒」に設定されている。
【０４６６】
スーパーリーチは、装飾図柄の変動表示中（リーチ状態成立後）において、装飾図柄以外にも、装飾図柄表示装置４２にキャラクタ等が表示され、これにより遊技者に対し期待感を抱かせるリーチパターンである。本実施形態では、スーパーリーチには「通常モード」時で３０秒、４０秒、５０秒パターンの３種類（スーパーリーチＳＲ１，ＳＲ２，ＳＲ３）が用意されている。なお、「確変モード」時及び「時間短縮モード」時の変動表示時間は、上記ノーマルリーチ同様に「通常モード」時に比べ時間短縮されている。各リーチパターンに対応して、スーパーリーチＳＲ１ならば「通常モード」時で「ＦＦ１２」、「確変モード」時で「ＦＤ１２」、「時間短縮モード」時で「ＦＥ１２」が変動パターンコマンドに設定される。スーパーリーチＳＲ２ならば「通常モード」時で「ＦＦ１３」、「確変モード」時で「ＦＤ１３」、「時間短縮モード」時で「ＦＥ１３」が設定される。スーパーリーチＳＲ３ならば「通常モード」時で「ＦＦ１４」、「確変モード」時で「ＦＤ１４」、「時間短縮モード」時で「ＦＥ１４」が設定される。
【０４６７】
プレミアムリーチは、大当たり状態が発生する際にのみ導出され得る演出態様であり、装飾図柄の変動表示中（リーチ状態成立後）において、装飾図柄以外に、スーパーリーチとは異なるパターンのキャラクタ等が表示される態様で行われ、これにより遊技者に対し期待感を抱かせるリーチパターンである。本実施形態のプレミアムリーチには「通常モード」時で６０秒、７０秒パターンの２種類（プレミアムリーチＰＲ１，ＰＲ２）が用意されている。なお、「確変モード」時及び「時間短縮モード」時の変動表示時間は、上記ノーマルリーチ同様に「通常モード」時に比べ時間短縮されている。各リーチパターンに対応して、プレミアムリーチＰＲ１ならば「通常モード」時で「ＦＦ１５」、「確変モード」時で「ＦＤ１５」、「時間短縮モード」時で「ＦＥ１５」が変動パターンコマンドに設定される。プレミアムリーチＰＲ２ならば「通常モード」時で「ＦＦ１６」、「確変モード」時で「ＦＤ１６」、「時間短縮モード」時で「ＦＥ１６」が設定される。
【０４６８】
また、いずれのリーチ状態にもならない「完全外れ」に対応する変動パターンコマンドは、上入賞口３３ａへの入賞を契機とする変動表示（第１変動表示）の保留数をカウントする上保留カウンタＮａの値と、下入賞口３３ｂへの入球を契機とする変動表示（第２変動表示）の保留数をカウントする下保留カウンタＮｂの値との合計値（合計保留数）の違いに応じて複数設定されている。本実施形態では、１０秒、５秒、３秒パターンの３種類（「完全外れ（１０ｓ）」，「完全外れ（５ｓ）」，「完全外れ（３ｓ）」）が用意されている。但し、「完全外れ（３ｓ）」パターンは、「確変モード」時又は「時間短縮モード」時にのみ出力され得るものである。
【０４６９】
詳しくは、「通常モード」時で合計保留数が「０」〜「２」の場合には、「完全外れ（１０ｓ）」に対応する「ＦＦ０９」が変動パターンコマンドに設定され、「通常モード」時で合計保留数が「３」以上の場合には、「完全外れ（５ｓ）」に対応する「ＦＦ０８」が設定される。
【０４７０】
「確変モード」時で合計保留数が「０」の場合には、「完全外れ（１０ｓ）」に対応する「ＦＤ０９」が変動パターンコマンドに設定され、「確変モード」時で合計保留数が「１」〜「３」の場合には、「完全外れ（５ｓ）」に対応する「ＦＤ０８」が設定され、「確変モード」時で合計保留数が「４」以上の場合には、「完全外れ（３ｓ）」に対応する「ＦＤ０７」が設定される。
【０４７１】
「時間短縮モード」時で合計保留数が「０」の場合には、「完全外れ（１０ｓ）」に対応する「ＦＥ０９」が変動パターンコマンドに設定され、「時間短縮モード」時で合計保留数が「１」〜「３」の場合には、「完全外れ（５ｓ）」に対応する「ＦＥ０８」が設定され、「時間短縮モード」時で合計保留数が「４」以上の場合には、「完全外れ（３ｓ）」に対応する「ＦＥ０７」が設定される。
【０４７２】
さらに、上記のように、本実施形態では、「突確大当たり」又は「ＪＵＢ大当たり」となる場合には、装飾図柄表示装置４２にてリーチ状態が発生することなく、上・中・下図柄表示領域に「３」・「４」・「１」の図柄（チャンス図柄）が停止表示される。また、「小当たり」となる場合も同様、装飾図柄表示装置４２にてリーチ状態が発生することなく、上・中・下図柄表示領域に前記チャンス図柄が停止表示される。これにより、遊技者は、チャンス図柄が停止表示された場合に、より遊技者に有利な「ＪＵＢ大当たり」と、それほど有利ではない「突確大当たり」又は「小当たり」との区別をつけることができず、「ＪＵＢ大当たり」が発生することの期待を抱くことができるので、遊技者の趣向低下を抑制することができる。そして、本実施形態では、「突確大当たり」、「ＪＵＢ大当たり」及び「小当たり」に対応する変動パターンコマンドには「通常モード」時で「ＦＦ１７」が変動パターンコマンドに設定され、確変モード時で「ＦＤ１７」、時間短縮モード時「ＦＥ１７」が設定される。
【０４７３】
上記のように変動パターンコマンドは、２バイト構成からなっている。２バイト構成からなるコマンドのうち、１バイト目（上位バイト）は、その時点の遊技モードを判別可能なモード情報によって構成されている。より詳しくは、「ＦＦ」が「通常モード」を示すモード情報に相当し、「ＦＤ」が「確変モード」を示すモード情報に相当し、「ＦＥ」が「時間短縮モード」を示すモード情報に相当する。
【０４７４】
また、２バイト目（下位バイト）は、ノーマルリーチ等の演出に係る時間情報及び変動パターンを示唆する、より具体的な指示内容に該当するパターン情報によって構成されている。
【０４７５】
また、サブ制御装置２６２は、図柄コマンドに基づき停止図柄（停止図柄の組合わせ）を決定して、変動時間経過後に表示する。図柄コマンドは、サブ制御装置２６２に停止図柄を決定させるコマンドであり、確変図柄の組合わせ、通常図柄の組合わせ、前後外れ図柄の組合わせ、前後外れ以外図柄の組合わせ、完全外れ図柄の組合わせ、チャンス図柄の組合わせという６つの区分を指定するものである。これらの区分は、例えば、「Ａ１」，「Ａ２」，「Ａ３」，「Ａ４」，「Ａ５」，「Ａ６」で示され、この内のいずれかが図柄コマンドとして設定される。一方、サブ制御装置２６２には、これらのコマンドと停止図柄との関係がテーブルで記憶されている。そして、サブ制御装置２６２は、図柄コマンドに対応する停止図柄を表示する。
【０４７６】
以下、停止図柄の区分及び、停止図柄と図柄コマンドとの対応関係について説明する。
【０４７７】
確変図柄の組合わせは、１，３，５，７，９の数字のゾロ目からなる図柄の組合わせであり、確変図柄の組合わせに対応する図柄コマンドには「Ａ１」が設定される。そして、サブ制御装置２６２は、図柄コマンドに確変図柄を示す「Ａ１」が設定されている場合、１，３，５，７，９の数字のゾロ目からなる図柄の組合わせのうちの一つを停止図柄として決定する。
【０４７８】
通常図柄の組合わせは、０，２，４，６，８の数字のゾロ目からなる図柄の組合わせであり、通常図柄の組合わせに対応する図柄コマンドには「Ａ２」が設定される。そして、サブ制御装置２６２は、図柄コマンドに通常図柄を示す「Ａ２」が設定されている場合、０，２，４，６，８の数字のゾロ目からなる図柄の組合わせのうちの一つを停止図柄として決定する。
【０４７９】
前後外れ図柄の組合わせは、リーチ発生した後、最終停止図柄がリーチ図柄の前後に１つだけずれて停止する「前後外れリーチ」に対応するものであり、前後外れ図柄の組合わせに対応する図柄コマンドには「Ａ３」が設定される。前後外れ以外図柄の組合わせは、リーチ発生した後、最終停止図柄がリーチ図柄の前後以外で停止する「前後外れ以外リーチ」に対応するものであり、前後外れ以外図柄の組合わせに対応する図柄コマンドには「Ａ４」が設定される。完全外れ図柄の組合わせは、リーチ発生しない「完全外れ」に対応するものであり、完全外れ図柄の組合わせに対応する図柄コマンドには「Ａ５」が設定される。また、チャンス図柄の組合わせに対応する図柄コマンドには「Ａ６」が設定される。ちなみに、チャンス図柄は１種類であり、本例では、各図柄表示領域にて停止表示される装飾図柄が上から「３」・「４」・「１」となっている。
【０４８０】
なお、詳しくは後述するが、図柄コマンドに「Ａ３」〜「Ａ５」が設定されている場合、サブ制御装置２６２は、対応するＲＡＭ５５３のカウンタ用バッファに格納されている図柄の組合わせを停止図柄として決定する。また、図柄コマンドに「Ａ６」が設定されている場合、サブ制御装置２６２は、装飾図柄の組合わせとしてチャンス図柄を選択する。尚、本実施形態では、外れ用の図柄コマンドに「Ａ３」〜「Ａ５」の３つのコマンドを用意しているが、これに限らず、例えば外れ用の図柄コマンドが１つだけの構成としてもよい。
【０４８１】
図３７の説明に戻り、ステップＵ２０２では、変動種別カウンタＣＳ１，ＣＳ２の更新を実行する。より具体的には、他のカウンタと同様に、変動種別カウンタＣＳ１，ＣＳ２を１インクリメントすると共に、それらのカウンタ値が上限値（本実施形態では１９８，２４０）に達した際、それぞれ０にクリアする。そして、変動種別カウンタＣＳ１，ＣＳ２の更新値を、ＲＡＭ５０３の該当するバッファ領域に格納する。
【０４８２】
続くステップＵ２０３では、払出制御装置３１１より受信した賞球計数信号を読み込む。次に、ステップＵ２０４では、払出制御装置３１１より受信した払出異常信号を読み込む。
【０４８３】
その後、ステップＵ２０５では、第１表示制御処理を実行する。この処理では、第１及び第２特別表示装置４３Ｌ、４３Ｒにおいてどのような制御を行うか当該特別表示装置４３Ｌ、４３Ｒの制御内容の設定が行われると共に、大当たり判定や装飾図柄表示装置４２における装飾図柄の変動パターンの設定などが行われる。この第１表示制御処理の詳細は後述する。
【０４８４】
ステップＵ２０６では、可変入賞装置制御処理を実行する。この処理では、可変入賞装置３２においてどのような制御を行うか当該可変入賞装置３２の制御内容の設定が行われる。これにより、大当たり状態や小当たり状態となった場合には、可変入賞装置３２の大入賞口の開閉処理が所定回数繰り返し実行される。可変入賞装置制御処理の詳細は後述する。
【０４８５】
ステップＵ２０７では、第２表示制御処理を実行する。この処理では、普通図柄表示装置４１おいてどのような制御を行うか当該普通図柄表示装置４１の制御内容の設定などが行われる。この第２表示制御処理の詳細は後述する。
【０４８６】
ステップＵ２０８では、契機対応ユニット制御処理を実行する。この処理では、始動入賞ユニット３３においてどのような制御を行うか当該始動入賞ユニット３３の制御内容の設定が行われる。
【０４８７】
その後は、ステップＵ２０９において、ＲＡＭ５０３のバックアップエリア５０３ａに電源断の発生情報が設定されているか否かを判別する。ここでバックアップエリア５０３ａに電源断の発生情報が設定されていなければ、ステップＵ２１０で、次の通常処理の実行タイミングに至ったか否か、すなわち前回の通常処理の開始から所定時間（本実施の形態では４ｍｓｅｃ）が経過したか否かを判別する。そして、既に所定時間が経過していれば、ステップＵ２０１へ移行し、上記ステップＵ２０１以降の処理を繰り返し実行する。
【０４８８】
一方、前回の通常処理の開始から未だに所定時間が経過していなければ、次の通常処理の実行タイミングに至るまでの残余時間内において、乱数初期値カウンタＣＩＮＩ及び変動種別カウンタＣＳ１，ＣＳ２の更新を繰り返し実行する（ステップＵ２１１，ステップＵ２１２）。
【０４８９】
つまり、ステップＵ２１１では、乱数初期値カウンタＣＩＮＩの更新を実行する。具体的には、乱数初期値カウンタＣＩＮＩを１インクリメントすると共に、そのカウンタ値が最大値（本例では５９９）に達した際０にクリアする。
【０４９０】
また、ステップＵ２１２では、変動種別カウンタＣＳ１，ＣＳ２の更新を実行する（前記ステップＵ２０２と同様）。具体的には、変動種別カウンタＣＳ１，ＣＳ２を１インクリメントすると共に、それらのカウンタ値が最大値（本例では１９８，２４０）に達した際それぞれ０にクリアする。そして、変動種別カウンタＣＳ１，ＣＳ２の変更値を、ＲＡＭ５０３の該当するバッファ領域に格納する。
【０４９１】
ここで、ステップＵ２０１〜Ｕ２０９の各処理の実行時間は遊技の状態に応じて変化するため、次の通常処理の実行タイミングに至るまでの残余時間は一定ではなく変動する。故に、かかる残余時間を使用して乱数初期値カウンタＣＩＮＩの更新を繰り返し実行することにより、乱数初期値カウンタＣＩＮＩ（すなわち大当たり乱数カウンタＣ１の初期値）をランダムに更新することができ、同様に変動種別カウンタＣＳ１，ＣＳ２についてもランダムに更新することができる。
【０４９２】
さて、ＲＡＭ５０３のバックアップエリア５０３ａに電源断の発生情報が設定されていれば（ステップＵ２０９：ＹＥＳ）、電源が遮断されたことになるので、電源断時の停電処理としてステップＵ２１３以降の処理が行われる。停電処理は、まずステップＵ２１３において各割込み処理の発生を禁止し、ステップＵ２１４において、ＣＰＵ５０１が使用している各レジスタの内容をスタックエリアに退避し、ステップＵ２１５において、スタックポインタの値をバックアップエリア５０３ａに記憶する。その後、ステップＵ２１６において、電源が遮断されたことを示す電源断通知コマンドを他の制御装置（払出制御装置３１１等）に対して送信する。そして、ステップＵ２１７でＲＡＭ判定値を算出し、バックアップエリア５０３ａに保存する。ＲＡＭ判定値は、例えば、ＲＡＭ５０３の作業領域アドレスにおけるチェックサム値である。その後、ステップＵ２１８でＲＡＭアクセスを禁止して、電源が完全に遮断して処理が実行できなくなるまで無限ループを継続する。
【０４９３】
なお、ステップＵ２０９の処理は、ステップＵ２０１〜Ｕ２０８で行われる遊技の状態変化に対応した一連の処理の終了時、又は、残余時間内に行われるステップＵ２１１，Ｕ２１２の処理の１サイクルの終了時となるタイミングで実行されている。よって、主制御装置２６１の通常処理において、各処理の終了時に電源断の発生情報を確認しているので、各処理が途中の場合と比較してＲＡＭ５０３のバックアップエリア５０３ａに記憶するデータ量が少なくなり、容易に記憶することができる。また、電源遮断前の状態に復帰する場合には、バックアップエリア５０３ａに記憶されているデータ量が少ないので、容易に復帰させることができ、主制御装置２６１の処理の負担を軽減することができる。さらに、データの記憶前に割込み処理の発生を禁止（ステップＵ２１３）するので、電源が遮断されたときのデータが変更されることを防止でき、電源遮断前の状態を確実に記憶することができる。
【０４９４】
次に、前記ステップＵ２０５の第１表示制御処理について図４５のフローチャートを参照して説明する。
【０４９５】
図４５において、ステップＵ８０１では、詳しくは後述する各種当たり中フラグ（大当たり中フラグ及び小当たり中フラグ）を参照し、今現在、当たり中（大当たり状態中又は小当たり状態中）であるか否かを判別する。尚、当たり状態（大当たり状態及び小当たり状態）中には、当たり状態の最中と当たり状態終了後の所定時間とが含まれる。ここで言う当たり状態終了後の所定時間とは、当たり状態終了後、通常遊技（特別表示装置４３Ｌ、４３Ｒにおける変動表示）が開始されるまでの時間であり、一般にこの時間帯は、装飾図柄表示装置４２にて当たり状態の終了や当たり後に付与される各種モードを示す表示などが行われる。また、特別表示装置４３Ｌ、４３Ｒ、及び装飾図柄表示装置４２にて変動表示が当たりに対応する態様にて停止表示されてから可変入賞装置３２（大入賞口）が開放されるまでの間の期間（一般にこの時間帯は装飾図柄表示装置４２にて当たり状態の開始を示す表示が行われる）についても当たり中に含まれる。
【０４９６】
ステップＵ８０１で肯定判別された場合、すなわち当たり状態中である場合には、そのまま本処理を終了する、一方、ステップＵ８０１で否定判別された場合には、ステップＵ８０２において、詳しくは後述する第１表示中フラグの設定状況を見て、第１又は第２特別表示装置４３Ｌ、４３Ｒ（装飾図柄表示装置４２）にて変動表示中であるか否かを判別する。詳しくは、第１表示中フラグが設定されている場合（オン状態の場合）には変動表示中とみなされ、第１表示中フラグが解除されている場合（オフ状態の場合）には、変動表示が停止した状態にあたる停止表示中であるとみなされる。尚、詳しくは後述するが、第１表示中フラグは、第１及び第２特別表示装置４３Ｌ、４３Ｒの変動表示を開始する際（ステップＵ９２０参照）にオンにされ、第１及び第２特別表示装置４３Ｌ、４３Ｒの変動表示が停止表示される際（ステップＵ８１４参照）にオフにされる。
【０４９７】
そして、ステップＵ８０２で否定判別された場合、すなわち、当たり状態中でなくさらに変動表示中でもない場合には、ステップＵ８０３に進み、下入賞口３３ｂへの入球を契機とする変動表示（第２変動表示）の保留数をカウントする下保留カウンタＮｂの値が０よりも大きいか否かを判別する。
【０４９８】
ステップＵ８０３で肯定判別された場合、すなわち、第２変動表示が１つでも保留記憶されている場合には、ステップＵ８０４において、下保留カウンタＮｂから１を減算する。尚、本実施形態では、ステップＵ８０３の判別処理により、第２変動表示が保留記憶されている場合には、第１変動表示を実行することなく第２変動表示を実行することとなる。つまり、第２変動表示よりも第１変動表示の方が早くに保留記憶された場合であっても、第２変動表示を優先して消化する（第１変動表示を後回しにする）構成となっている。
【０４９９】
続くステップＵ８０５では、第２特別変動保留エリアに格納されたデータをシフトさせる処理を実行する。このデータシフト処理は、第２特別変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。ステップＵ８０５の後、ステップＵ８０６において、第２保留ランプ４６ｂを点灯・消灯させる処理や、変動特定ランプ４０を赤色に発光させる処理を行ってから、ステップＵ８０７に移行する。
【０５００】
また、ステップＵ８０３で否定判定された場合、すなわち、第２変動表示が１つも保留記憶されていない場合には、ステップＵ８０８において、上入賞口３３ａへの入球を契機とする変動表示（第１変動表示）の保留数をカウントする上保留カウンタＮａが０よりも大きいか否かを判別する。当該ステップＵ８０８で否定判別された場合には、そのまま本処理を終了する。
【０５０１】
一方、ステップＵ８０８で肯定判別された場合には、ステップＵ８０９において、上保留カウンタＮａから１を減算する。続くステップＵ８１０では、第１特別変動保留エリアに格納されたデータをシフトさせる処理を実行する。このデータシフト処理は、第１特別変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。ステップＵ８１０の後、ステップＵ８１１において、第１保留ランプ４６ａを点灯・消灯させる処理や、変動特定ランプ４０を青色に発光させる処理を行ってから、ステップＵ８０７に移行する。尚、本実施形態では、特別変動保留エリアの実行エリアは１つであり、第１特別変動保留エリア及び第２特別変動保留エリアに格納されているデータは、当該データに基づく変動表示を行う際に、共通の実行エリアにシフトされることとなる。
【０５０２】
ステップＵ８０７では変動表示設定処理が行われる。ここで、変動表示設定処理の詳細について、図４６を参照して説明する。
【０５０３】
先ずステップＵ９０１では、上記小当たり当選フラグがオンであるか否かを判別することで、変動表示が小当たりに対応するものであるか否かを判別する。
【０５０４】
ここで小当たりに対応するものであると判断された場合にはステップＵ９１０へ移行する。一方、小当たりでないと判断された場合には、ステップＵ９０２へ移行する。
【０５０５】
ステップＵ９０２では、上記大当たり当選フラグがオンであるか否かを判別することで、変動表示が大当たりに対応するものであるか否かを判別する。
【０５０６】
ここで大当たりに対応するものであると判断された場合にはステップＵ９０３へ移行する。一方、大当たりでも小当たりでもないと判断された場合、すなわち外れである場合には、ステップＵ９１２へ移行する。
【０５０７】
ステップＵ９０３では、確変フラグがオンであるか否かを判別することで、変動表示が「確変大当たり」に対応したものであるか否かを判別する。
【０５０８】
ステップＵ９０３で肯定判別された場合、すなわち「確変大当たり」である場合には、ステップＵ９０４にて「確変大当たり」に対応する変動パターンを決定し、変動パターンコマンドに設定する。その後、ステップＵ９０５にて確変図柄（本実施形態では「Ａ１」）を図柄コマンドに設定して、ステップＵ９２０へ移行する。
【０５０９】
ステップＵ９０３で否定判別された場合には、ステップＵ９０６に移行し、通常フラグがオンであるか否かを判別することで、変動表示が「通常大当たり」に対応したものであるか否かを判別する。当該ステップＵ９０６で肯定判別された場合、すなわち「通常大当たり」である場合には、ステップＵ９０７にて「通常大当たり」に対応する変動パターンを決定し、変動パターンコマンドに設定する。その後、ステップＵ９０８にて通常図柄（本実施形態では「Ａ２」）を図柄コマンドに設定して、ステップＵ９２０へ移行する。
【０５１０】
尚、ステップＵ９０４，ステップＵ９０７では、ＲＡＭ５０３のカウンタ用バッファに格納されている変動種別カウンタＣＳ１，ＣＳ２の値を確認し、第１及び第２変動種別カウンタＣＳ１、ＣＳ２の値に基づいて装飾図柄の図柄変動態様を決定する。なお、第１変動種別カウンタＣＳ１の数値とリーチパターン（変動種別）との関係、第２変動種別カウンタＣＳ２の数値と変動時間との関係は、上記第１実施形態と同様、遊技モード毎にテーブル等により予め規定されている。
【０５１１】
また、ステップＵ９０６で否定判別された場合には、ステップＵ９０９に移行し、突確フラグ又はＪＵＢフラグがオンであるか否かを判別することで、変動表示が「突確大当たり」又は「ＪＵＢ大当たり」に対応したものであるか否かを判別する。当該ステップＵ９０９で肯定判別された場合、すなわち「突確大当たり」又は「ＪＵＢ大当たり」である場合には、ステップＵ９１０へ移行する。
【０５１２】
ステップＵ９１０においては、「突確大当たり」及び「ＪＵＢ大当たり」並びに「小当たり」に対応する変動パターン（チャンス変動パターン）を決定し、変動パターンコマンドに設定する。その後、ステップＵ９１１にてチャンス図柄（本実施形態では「Ａ６」）を図柄コマンドに設定して、ステップＵ９２０へ移行する。尚、上記のように、「突確大当たり」及び「ＪＵＢ大当たり」並びに「小当たり」に対応する変動パターンコマンドには、遊技状態に応じて、「通常モード」時には「ＦＦ１７」、「確変モード」時には「ＦＤ１７」、「時間短縮モード」時には「ＦＥ１７」が設定される。
【０５１３】
また、ステップＵ９０２で否定判別された場合、すなわち「外れ」である場合には、ステップＵ９１２において、前後フラグがオンであるか否かを判別する。
【０５１４】
ステップＵ９１２で肯定判別された場合、すなわち、「前後外れリーチ」である場合には、ステップＵ９１３にて「前後外れリーチ」に対応する変動パターンを決定し、変動パターンコマンドに設定するとともに前後フラグをオフする。その後、ステップＵ９１４にて前後外れ図柄を図柄コマンドに設定して、ステップＵ９２０へ移行する。
【０５１５】
一方、ステップ９１２で否定判別された場合、ステップＵ９１５において、前後以外フラグがオンであるか否かを判別する。当該ステップＵ９１５で肯定判別された場合、すなわち、「前後外れ以外リーチ」である場合には、ステップＵ９１６にて「前後外れ以外リーチ」に対応する変動パターンを決定し、変動パターンコマンドに設定するとともに前後以外フラグをオフする。その後、ステップＵ９１７にて前後外れ以外図柄を図柄コマンドに設定して、ステップＵ９２０へ移行する。
【０５１６】
また、ステップＵ９１５で否定判別された場合、すなわち「完全外れ」である場合には、ステップＵ９１８にて外れ変動パターンを決定し、変動パターンコマンドに設定する。その後、ステップＵ９１９にて完全外れ図柄を図柄コマンドに設定して、ステップＵ９２０へ移行する。
【０５１７】
尚、上記ステップＵ９１３，ステップＵ９１６，ステップＵ９１８で「外れ」時の変動パターンを決定する際、ＲＡＭ５０３のカウンタ用バッファに格納されている変動種別カウンタＣＳ１，ＣＳ２の値に基づいて変動パターンが決定されるのは前記ステップＵ９０４やステップＵ９０７等と同様である。例えば、ここで完全外れ時（Ｃ３＝２２〜２３８）においては、変動種別カウンタＣＳ１，ＣＳ２の値にかかわらず、「通常モード」時で合計保留数が「０」〜「２」の場合には、「完全外れ（１０ｓ）」に対応する「ＦＦ０９」が変動パターンコマンドに設定され、「通常モード」時で合計保留数が「３」以上の場合には、「完全外れ（５ｓ）」に対応する「ＦＦ０８」が設定される。
【０５１８】
また、ステップＵ９１４，ステップＵ９１７，ステップＵ９１９における図柄コマンドが外れの図柄の組合わせの所定区分を指示するものであることも、上記ステップＵ９０５、ステップＵ９０８等と同様である。具体的には、前後外れ図柄の組合わせを示す「Ａ３」が図柄コマンドに設定されると、当該図柄コマンドを受信したサブ制御装置２６２は、ＲＡＭ５５３の前後外れリーチ図柄バッファに格納されている前後外れリーチに対応する図柄の組合わせを停止図柄として決定する。前後外れ以外図柄の組合わせを示す「Ａ４」が図柄コマンドに設定されると、ＲＡＭ５５３の前後外れ以外リーチ図柄バッファに格納されている前後外れ以外リーチに対応する図柄の組合わせを、サブ制御装置２６２が停止図柄として決定する。完全外れ図柄の組合わせを示す「Ａ５」が図柄コマンドに設定されると、ＲＡＭ５５３の完全外れ図柄バッファに格納されている完全外れに対応する図柄の組合わせを、サブ制御装置２６２が停止図柄として決定する。
【０５１９】
さて、ステップＵ９２０では、特別表示装置４３Ｌ、４３Ｒにおいて切替表示（変動表示）を行う条件が成立したことを示す開始設定処理を行う。この開始設定処理では、特別表示装置４３Ｌ、４３Ｒにて変動表示中であるか否かを示す第１表示中フラグがオンにされるとともに、第１表示タイマの設定処理が行われる。第１表示タイマとは、特別表示装置４３Ｌ、４３Ｒにおける変動時間（変動表示の残余時間）を計測する手段であり、変動表示開始から所定時間が経過したか否かを判別する際に参酌される。なお、本実施形態における特別表示装置４３Ｌ、４３Ｒの変動表示時間は、上記変動種別カウンタＣＳ１，ＣＳ２により選出される装飾図柄の変動パターンに対応した値が設定される。このような第１表示タイマの設定に基づき、次回の通常処理の外部出力処理において、特別表示装置４３Ｌ、４３Ｒに対し切替表示（変動表示）を開始する旨の制御信号が出力された場合には、特別表示装置４３Ｌ、４３Ｒにおいて切替表示（変動表示）が開始される。特別表示装置４３Ｌ、４３Ｒは上述したような７セグメント表示装置であり、表示されている文字が「−」であれば「７」、「７」であれば「３」、「３」であれば「２」、「２」であれば「１」、「１」であれば「０」、「０」であれば「−」へ（但し、第２特別表示装置４２Ｒに関しては「２」，「１」が表示されることはなく、表示されている文字が「３」であれば「０」へ）切替表示を行う。そして、ステップＵ９２０の終了後、変動表示設定処理を終了する。
【０５２０】
図４５の説明に戻り、ステップＵ８０２で肯定判別された場合、すなわち変動表示中である場合には、ステップＵ８１２に進み、第１表示タイマ減算処理を行う。この処理が１回行われる毎に第１表示タイマの値が４ｍｓｅｃずつ減算されていく。例えば変動時間が１０秒（１００００ｍｓｅｃ）の場合には、第１表示タイマに対して「２５００」が設定され、４ｍｓｅｃ毎に１減算される。
【０５２１】
続いてステップＵ８１３に進み、上記減算後の第１表示タイマの値を参酌して所定の変動時間が経過したか否かを判別する。このとき、所定の変動時間が経過した時すなわち第１表示タイマの値が「０」となった時にステップＵ８１３が肯定判別される。
【０５２２】
ステップＵ８１３で否定判別された場合には、ステップＵ８１７において、特別表示装置４３Ｌ、４３Ｒの切替表示（変動表示）を継続して行うための切替表示設定を行い、本処理を終了する。尚、切替表示設定の設定内容に基づき、次回の通常処理における外部出力処理において、特別表示装置４３Ｌ、４３Ｒに対し切替表示を行う旨の制御信号が出力される。具体的には、現在表示されている文字が「−」であれば「７」、「７」であれば「３」、「３」であれば「２」、「２」であれば「１」、「１」であれば「０」、「０」であれば「−」（但し、第２特別表示装置４３Ｒに関しては「３」であれば「０」）への切替えを行うよう設定する。これによって、第１表示制御処理のタイミング、すなわち４ｍｓ毎に特別表示装置４３Ｌ、４３Ｒの切替表示（変動表示）が実現される。
【０５２３】
一方、ステップＵ８１３で肯定判別された場合には、ステップＵ８１４において第１表示中フラグを解除（オフ）し、ステップＵ８１５において特別表示装置４３Ｌ、４３Ｒにて停止表示を行うための停止表示設定を行う。この停止表示設定の設定内容に基づき、次回の通常処理における外部出力処理において、特別表示装置４３Ｌ、４２Ｒに対し停止表示を行う旨の制御信号が出力される。すなわち、「確変モード」への移行を伴う「確変大当たり」である場合には「７」を停止表示（例えば数秒間だけ点灯）させ、「時間短縮モード」への移行を伴う「通常大当たり」である場合には「３」を停止表示させ、「確変モード」への移行を伴う「突確大当たり」である場合には「２」を停止表示させ、「確変モード」への移行を伴う「ＪＵＢ大当たり」である場合には「１」を停止表示させ、「小当たり」である場合には「０」を停止表示させ、外れである場合には「−」を停止表示させる。繰り返しとなるが、このような特別表示装置４３Ｌ、４３Ｒによる停止表示が主となる表示であり、装飾図柄表示装置４２による装飾図柄の表示はあくまでも補助的なものとなっている。
【０５２４】
続いて、ステップＵ８１６において判別情報設定処理を行った後、本処理を終了する。ここで、判別情報設定処理について、図４７を参照して説明する。
【０５２５】
先ず、ステップＵ１００１において、上記大当たり当選フラグ及び小当たり当選フラグを参酌し、停止表示が大当たり又は小当たりに対応するか否かを判別する。ここで、大当たり又は小当たりに対応する場合には、ステップＵ１００２へ移行し、当たり設定を行う。具体的には、大当たり中フラグ、小当たり中フラグ、第１可変フラグ、第１可変タイマ、開放数カウンタ及び入賞カウンタ等の設定処理を行う。そして、ステップＵ１００２の終了後、判別情報設定処理を終了する。
【０５２６】
大当たり中フラグとは、大当たり状態中か否かを判別するための状態判別情報であり、ここでは大当たり状態の発生を示す「１」がフラグ値として設定される（オンされる）。
【０５２７】
小当たり中フラグとは、小当たり状態中か否かを判別するための状態判別情報であり、ここでは大当たり中フラグと同様、小当たり状態の発生を示す「１」がフラグ値として設定される（オンされる）。
【０５２８】
第１可変フラグとは、可変入賞装置３２（大入賞口）が開状態中であるか否かを判別するための判別情報である。
【０５２９】
第１可変タイマとは、可変入賞装置３２の開放時間（特賞状態の発生時間）や各特賞状態間のインターバル等を計測するための計測手段であり、開閉部材３２ａの開放開始又は開放終了から規定時間が経過したか否かを判別する際等に参酌される。本実施形態におけるステップＵ１００２の当たり設定処理では、第１可変タイマに対して「７５００」又は「１００」が値として設定される。これにより、開閉部材３２ａの１開閉動作あたりの最大開放時間（規定時間）が「３０秒」又は「０．４秒」に設定されることとなる。本実施形態では、上記「長開放」の場合には、第１可変タイマに「７５００」が設定され、上記「短開放」の場合には、第１可変タイマに「１００」が設定される。
【０５３０】
開放数カウンタとは、大当たり状態中又は小当たり状態中に実行される特賞状態の発生回数、つまり可変入賞装置３２の開閉処理（「長開放」又は「短開放」）の実行回数を判別するための判別情報であり、本実施形態におけるステップＵ１００２の当たり設定処理では１０回を示す「１０」がカウンタ値として設定される。
【０５３１】
入賞カウンタとは、可変入賞装置３２へ入球した遊技球の数を計数する入球計数手段である。本実施形態では、タイマ割込み処理のスイッチ読み込み処理（図３８参照）に際して、可変入賞装置３２への入球があったか否かをカウントスイッチ２２３に対応する入球判別フラグの値に基づき判別し、可変入賞装置３２への入球があったと判別されると、入賞カウンタＶｘの値が１加算される。
【０５３２】
また、ステップＵ１００２の当たり設定処理では、開閉部材３２ａの１開閉動作（一回の特賞状態）あたりの可変入賞装置３２への最大入球予定数である規定個数Ｋ１の設定を行う。規定個数Ｋ１は、上述したとおり、「長開放」又は「短開放」といった開放種別（一回の開閉動作に係る開閉部材の動作態様）ごとに予め定められている。例えば「長開放」であれば規定個数Ｋ１として「１０」、「短開放」であれば規定個数Ｋ１として「１」が設定される。なお、開放種別と最大入球予定数（規定個数Ｋ１）との対応関係を定めた入球予定数判定テーブル（図５４参照）はＲＯＭ５０２に記憶されており、かかる設定処理を行う際に参酌される。
【０５３３】
さて、ステップＵ１００１において、大当たり又は小当たりに対応しない、すなわち上記大当たり当選フラグ及び小当たり当選フラグがオフであると判別された場合には、ステップＵ１００３へ移行する。
【０５３４】
ステップＵ１００３では、変動回数カウンタのカウンタ値が「０」か否かを判別する。変動回数カウンタとは、時間短縮状態の継続期間（変動表示何回分か）を計測するための手段であり、後述するように「通常大当たり」終了後にカウンタ値として「１００」が設定される。
【０５３５】
ここで、変動回数カウンタのカウンタ値が「０」の場合には、そのまま本処理を終了する。一方、変動回数カウンタが設定されている場合（カウンタ値が「０」以外の場合）には、時間短縮状態の設定中とみなし、ステップＵ１００４において、変動回数カウンタの値を１減算する処理を行い、ステップＵ１００５へ移行する。
【０５３６】
ステップＵ１００５では、変動回数カウンタのカウンタ値が「０」か否かを判別する。つまり、今回の変動表示が、「通常大当たり」の終了後（時間短縮状態の付与後）、１００回目の変動表示であったか否かを判別する。ここで、変動回数カウンタの値が「０」であれば、ステップＵ１００６において後述する高入球状態フラグをオフする処理を行い、ステップＵ１００７において後述する時間短縮状態フラグをオフする処理を行い、本処理を終了する。
【０５３７】
一方、ステップＵ１００５で、変動回数カウンタのカウンタ値が「０」でないと判別された場合には、そのまま本処理を終了する。
【０５３８】
次に、上記ステップＵ２０６の可変入賞装置制御処理について図４８のフローチャートを参照して説明する。かかる可変入賞装置制御処理の機能が本実施形態における開閉制御手段を構成する。
【０５３９】
まずステップＵ１２０１において大当たり中フラグ又は小当たり中フラグがオンであるか否かを判別する。ここで否定判別された場合には、本処理をそのまま終了する。
【０５４０】
ステップＵ１２０２で肯定判別された場合には、続くステップＵ１２０２において、上記第１可変タイマのカウント値を１減算する。
【０５４１】
続くステップＵ１２０３では、第１可変フラグがオンであるか否かを判別する。ここで肯定判別された場合、すなわち可変入賞装置３２が開状態である場合には、ステップＵ１２０４に進み、第１可変タイマのカウント値が「０」であるか否か、すなわち開閉部材３２ａの１開閉動作（「長開放」又は「短開放」）あたりの開放時間（規定時間「３０秒」又は「０．４秒」）が残されているか否かを判別する。
【０５４２】
ステップＵ１２０４にて否定判別された場合には、ステップＵ１２０５に進み、入賞カウンタＶｘの値が規定個数Ｋ１以上であるか否か、すなわち１回の特賞状態で可変入賞装置３２へ入賞した遊技球の球数が最大入球予定数（規定個数「１０個」又は「１個」）に達したか否かを判別する。ステップＵ１２０５にて否定判別された場合、すなわち可変入賞装置３２を閉状態とするタイミング（特賞状態終了のタイミング）が未だ到来していない場合には、そのまま本処理を終了する。
【０５４３】
一方、ステップＵ１２０４又はステップＵ１２０５にて肯定判別された場合には、ステップＵ１２０６に進み、第１可変タイマ及び判定値Ｋ２の設定処理を行う。
【０５４４】
ここで、第１可変タイマには、特賞状態の終了から所定時間が経過したか否か（例えば大当たりや小当たりの終了から所定時間が経過したか否か、所定の特賞状態の終了から次の特賞状態が開始されるまでのインターバルが経過したか否か等）を判別するため、本実施形態では「３秒」に相当する値「７５０」がセットされる。
【０５４５】
また、判定値Ｋ２は、一回の特賞状態（特賞状態終了後の上記所定時間を含む）で可変入賞装置３２へ入球した遊技球の数が適正であるか否かを判定するための値である。なお、判定値Ｋ２は、「長開放」又は「短開放」といった開放種別（一回の開閉動作に係る開閉部材の動作態様）ごとに予め定められている。例えば「長開放」であれば判定値Ｋ２として「１３」、「短開放」であれば判定値Ｋ２として「３」が設定される。なお、開放種別と判定値Ｋ２との対応関係を定めた判定値記憶手段としての判定値判定テーブル（図５４参照）はＲＯＭ５０２に記憶されており、かかる設定処理を行う際に参酌される。
【０５４６】
その後、ステップＵ１２０７に進み、開放数カウンタのカウンタ値が「０」であるか否か、すなわち特賞状態（「長開放」又は「短開放」）の実行回数が規定回数の１０回に達したか否かを判別する。
【０５４７】
ステップＵ１２０７で肯定判別された場合には、ステップＵ１２０８においてＪＵＢフラグがオンであるか否かを判別することで、当該可変入賞装置制御処理が「ＪＵＢ大当たり」に対応したものであるか否かを判別する。
【０５４８】
ステップＵ１２０８で肯定判別された場合には、ステップＵ１２０９において設定変更処理を行い、本処理を終了する。
【０５４９】
ステップＵ１２０９の設定変更処理では、１回の特賞状態に係る規定個数Ｋ１を「短開放」に対応する「１」から「長開放」に対応する「１０」に変更する。また、開放数カウンタの値を「９」に設定する。これにより、「ＪＵＢ大当たり」の場合には、上述したように、１ラウンド目に最大で１０回の「短開放」が行われ、２ラウンド目〜１０ラウンド目にそれぞれ「長開放」が行われることとなる。
【０５５０】
一方、ステップＵ１２０８で否定判別された場合には、ステップＵ１２１０において開放終了設定処理を行い、本処理を終了する。
【０５５１】
ステップＵ１２１０の終了設定処理では、第１可変フラグをオフするとともに、当たり終了フラグをオンする。
【０５５２】
ステップＵ１２０７で否定判別された場合、すなわち特賞状態（「長開放」又は「短開放」）の実行回数が規定回数に達していない場合には、ステップＵ１２１１において、特賞送り処理を行い、本処理を終了する。
【０５５３】
ステップＵ１２１１の特賞送り処理では、開放数カウンタの値を１減算すると共に、第１可変フラグをオフにする。これにより、特賞状態の実行回数が最大で上記規定回数に達するまで上記開閉処理が繰り返し行われることとなる。
【０５５４】
さて、上記ステップＵ１２０３にて否定判別された場合、すなわち特賞状態終了後の所定時間内（当たり終了後の所定時間内、又は、特賞状態間のインターバル中）である場合には、ステップＵ１２１２に進み、第１可変タイマの値が「０」であるか否かを判別する。
【０５５５】
ステップＵ１２１２にて肯定判別された場合、すなわち特賞状態の終了から所定時間が経過し、次の過程（次の特賞状態の開始、又は、通常遊技の開始）へ移行するタイミングに至った場合には、ステップＵ１２１３へ移行する。一方、ステップＵ１２１２にて否定判別された場合には、そのまま本処理を終了する。
【０５５６】
ステップＵ１２１３では、入賞カウンタＶｘの値が判定値Ｋ２以上であるか否か、すなわち１回の特賞状態でカウントスイッチ２２３により検出された遊技球の球数が異常個数（「１３個」又は「３個」）に達したか否かを判別する。ステップＵ１２１３に係る処理機能が本実施形態における異常判定手段を構成する。
【０５５７】
ステップＵ１２１３にて肯定判別された場合には、ステップＵ１２１４にて異常報知設定処理を行った後、そのまま本処理を終了する。一方、ステップＵ１２１３にて否定判別された場合には、ステップＵ１２１５へ移行する。
【０５５８】
ステップＵ１２１４の異常報知設定処理では、異常有り（入球エラー）を報知するための設定処理（報知処理）が行われる。例えば、本実施形態では、エラー表示ランプ１０４を点滅させるためのコマンドをサブ制御装置２６２へ出力するための設定や、遊技ホールのホールコンピュータへエラー信号を出力するための設定などが行なわれる。これに基づき、上述した通常処理の外部出力処理において、サブ制御装置２６２に対し当該コマンドが出力され、サブ制御装置２６２によってエラー表示ランプ１０４の点滅制御が行われる。このエラー表示ランプ１０４や、入球エラー信号を出力する外部中継端子板２４０などが本実施形態における報知手段を構成する。
【０５５９】
ステップＵ１２１５では、上記当たり終了フラグを参酌して、大当たり状態又は小当たり状態を終了するか否かを判別する。
【０５６０】
ステップＵ１２１５で肯定判別された場合には、ステップＵ１２１６において当たり終了設定処理を行った後、本処理を終了する。
【０５６１】
一方、ステップＵ１２１５で否定判別された場合には、ステップＵ１２１７において特賞状態開始処理を行った後、本処理を終了する。
【０５６２】
ステップＵ１２１６の当たり終了設定処理では、大当たり中フラグ又は小当たり中フラグをオフするとともに、高確率状態フラグの設定処理、時間短縮状態フラグの設定処理、高入球状態フラグの設定処理、変動回数カウンタの設定処理、モード切換コマンドの設定処理などが行われる。
【０５６３】
高確率状態フラグとは、遊技モードが高確率状態か否かを判別するための状態判別情報であり、前記高確率状態フラグの設定処理では、上述した「確変フラグ」、「通常フラグ」、「突確フラグ」及び「ＪＵＢフラグ」に基づいて、高確率状態フラグの切換設定が行われる。これにより、大当たり終了後に確変モードが設定される場合（「確変フラグ」、「突確フラグ」、又は「ＪＵＢフラグ」がオン）には、高確率状態の発生を示す「１」がフラグ値として設定され、「時間短縮モード」が設定される場合（「通常フラグ」がオン）には、低確率状態の発生を示す「０」がフラグ値として設定される。
【０５６４】
時間短縮状態フラグとは、遊技モードが時間短縮状態か否かを判別するための状態判別情報であり、前記時間短縮状態フラグの設定処理では、上述した「確変フラグ」、「通常フラグ」、「突確フラグ」及び「ＪＵＢフラグ」に基づいて、時間短縮状態フラグの切換設定が行われる。これにより、大当たり終了後に時間短縮状態が設定される場合（「確変フラグ」、「通常フラグ」、「突確フラグ」又は「ＪＵＢフラグ」がオン）には、時間短縮状態を発生させる旨を示す「１」がフラグ値として設定される。
【０５６５】
高入球状態フラグとは、遊技モードが高入球状態か否かを判別するための状態判別情報であり、前記高入球状態フラグの設定処理では、上述した「確変フラグ」、「通常フラグ」、「突確フラグ」及び「ＪＵＢフラグ」に基づいて、高入球状態フラグの切換設定が行われる。これにより、大当たり終了後に高入球状態が設定される場合（「確変フラグ」、「通常フラグ」、「突確フラグ」又は「ＪＵＢフラグ」がオン）には、高入球状態を発生させる旨を示す「１」がフラグ値として設定される。
【０５６６】
本実施形態における主制御装置２６１によるモード判別は、上述した高確率状態フラグ、時間短縮状態フラグ及び高入球状態フラグのオンオフ状況の組合わせにより行われる。例えば、高確率状態フラグ、時間短縮状態フラグ及び高入球状態フラグが全てオン状態（フラグ値「１」）であれば、「確変モード」と判別される。また、高確率状態フラグ、時間短縮状態フラグ及び高入球状態フラグが全てオフ状態（フラグ値「０」）であれば、「通常モード」と判別される。また、高確率状態フラグのみがオフで、時間短縮状態フラグ及び高入球状態フラグがオンであれば、「時間短縮モード」と判別される。
【０５６７】
変動回数カウンタとは、上述したように時間短縮状態の継続期間（変動表示何回分か）を計測するための手段であり、前記変動回数カウンタの設定処理では、上記高確率状態フラグの設定処理と同様に「確変フラグ」等に基づいて、変動回数カウンタの切換設定が行われる。これにより、時間短縮モードが設定される場合（通常大当たり）には、変動回数カウンタの値として変動表示１００回分に相当する「１００」が設定される。
【０５６８】
尚、「確変フラグ」、「通常フラグ」、「突確フラグ」、「ＪＵＢフラグ」に関しては、上記高確率状態フラグの設定処理等の後、オフされる。
【０５６９】
モード切換コマンドとは、遊技モード（「通常モード」、「確変モード」又は「時間短縮モード」）の切換えをサブ制御装置２６２に対し指示するためのコマンドである。当該コマンドには、上記モード判別により把握された新たな遊技モードに係るモード情報が含まれる。後述するように、これを受信したサブ制御装置２６２は、自身の把握している遊技モードを新たな遊技モードに切換える。また、モード切換コマンドを省略し、これに代えて、例えば大当たり状態の終了を告げるエンディングコマンド等にモード情報が含まれる構成としてもよい。
【０５７０】
ステップＵ１２１７の特賞状態開始処理では、第１可変フラグをオンにするとともに、第１可変タイマに対し上記開放種別に応じた開放時間（「７５００」又は「１００」）を設定し、さらに入賞カウンタＶｘの値を「０」にリセットする。
【０５７１】
尚、第１可変フラグのオンオフ状況に基づき、次回の通常処理の外部出力処理において、可変入賞装置３２に対し各種制御信号が出力される。第１可変フラグがオンの場合には可変入賞装置３２に対し大入賞口を開放する旨の制御信号が出力され、可変入賞装置３２が開状態となる。一方、第１可変フラグがオフの場合には可変入賞装置３２に対し大入賞口を閉鎖する旨の制御信号が出力され、可変入賞装置３２が閉状態となる。
【０５７２】
次に、前記ステップＵ２０７の第２表示制御処理について図４９のフローチャートを参照して説明する。
【０５７３】
図４９において、ステップＵ２１０１では、普通図柄表示装置４１にて変動表示中であるか否かを示す第２表示中フラグの設定状況を見て普通図柄表示装置４１による切換表示（変動表示）中であるか否かを判別する。詳しくは、第２表示中フラグがオンである場合には普通図柄表示装置４１において変動表示中であるとみなされ、第２表示中フラグがオフである場合には、普通図柄表示装置４１において変動表示が停止した状態にあたる停止表示中であるとみなされる。
【０５７４】
ステップＵ２１０１で否定判別された場合には、ステップＵ２１０２に進み、普通保留カウンタＮｃの値が０よりも大きいか否かを判別する。このとき、普通保留カウンタＮｃの値が０である場合には、そのまま本処理を終了する。
【０５７５】
また、変動表示中でなく且つ普通保留カウンタＮｃの値＞０であれば、ステップＵ２１０３に進む。ステップＵ２１０３では、普通保留カウンタＮｃから１を減算する。ステップＵ２１０４では、普通変動保留エリアに格納されたデータをシフトさせる処理を実行する。このデータシフト処理は、普通変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。
【０５７６】
その後、ステップＵ２１０５では、開始設定処理を実行する。この処理では、普通図柄表示装置４１において切換表示（変動表示）を行う条件が成立したことを示す処理を行う。詳しくは、第２表示中フラグをオンにするとともに、第２表示タイマの設定処理が行われる。第２表示タイマとは、普通図柄表示装置４１にて行われる変動表示の変動時間（残余時間）を計測する手段であり、変動表示開始から所定時間が経過したか否かを判別する際に参酌される。本実施形態では、「通常モード」においては、普通図柄表示装置４１にて行われる変動表示の変動時間は２秒であるため、第２表示タイマには「５００」が設定される。また、「確変モード」及び「時間短縮モード」においては、第２表示タイマに「１００」が設定される。当該開始設定処理における設定に基づき、次回の通常処理の外部出力処理において、普通図柄表示装置４１に対し切換表示（変動表示）を開始する旨の制御信号が出力された場合には、普通図柄表示装置４１において切換表示が開始される。上述したように普通図柄表示装置４１は、普通図柄として「○」又は「×」を点灯表示するように構成されており、表示されているのが「○」であれば「×」、「×」であれば「○」へ切換え表示する。そして、ステップＵ２１０５の終了後、第２表示制御処理を終了する。
【０５７７】
さて、ステップＵ２１０１で肯定判別された場合、すなわち普通図柄表示装置４１にて変動表示中である場合には、ステップＵ２１０６に進み、第２表示タイマ減算処理を行う。この処理が１回行われる毎に第２表示タイマのカウント値が１減算される。
【０５７８】
続いてステップＵ２１０７に進み、第２表示タイマのカウント値が「０」であるか否か、すなわち、変動時間が経過したか否かを判別する。ステップＵ２１０７で肯定判別された場合には、ステップＵ２１０８において第２表示中フラグをオフし、ステップＵ２１０９において普通図柄表示装置４１にて停止表示を行うための普通図柄停止表示設定を行う。そして、この普通図柄停止表示設定の設定内容に基づき、次回の通常処理における外部出力処理において、普通図柄表示装置４１に対し停止表示を行う旨の制御信号が出力される。すなわち、当選である場合には「○」図柄（当選図柄）を停止表示（例えば数秒間だけ点灯）させ、外れである場合には「×」図柄を停止表示させる。
【０５７９】
なお、上述したように、普通変動保留エリアの実行エリアに格納されている普通図柄乱数カウンタＣ４の値に基づいて当選か否かが判別される。具体的には、普通図柄乱数カウンタＣ４の数値０〜２５０のうち「５〜１５３」が当たり値である。
【０５８０】
続いてステップＵ２１１０に進み、普通図柄判別情報設定処理を行い、本処理を終了する。この処理において、停止表示が当選に対応する場合には、始動入賞ユニット３３の開閉処理を行うための設定処理を行う。具体的には、第２可変フラグをオンにして、第２可変タイマに開放時間を設定する。
【０５８１】
第２可変フラグとは、始動入賞ユニット３３（開閉部材３３ｃ）が開状態中であるか否かを判別するための判別情報である。
【０５８２】
第２可変タイマとは、始動入賞ユニット３３の開放時間（残余時間）を計測する手段であり、開放開始から規定時間が経過したか否かを判別する際に参酌される。尚、本実施形態では、高入球状態（「確変モード」及び「時間短縮モード」）と低入球状態（「通常モード」）とで始動入賞ユニット３３の開放時間が異なり、高入球状態においては、第２可変タイマに対して「１０００」が設定され、低入球状態においては、第２可変タイマに対して「１００」が設定される。
【０５８３】
一方、ステップＵ２１０７で否定判別された場合には、ステップＵ２１１１において、普通図柄表示装置４１の切替表示（変動表示）を継続して行うための切替表示設定を行い、本処理を終了する。そして、この切替表示設定の設定内容に基づき、次回の通常処理における外部出力処理において、普通図柄表示装置４１に対し切替表示を行う旨の制御信号が出力される。具体的には、現在の点灯が「○」であれば「×」、「×」であれば「○」へ切換え表示する。これによって、第２表示制御処理のタイミング、すなわち４ｍｓ毎に普通図柄表示装置４１の切換表示（変動表示）が実現される。
【０５８４】
次に上記ステップＵ２０８の契機対応ユニット制御処理について図５０のフローチャートを参照して説明する。
【０５８５】
まず、ステップＵ２２０１において始動入賞ユニット３３（開閉部材３３ｃ）が開状態であるか否かを示す第２可変フラグがオンであるか否かを判別する。ここで、第２可変フラグがオンではない（始動入賞ユニット３３が閉状態である）と判別された場合、そのまま本処理を終了する。
【０５８６】
一方、上記ステップＵ２２０１において肯定判別された場合、すなわち第２可変フラグがオンである場合は始動入賞ユニット３３が開状態であるとみなし、ステップＵ２２０２において第２可変タイマ減算処理を行う。この処理が１回行われる毎に第２可変タイマの値が１ずつ減算されていく。
【０５８７】
続いてステップＵ２２０３に進み、上記減算後の第２可変タイマの値を参酌して、規定された開放時間が経過したか否かを判別する。ここでは、規定された開放時間を経過した時、すなわち第２可変タイマの値が「０」となった時にステップＵ２２０３が肯定判別される。ここで否定判別された場合には、そのまま本処理を終了する。
【０５８８】
一方、ステップＵ２２０３で肯定判別された場合にはステップＵ２２０４へ移行し、ステップＵ２２０４にて終了設定処理を行ってから、本処理を終了する。ステップＵ２２０４の終了設定処理では、第２可変フラグをオフする処理が行われる。
【０５８９】
尚、第２可変フラグのオンオフ状況に基づき、次回の通常処理の外部出力処理において、始動入賞ユニット３３に対し各種制御信号が出力される。第２可変フラグがオンの場合には始動入賞ユニット３３に対し開閉部材３３ｃを開放する旨の制御信号が出力され、始動入賞ユニット３３が開状態となる。一方、第２可変フラグがオフの場合には始動入賞ユニット３３に対し開閉部材３３ｃを閉鎖する旨の制御信号が出力され、始動入賞ユニット３３が閉状態となる（開閉部材３３ｃが閉状態とされ、下入賞口３３ｂへの遊技球の入球が不可能となる）。
【０５９０】
次に、サブ制御装置２６２の通常処理ついて図５１を参照しつつ説明する。先ずステップＵ３９０１では、入出力ポート５５４のコマンド入力に対応するポートを確認し、主制御装置２６１から送信されたコマンドが受信されているか否かを判別する。
【０５９１】
コマンドが受信されている場合には、ステップＵ３９０２においてそのコマンドをＲＡＭ５５３のコマンドバッファへ記憶する。ＲＡＭ５５３のコマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０５９２】
続くステップＵ３９０３では、コマンド判定処理を行う。ここでは、まず受信したコマンドをＲＡＭ５５３のコマンドバッファから読み出す。続いて、当該コマンドが初期化コマンド、復帰コマンド、変動パターンコマンド又はモード切換コマンドのいずれであるかが判別される。
【０５９３】
ここで、主制御装置２６１から送信されたコマンドが初期化コマンドであれば、電源投入時に主制御装置２６１からＲＡＭ５５３の初期化が指示されていることになるので、ＲＡＭ５５３をクリアし、ＲＡＭ５５３の初期値を設定する。これにより、ＲＡＭ５５３のモード情報格納エリアには、初期設定である「通常モード」に対応するモード情報（例えば「ＦＦ」）が記憶される。
【０５９４】
また、主制御装置２６１から送信されたコマンドが復帰コマンドであれば、主制御装置２６１が電源遮断前の状態に復帰するので、バックアップ機能を持たないサブ制御装置２６２は、当該復帰コマンドに含まれるモード情報（例えば「確変モード」に対応するモード情報「ＦＤ」）を読み出し、ＲＡＭ５５３のモード情報格納エリアに記憶する。
【０５９５】
さらに、主制御装置２６１から送信されたコマンドが変動パターンコマンドであれば、当該変動パターンコマンドに含まれるモード情報（例えば「確変モード」に対応するモード情報「ＦＤ」）を読み出すとともに、当該モード情報と、ＲＡＭ５５３のモード情報格納エリアに格納されたモード情報とを比較する。ここで変動パターンコマンドに含まれるモード情報（例えば「確変モード」に対応するモード情報「ＦＤ」）と、ＲＡＭ５５３のモード情報格納エリアに記憶されたモード情報（例えば「通常モード」に対応するモード情報「ＦＦ」）とを比較し、両モード情報が異なっていれば、モードエラー報知に係る設定処理を行う。
【０５９６】
また、主制御装置２６１から送信されたコマンドがモード切換コマンドであれば、主制御装置２６１において遊技モードが切換わるタイミングであるので、当該モード切換コマンドに含まれるモード情報（例えば「確変モード」に対応するモード情報「ＦＤ」）を読み出し、ＲＡＭ５５３のモード情報格納エリアに記憶する。
【０５９７】
図５１の説明に戻り、ステップＵ３９０３の後又はステップＵ３９０１で否定判別された場合には、ステップＵ３９０４へと移行し、次の通常処理の実行タイミングに至ったか否か、すなわち前回の通常処理の開始から所定時間（本例では１ｍｓｅｃ）が経過したか否かを判別する。そして、既に所定時間が経過していればステップＵ３９０５へ移行し、一方、前回の通常処理の開始から未だに所定時間が経過していなければ、ステップＵ３９１２へと移行する。
【０５９８】
ステップＵ３９０５では、各種カウンタの更新処理を実行する。サブ制御装置２６２のＣＰＵ５５１は、上記第１実施形態と同様、装飾図柄の表示に際し各種カウンタ情報を用いる。但し、本実施形態においては、「突確大当たり」又は「ＪＵＢ大当たり」の場合に停止表示されるチャンス図柄は、装飾図柄の組合わせが１パターン（「３」・「４」・「１」）であるため、装飾図柄の表示に際しカウンタ情報を用いる必要はない。
【０５９９】
図５１の説明に戻り、ステップＵ３９０７では表示設定処理を行う。当該処理では、ＲＡＭ５５３のコマンドバッファに格納された情報に基づき、表示制御装置４５へ出力する表示コマンドを生成する等の各種の演算処理及びコマンドの出力設定を行う。より詳しくは、サブ制御装置２６２は、装飾図柄の変動種別と変動パターンコマンドとを対応付けるテーブルに基づいて、装飾図柄表示装置４２において表示する表示態様を決定し、変動パターンコマンドの変動時間に対応する値を変動時間タイマに設定する。
【０６００】
また、ステップＵ３９０７の表示設定処理では、図柄コマンドに基づいて停止図柄の決定もあわせて行う。なお、上述したことであるが、図柄コマンドに「Ａ１」が設定されている場合、１，３，５，７，９のゾロ目のいずれかの図柄の組合わせを停止図柄として決定する。一方、図柄コマンドに「Ａ２」が設定されている場合、０，２，４，６，８のゾロ目のいずれかの図柄の組合わせを停止図柄として決定する。また、図柄コマンドに「Ａ３」が設定されている場合、ＲＡＭ５５３の前後外れリーチ図柄バッファに格納されている図柄の組合わせを停止図柄として決定する。図柄コマンドに「Ａ４」が設定されている場合、前後外れ以外リーチ図柄バッファに格納されている図柄の組合わせを停止図柄として決定する。図柄コマンドに「Ａ５」が設定されている場合、完全外れ図柄バッファに格納されている図柄の組合わせを停止図柄として決定する。図柄コマンドに「Ａ６」が設定されている場合、装飾図柄表示装置４２の上・中・下図柄表示領域に対応して「３」・「４」・「１」の図柄の組合わせを停止図柄として決定する。
【０６０１】
さらに、ステップＵ３９０７の表示設定処理では、モード切換設定処理をあわせて行う。当該モード切換設定処理は、装飾図柄表示装置４２の表示態様を遊技モードの種別に応じた態様で行うための処理を表示制御装置４５に実行させるための表示コマンドを設定するための処理である。
【０６０２】
装飾図柄表示装置４２における表示態様は、上記モード情報格納エリアに記憶されたモード情報に基づき、遊技モードに応じて背景画像の色調等が適宜切換えられる。具体的には、「通常モード」時には、背景画像が、複数色を使用した色鮮やかなフルカラー配色態様となっている。また、「確変モード」時には、背景画像が赤みがかった第１のモノトーン配色態様となり、「時間短縮モード」時には、背景画像が緑がかった第２のモノトーン配色態様となる。
【０６０３】
ステップＵ３９０８のランプ設定処理では、装飾図柄表示装置４２で行われる表示演出に同期させるべく、ランプ・電飾類の点灯パターンを設定する。
【０６０４】
ステップＵ３９０９の音声設定処理では、装飾図柄表示装置４２で行われる表示演出に同期させるべく、スピーカ２４の出力パターンを設定する。また、エラー発生の報知等、音声に関するコマンドが主制御装置２６１から送信されてきた場合には、これらの制御を行うための設定もステップＵ３９０９で行われる。
【０６０５】
ステップＵ３９１０では、客待ち演出（例えば装飾図柄表示装置４２の変動表示が行われていない状態で所定時間が経過すると表示されるように設定されているデモ画面表示）の制御設定等その他の処理を行う。
【０６０６】
ステップ３９１１では、上記ステップＵ３９０５〜３９１０の設定内容に基づいた制御信号を各装置に送信する外部出力処理を実行する。例えば、装飾図柄表示装置４２による装飾図柄の変動表示に際して表示コマンドを表示制御装置４５に送信する。
【０６０７】
１ｍｓｅｃ毎に行われるステップＵ３９０５〜Ｕ３９１１の処理が実行された後、又は、上記ステップＵ３９０４で否定判別された場合には、ステップＵ３９１２に移行し、ＲＡＭ５５３に電源断の発生情報が記憶されているか否かを判別する。尚、電源断の発生情報は、主制御装置２６１から電源断コマンドを受信した場合に記憶される。
【０６０８】
電源断の発生情報が記憶されていない場合には、ステップＵ３９１３に進み、ＲＡＭ５５３が破壊されているか否かが判別される。ここでＲＡＭ５５３が破壊されていなければ、ステップＵ３９０１の処理へ戻り、繰り返し通常処理が実行される。一方、ＲＡＭ５５３が破壊されていれば、以降の処理の実行を停止させるために、処理を無限ループする。
【０６０９】
一方、ステップＵ３９１２で電源断の発生情報が記憶されると判別された場合、ステップＵ３９１４において電源断処理を実行する。電源断処理では、割り込み処理の発生を禁止すると共に、各出力ポートをオフする。また、電源断の発生情報の記憶も消去する。電源断処理の実行後は、処理を無限ループする。
【０６１０】
以上詳述したように、本実施形態によれば、１回の特賞状態中（特賞状態終了後の所定時間を含む）に可変入賞装置３２へ入賞した遊技球（カウントスイッチ２２３により検出された遊技球）の球数が適正範囲を超えた場合には異常報知を行う構成となっている。これにより、電波検知センサを備えることなく、可変入賞装置３２に対する電波ゴト等の不正行為を早期発見ひいては抑制することができる。
【０６１１】
特に本実施形態では、入球数の異常判定用の判定値Ｋ２が開放種別（「長開放」又は「短開放」）ごとに定められている。これにより、例えば大当たりや小当たり等といった多様な当たり種別ごとに異常判定用の判定値を記憶しておく構成に比べ、データ記憶数の増加を抑制しつつも、多様な当たり種別に対応することができる。また、大当たりや小当たり等の特別遊技状態の終了を待つことなく、特賞状態が終了するごとに異常判定を行うことができ、不正行為を早期発見ひいては抑制を図ることができる。
【０６１２】
さらに、本実施形態では、開閉部材３２ａが開状態から閉状態となった後、当該閉状態中（例えばインターバル中など）に計数された値を含み、異常判定を行う構成となっている。開閉部材３２ａの開状態中にいくら上記「発明が解決しようとする課題」で述べたような「電波ゴト」等を行おうとしてもカウントスイッチ２２３によって検出される球数が規定個数に達した場合には、開閉部材３２ａの開閉動作が適正に終了してしまう。つまり、可変入賞装置３２に対し上記電波ゴトが行われるケースとしては、開閉部材３２ａが閉状態となっている間に行われる可能性が高い。また、開閉部材３２ａが開状態から閉状態となった後の所定時間内（インターバル中など）は、開閉部材３２ａが閉じる間際に可変入賞装置３２へ適正に入球したが未だカウントスイッチ２２３により検出されていない遊技球（残存球）の検出を待つ必要があるため、カウントスイッチ２２３による検出処理を停止することができない。従って、本実施形態によれば、可変入賞装置３２に対し行われ易い電波ゴト等の不正行為をより確実に検出することができる。
【０６１３】
なお、上述した実施形態の記載内容に限定されず、例えば次のように実施してもよい。
【０６１４】
（ａ）上記各実施形態では、入賞口スイッチ２２１等の各種入球検出スイッチとして、貫通型の近接スイッチを採用している。入球検出スイッチのタイプはこれに限定されるものではない。例えばフォトスイッチなど他の非接触式スイッチや、マイクロスイッチなどの接触式スイッチなどを採用してもよい。例えば入球検出スイッチに対し針金等を挿し込み、当該入球検出スイッチをオンオフさせることにより、「電波ゴト」等と同様に、実際に遊技球を入球手段へ入球させることなく、遊技球が入球したと入球検出スイッチに誤検知させる不正行為も行われ得るため、電波に影響を受けにくい入球検出スイッチに対しても本願発明は奏効する。
【０６１５】
（ｂ）上記各実施形態では、遊技球が入賞口スイッチ２２１等の通過孔を通過してない通常時には、入賞口スイッチ２２１等からは＋１２Ｖのハイレベル信号（Ｈ）が出力され、主制御装置２６１側では反転回路２２９を経てＣＰＵ５０１に基準電位０Ｖのローレベル信号（Ｌ）が入力される。一方、一般入賞口３１等へ遊技球が入球して、遊技球が入賞口スイッチ２２１等の通過孔を通過している最中には、入賞口スイッチ２２１等からローレベル信号（Ｌ）が出力され、主制御装置２６１側では反転回路２２９を経てＣＰＵ５０１にハイレベル信号（Ｈ）が入力される。
【０６１６】
このような構成に限らず、例えば、反転回路２２９を省略して、入賞口スイッチ２２１等から出力された信号がそのままＣＰＵ５０１に入力される構成としてもよい。
【０６１７】
また、遊技球が通過してない通常時には、入賞口スイッチ２２１等からローレベル信号（Ｌ）が出力され、遊技球が通過孔を通過している最中には、入賞口スイッチ２２１等からハイレベル信号（Ｈ）が出力される構成としてもよい。
【０６１８】
（ｃ）上記各実施形態では、入球判定処理を行うに際して、信号レベルバッファに記憶された最近の過去３回分のデータのうちの最先のデータの論理反転処理を行うとともに、当該論理反転されたデータ及び残り２回分のデータすべての論理積を算出し、この演算結果に基づき判定処理を行う。これに限らず、信号レベルバッファに記憶された少なくとも２回分のデータを基に同様の処理を行う構成としてもよい。また、最先のデータの論理反転処理を省略して、単に複数回分のデータの論理積を算出する構成としてもよい。
【０６１９】
（ｄ）上記第１実施形態では、上記「第１の電波ゴト」を検出するにあたって、検出開始時の間隔が３６ｍｓｅｃ以下となるような異常が検出された回数を計数し、その回数が５０回以上となった場合にのみエラー報知する構成となっている。エラー報知を行う条件回数は、５０回に限定されるものではなく、異なる値にしてもよい。また、異常計数カウンタを省略し、異常判定により異常有りと判定される毎にエラー報知する構成としてもよい。
【０６２０】
また、上記第２実施形態では、１回の特賞状態中に可変入賞装置３２へ入賞した遊技球の球数が適正範囲を超えたと１回でも異常判定されると、エラー報知を行う構成となっているが、これに限らず、例えば異常有りと判定された回数を記憶可能な異常回数記憶手段としての異常計数カウンタを備え、大当たり終了後、その値が所定値以上となっている場合にはホールコンピュータへ入球エラー信号を出力する構成等としてもよい。
【０６２１】
（ｅ）経過時間計測手段は上記第１実施形態における異常監視タイマＣＴに限定されるものではなく、他の構成を採用してもよい。例えば、上記「第１の電波ゴト」を検出するためのタイマと、上記「第２の電波ゴト」を検出するためのタイマとを別々に備えた構成としてもよい。また、異常監視タイマＣＴに代えて、例えばスイッチ読込み処理の２ｍｓｅｃ周期ごとに所定のカウンタに１カウントずつ加算していき、その値が５００に達した場合に１秒経過と把握する構成としてもよい。
【０６２２】
（ｆ）上記各実施形態では、異常を検出した際の処理として、エラー報知を行う構成となっているが、これに代えて又は加えて、例えば入球有り判定をキャンセルする処理や、遊技球の払出制御を中止する処理、保留データを消去する処理、遊技球の発射を停止する処理などを行う構成としてもよい。
【０６２３】
（ｇ）上記各実施形態とは異なるタイプのパチンコ機として実施してもよい。また、パチンコ機以外にも、アレンジボール機、雀球等の各種遊技機として実施することも可能である。
【０６２４】
（ｈ）上記各実施形態では、電波ゴトに係る異常報知として、エラー表示ランプ１０４を発光させると共に、外部中継端子板２４０から遊技ホールのホールコンピュータへ入球エラー信号を出力する構成となっている。報知手段はこれらに限定されるものではなく、例えばスピーカＳＰ等の音声発生手段や、装飾図柄表示装置４２等の各種表示手段などを採用してもよい。
【０６２５】
（ｉ）上記第２実施形態では、上入賞口３３ａに遊技球が入球した場合と、下入賞口３３ｂに入球した場合とで、大当たり種別の振り分けが異なるよう構成されているが、同じにしてもよし、逆にしてもよい。
【０６２６】
また、大当たり種別の内容は上記第２実施形態に限定されるものではなく、例えば大当たり終了後に、後述する潜伏確変モードが付与されるような大当たり（潜伏確変大当たり）を付与する構成としてもよい。
【０６２７】
（ｊ）上記第２実施形態では、遊技モードとして、「通常モード」、「確変モード」及び「時間短縮モード」が設定可能な構成となっている。これに限らず、他のモードが設定される構成としてもよい。例えば、高確率モードが付与されている状態を遊技者が認識しにくい状態、すなわち潜伏状態となる「潜伏確変モード」が付与される構成としてもよい。
【０６２８】
ここで「潜伏確変モード」とは、大当たり終了後の大当たり確率が上記「確変モード」と同様、「通常モード」時に比べアップした状態（例えば１／３０）をいう。また、「潜伏確変モード」は、上記「確変モード」と同様、次回の大当たり状態が発生するまで継続するようにしてもよい。但し、「潜伏確変モード」においては、単に大当たり確率が高められるだけで、他は表面上、「通常モード」の場合と何ら変わりない。つまり、上記「確変モード」とは異なり、特別表示装置４３Ｌ、４３Ｒにおける変動表示時間の短い時間短縮状態にもならず、始動入賞ユニット３３（下入賞口３３ｂ）に対して遊技球が頻繁に入球する高入球状態ともならない。つまり、「潜伏確変モード」は、時間短縮状態及び高入球状態が付加されていない高確率モードに相当する。従って、上記第２実施形態の下では、高確率状態フラグのみがオンで、時間短縮状態フラグ及び高入球状態フラグがオフであれば、「潜伏確変モード」と判別できる。
【０６２９】
（ｋ）上記第２実施形態では、入球数の異常判定用の判定値Ｋ２が開閉部材３２ａの開放種別（「長開放」又は「短開放」）ごとに定められている。これに限らず、例えば異常判定用の判定値を当たり種別ごと（又は各ラウンドごと）に記憶し、複数回の特賞状態中に入賞した遊技球の球数を当たり終了時（又は各ラウンド終了時）に判定する構成としてもよい。
【０６３０】
また、上記第２実施形態では、１回の特賞状態が終了するごとに入球数の異常判定を行う構成となっているが、これに限らず、所定回数の特賞状態が終了するごとに入球数の異常判定を行う構成としてもよい。かかる場合において、例えば特賞状態の開放種別（例えば「長開放」）に対応する判定値Ｋ（例えば「１３個」）と、所定の当たり状態中（又は各ラウンド中）に実行された特賞状態の実行回数とを乗算して得られた判定値（例えば「１３個」×「１０回」）を基に、当該当たり状態の終了時（又は各ラウンドの終了時）に入球数の異常判定を行う構成としてもよい。
【０６３１】
また、上記第２実施形態では、各種当たり状態において、可変入賞装置３２の開閉部材３２ａが閉状態から開状態へ切換えられた後、規定時間が経過すること又は規定個数の遊技球が入賞することを条件に閉状態となるまでの一開閉動作を１回の特賞状態として、これが複数回（複数ラウンド）繰り返し行われるといったように、開閉部材３２ａの一開閉動作（一回の特賞状態）ごとに、可変入賞装置３２への最大入球予定数である規定個数Ｋ１が設定されている。これに限らず、例えば「ＪＵＢ大当たり」の１ラウンド目のように、１ラウンド中に開閉部材３２ａの開閉動作が複数回行われる構成等においては、当該ラウンドごとに規定個数が設定される構成としてもよい。換言すれば、可変入賞装置３２への最大入球予定数である規定個数が設定される所定回数の特賞状態を１ラウンドととらえることができる。同様に、「突確大当たり」や「小当たり」のように、「短開放」を１回の特賞状態とするものにおいては、複数回（例えば１０回）の特賞状態を１ラウンドとしてとらえてもよい。
【０６３２】
以下、上記構成下における上記ステップＵ２０６の可変入賞装置制御処理（図４８参照）の別例について図５５のフローチャートを参照して説明する。なお、上記実施形態と同様の構成部分については、その詳細な説明を省略する。
【０６３３】
まずステップＨ１２０１において大当たり中フラグ又は小当たり中フラグがオンであるか否かを判別する。ここで否定判別された場合には、本処理をそのまま終了する。
【０６３４】
ステップＨ１２０１で肯定判別された場合には、続くステップＨ１２０２において、上記第１可変タイマのカウント値を１減算する。
【０６３５】
続くステップＨ１２０３では、第１可変フラグがオンであるか否かを判別する。ここで肯定判別された場合、すなわち可変入賞装置３２が開状態である場合には、ステップＨ１２０４へ移行する。
【０６３６】
ステップＨ１２０４では、入賞カウンタＶｘの値が規定個数Ｋ３以上であるか否かを判別する。規定個数Ｋ３には、上記判別情報設定処理（ステップＵ８１６）等において、１ラウンド分の最大入球予定数が設定される。例えば「確変大当たり」又は「通常大当たり」であれば「１０個」が設定される。また、「ＪＵＢ大当たり」の１ラウンド目、「突確大当たり」又は「小当たり」であれば、「５個」が設定される。
【０６３７】
ステップＨ１２０４で否定判別された場合には、ステップＨ１２０５に進み、第１可変タイマのカウント値が「０」であるか否か、すなわち開閉部材３２ａの１開閉動作（「長開放」又は「短開放」）あたりの開放時間（規定時間「３０秒」又は「０．４秒」）が残されているか否かを判別する。
【０６３８】
ステップＨ１２０５にて否定判別された場合、すなわち可変入賞装置３２を閉状態とするタイミング（特賞状態終了のタイミング）が未だ到来していない場合には、そのまま本処理を終了する。
【０６３９】
一方、ステップＨ１２０５にて肯定判別された場合には、ステップＨ１２０６へ移行する。
【０６４０】
また、ステップＨ１２０４で肯定判別された場合には、ステップＨ１２２０へ移行し、長開放フラグがオンであるか否かを判別する。なお、長開放フラグとは、開閉部材３２ａの開閉動作態様が「長開放」であるか否かを判別するためのフラグであり、オンの場合には「長開放」である旨を示し、オフである場合には「短開放」である旨を示す。長開放フラグは、上記判別情報設定処理（ステップＵ８１６）等、開閉部材３２ａの開閉動作態様の設定が行われる際に適宜、オンオフ設定される。
【０６４１】
ステップＨ１２２０にて肯定判別された場合には、ステップＨ１２０６へ移行し、否定判別された場合には、ステップＨ１２０８へ移行する。
【０６４２】
ステップＨ１２０６では、第１可変タイマ及び判定値Ｋ２の設定処理を行う。
【０６４３】
ここで、第１可変タイマには、特賞状態の終了から所定時間が経過したか否か（例えば大当たりや小当たりの終了から所定時間が経過したか否か、所定の特賞状態の終了から次の特賞状態が開始されるまでのインターバルが経過したか否か等）を判別するため、本実施形態では「３秒」に相当する値「７５０」がセットされる。
【０６４４】
また、判定値Ｋ２は、一回の特賞状態（特賞状態終了後の上記所定時間を含む）で可変入賞装置３２へ入球した遊技球の数が適正であるか否かを判定するための値である。なお、判定値Ｋ２は、「長開放」又は「短開放」といった開放種別（一回の開閉動作に係る開閉部材の動作態様）ごとに予め定められている。例えば「長開放」であれば判定値Ｋ２として「１３」、「短開放」であれば判定値Ｋ２として「３」が設定される。なお、開放種別と判定値Ｋ２との対応関係を定めた判定値記憶手段としての判定値判定テーブル（図５４参照）はＲＯＭ５０２に記憶されており、かかる設定処理を行う際に参酌される。
【０６４５】
その後、ステップＨ１２０７に進み、開放数カウンタのカウンタ値が「０」であるか否か、すなわち特賞状態（「長開放」又は「短開放」）の実行回数が規定回数の１０回に達したか否かを判別する。
【０６４６】
ステップＨ１２０７で肯定判別された場合には、ステップＨ１２０８においてＪＵＢフラグがオンであるか否かを判別することで、当該可変入賞装置制御処理が「ＪＵＢ大当たり」に対応したものであるか否かを判別する。
【０６４７】
ステップＨ１２０８で肯定判別された場合には、ステップＨ１２０９において設定変更処理を行い、本処理を終了する。
【０６４８】
ステップＨ１２０９の設定変更処理では、規定個数Ｋ３を１０回の「短開放」に対応する「５」から、１回の「長開放」に対応する「１０」に変更する。また、開放数カウンタの値を「９」に設定する。さらに、長開放フラグをオンにする。これにより、「ＪＵＢ大当たり」の場合には、上述したように、１ラウンド目に最大で１０回の「短開放」が行われ、２ラウンド目〜１０ラウンド目にそれぞれ「長開放」が行われることとなる。
【０６４９】
一方、ステップＨ１２０８で否定判別された場合には、ステップＨ１２１０において開放終了設定処理を行い、本処理を終了する。
【０６５０】
ステップＨ１２１０の終了設定処理では、第１可変フラグをオフするとともに、当たり終了フラグをオンする。
【０６５１】
ステップＨ１２０７で否定判別された場合、すなわち特賞状態（「長開放」又は「短開放」）の実行回数が規定回数に達していない場合には、ステップＨ１２１１において、特賞送り処理を行い、本処理を終了する。
【０６５２】
ステップＨ１２１１の特賞送り処理では、開放数カウンタの値を１減算すると共に、第１可変フラグをオフにする。これにより、特賞状態の実行回数が最大で上記規定回数に達するまで上記開閉処理が繰り返し行われることとなる。
【０６５３】
さて、上記ステップＨ１２０３にて否定判別された場合、すなわち特賞状態終了後の所定時間内（当たり終了後の所定時間内、又は、特賞状態間のインターバル中）である場合には、ステップＨ１２１２に進み、第１可変タイマの値が「０」であるか否かを判別する。
【０６５４】
ステップＨ１２１２にて肯定判別された場合、すなわち特賞状態の終了から所定時間が経過し、次の過程（次の特賞状態の開始、又は、通常遊技の開始）へ移行するタイミングに至った場合には、ステップＨ１２１３へ移行する。一方、ステップＨ１２１２にて否定判別された場合には、そのまま本処理を終了する。
【０６５５】
ステップＨ１２１３では、入賞カウンタＶｘの値が判定値Ｋ２以上であるか否か、すなわち１回の特賞状態でカウントスイッチ２２３により検出された遊技球の球数が異常個数（「１３個」又は「３個」）に達したか否かを判別する。
【０６５６】
ステップＨ１２１３にて肯定判別された場合には、ステップＨ１２１４にて異常報知設定処理を行った後、そのまま本処理を終了する。一方、ステップＨ１２１３にて否定判別された場合には、ステップＨ１２１５へ移行する。
【０６５７】
ステップＨ１２１４の異常報知設定処理では、異常有り（入球エラー）を報知するための設定処理（報知処理）が行われる。
【０６５８】
ステップＨ１２１５では、上記当たり終了フラグを参酌して、大当たり状態又は小当たり状態を終了するか否かを判別する。
【０６５９】
ステップＨ１２１５で肯定判別された場合には、ステップＨ１２１６において当たり終了設定処理を行った後、本処理を終了する。
【０６６０】
一方、ステップＨ１２１５で否定判別された場合には、ステップＨ１２１７において特賞状態開始処理を行った後、本処理を終了する。
【０６６１】
ステップＨ１２１６の当たり終了設定処理では、大当たり中フラグ又は小当たり中フラグをオフするとともに、高確率状態フラグの設定処理、時間短縮状態フラグの設定処理、高入球状態フラグの設定処理、変動回数カウンタの設定処理、モード切換コマンドの設定処理などが行われる。
【０６６２】
ステップＨ１２１７の特賞状態開始処理では、第１可変フラグをオンにするとともに、第１可変タイマに対し上記開放種別に応じた開放時間（「７５００」又は「１００」）を設定し、さらに入賞カウンタＶｘの値を「０」にリセットする。
【０６６３】
上記構成によれば、１ラウンドあたりの可変入賞装置３２への最大入球予定数である規定個数Ｋ３については、ラウンド単位で監視するのに対し、カウントスイッチ２２３により検出される入球数の異常値（判定値Ｋ２）については、１回の特賞状態ごとに監視している。このため、「ＪＵＢ大当たり」の１ラウンド目、「突確大当たり」又は「小当たり」の場合においては、カウントスイッチ２２３により検出される入球数が規定個数Ｋ３に達する前段階、すなわち１ラウンドが終了する前段階において、異常（入球エラー）を検出することが可能となる。結果として、不正行為を早期発見することができる。
【０６６４】
勿論、可変入賞装置３２への最大入球予定数である規定個数を大当たり単位で設定した構成においても、カウントスイッチ２２３により検出される入球数の異常値（判定値Ｋ２）については、１回の特賞状態ごと（又はラウンドごと）に監視するようにすれば、同様の作用効果が得られる。
【０６６５】
（ｌ）開閉部材３２ａの開放種別は上記第２実施形態の「長開放」及び「短開放」の２種類に限定さるものではない。例えば「長開放」よりも開放時間が短く、「短開放」よりも開放時間の長い「中開放」を備えるなど、３種類以上の開放種別を備えた構成としてもよい。また、例えば「ＪＵＢ大当たり」など１回の当たり状態中に、開閉部材３２ａの開閉動作態様が３パターン以上切換わる構成（３種類以上の開放種別が行われる構成）としてもよい。
【０６６６】
また、開閉部材３２ａの動作態様の違いとしても、１回の開閉動作に要する規定時間が異なることのみならず、これに代えて又は加えて、例えば開閉部材３２ａの開放角度が異なる（例えば半開きになる）など、開閉部材３２ａの動き自体が異なる構成としてもよい。
【０６６７】
（ｍ）上記各実施形態に係るスイッチ読み込み処理（図１３、図３９参照）とは異なるスイッチ読み込み処理を実行可能な構成としてもよい。
【０６６８】
例えば、上記第１実施形態では、スイッチ読み込み処理が実行される毎に上記ステップＳ４１３〜Ｓ４１８の一連の処理が常に実行される構成となっているが、処理負担を軽減するため、上記一連の処理が毎回行われない構成としてもよい。
【０６６９】
例えば図５６に示すように、ステップＳ４０７の処理が行われた後、ステップＳ４０７１において異常監視タイマＣＴの値が「０」以上であるか否かを判別する。すなわち、異常監視タイマＣＴによる計測が実行中（異常監視タイマＣＴの値が「０」となった場合を含む）であるか否かを判別する。ここで、肯定判別された場合には、上記ステップＳ４１３〜Ｓ４１８の処理を実行し、本処理を終了する。一方、ステップＳ４０７１において否定判別された場合には、そのまま本処理を終了する。
【０６７０】
（ｎ）上記各実施形態では、特に言及していないが、カウントスイッチ２２３による遊技球の検出が有効となる有効期間を、特賞状態の開始から所定時間内に限定する構成としてもよい。このようにすれば、より一層「電波ゴト」の抑制を図ることができる。
【０６７１】
以下、特許請求の範囲の請求項に記載されないものであって、上記実施形態から把握できる技術的思想について、その効果とともに記載する。
【０６７２】
手段０．遊技球を発射する発射手段と、
発射された遊技球が案内される遊技領域と、
前記遊技領域内に配置された入球手段と、
前記入球手段へ入球した遊技球を検出可能な入球検出手段と、
前記入球検出手段の検出結果に基づき、所定の異常の有無を判定可能な異常判定手段とを備えることにより、
所定の電波検出手段の検出結果を参照することなく（電波検出手段を備えることなく）、所定の電波ゴトに起因した所定の異常を検出可能としたことを特徴とする遊技機。
【０６７３】
上記「発明が解決しようとする課題」で述べたような「電波ゴト」を防止するため、従来では、遊技機に電波検知センサ（電波検出手段）を設ける等の対策が採られている。
【０６７４】
しかしながら、複数の入球手段が配置された遊技領域全体を１つの電波検知センサによりカバーしようとした場合には、検出範囲の広い電波検知センサを用いなければならず、不正電波とは無関係の電波までも検出してしまうおそれがある。逆に、検出範囲の狭い電波検知センサを各入球手段に対応して設けた場合には、部品点数の増大、取付構造の複雑化、電気配線の煩雑化等を招くおそれがある。
【０６７５】
これに対し、上記手段０によれば、電波検知センサ等を備えることなく、入球手段に対する電波ゴト等の不正行為を早期発見ひいては抑制することができる。
【０６７６】
手段１．遊技球を発射する発射手段と、
発射された遊技球が案内される遊技領域と、
前記遊技領域内に配置された入球手段と、
前記入球手段へ入球した遊技球を検出する入球検出手段と、
前記入球検出手段から出力される信号を監視して所定の制御を行う制御手段とを備えた遊技機において、
前記入球検出手段は、遊技球の非検出中は第１レベルの信号（例えばハイレベル信号）を継続して出力し、遊技球の検出中は第２レベルの信号（例えばローレベル信号）を継続して出力し、
前記制御手段は、
前記入球検出手段から入力される信号レベルを定期的に監視する信号監視手段と、
前記入球検出手段から入力される信号レベルの切換わりに基づき、少なくとも前記入球手段へ遊技球が入球した旨を判定可能な入球判定手段と、
前記入球判定手段による入球有り判定時（第１レベルの信号から第２レベルの信号への切換わり検出時）から所定の契機までの経過時間を計測可能な経過時間計測手段と、
前記経過時間計測手段により計測された経過時間に基づき、所定の異常の有無を判定可能な異常判定手段と、
前記異常判定手段による異常判定に基づき、所定の異常があった旨を報知可能な報知手段とを備えたことを特徴とする遊技機。
【０６７７】
上記手段１によれば、入球検出手段から入力される信号レベルを監視して入球判定を行うと共に、所定の入球有り判定時から所定の契機までの経過時間を計測し、その経過時間に基づき異常判定を行うことにより、例えば信号レベルの所定の切換わりポイントが適正な時間間隔よりも早い又は遅いタイミングでやってくるなど、所定の異常を適切に検出することができる。結果として、電波検知センサを備えることなく、電波ゴト等の不正行為を早期発見ひいては抑制することができる。
【０６７８】
さらに、報知手段を備えることにより、入球検出手段に対し不正行為が行われているなど、何らかの異常が発生したことを遊技ホール関係者等が把握することができる。結果的に、不正行為などの早期発見に繋がる。なお、報知手段としては、ランプ等の発光手段、スピーカ等の音声発生手段、表示手段、ホールコンピュータ等の外部装置に対し信号を出力する外部端子基板等の外部出力手段などが挙げられる。
【０６７９】
なお、上記「所定の契機」には、例えば「次の入球有り判定時」や、タイマ等の経過時間計測手段の「所定の最大計測時間への到達時」などが一例に挙げられる。また、「制御手段」により行われる「所定の制御」としては、例えば、遊技球の払出制御、遊技者に有利な特別遊技状態を発生させるか否かの抽選制御、識別情報を変動表示する表示制御などが挙げられる。
【０６８０】
また、本手段によれば、１つの電波検知センサにより複数の入球手段を監視する場合に比べ、各入球手段に応じた適切な処理を行うことも可能となる。例えば特定の入球検出手段に関して異常有りと判定された場合には、当該特定の入球検出手段に関連する処理のみ中止するといったように、他の入球検出手段に関連する処理に大きな影響を与えることなく、特定の入球検出手段を狙った特定の不正行為のみに対応する処置をとることも可能となる。結果として、様々な電波ゴトに対し適切な対応をとることが可能となり、電波ゴトを効率よく抑制することができる。
【０６８１】
手段２．前記経過時間計測手段は、少なくとも所定の入球有り判定時から次の入球有り判定時までの経過時間を計測可能に構成され、
前記異常判定手段は、少なくとも前記経過時間が予め設定された規定時間（第１の規定時間）よりも短い場合に異常有りと判定可能に構成され、
前記異常判定手段により異常有りと判定された回数を記憶可能な異常回数記憶手段を備え、
前記報知手段は、前記異常有りと判定された回数が所定回数以上となった場合において、その旨を報知することを特徴とする手段１に記載の遊技機。
【０６８２】
一般に遊技球が入球手段へ入球して第２レベルの信号が出力された場合には、その出力時間（信号継続期間）は数ｍｓｅｃから遅くとも３０ｍｓｅｃ程度である。また、仮に２つの遊技球が連なるように入球手段へ入球した場合でも、第１に入球した遊技球の検出終了時から第２に入球した遊技球の検出開始時までには、３０ｍｓｅｃ前後の時間を要する。従って、入球手段への入球有りと判定された第１の時点から、次に入球手段への入球有りと判定された第２の時点までに経過した時間が規定時間（例えば４０ｍｓｅｃ）以下となるような極めて短い場合には、上記「発明が解決しようとする課題」で例示した方法による電波ゴトが行われた可能性が高い。
【０６８３】
但し、上述したように２つの遊技球の入球間隔が規定時間以下となるような異常が検出された場合でも、その検出回数が少ない場合（例えば１回だけの場合）には、不正行為ではなく、単にノイズ等による偶発的な不具合である可能性も考えられる。これに対し、このような異常が多数検出された場合には不正行為である可能性が高い。
【０６８４】
また、電波検知センサを用いた場合、電波検知センサにより検出される電波の中には、各種電子機器から発せられる電波ノイズなど、電波ゴトとは無関係なものも多く含まれる。このような電波ノイズ等を検出した場合にまで一様の処理を行っていては、電波ゴトに対する適切な対応策とならないばかりか、電波ゴトとは無関係の遊技者に対し不測の不利益をもたらすおそれもある。
【０６８５】
この点、上記手段２によれば、上記例示した方法による電波ゴトが行われた旨を判別可能となり、当該電波ゴトの抑制を図ることができる。さらに、偶発的な要因を極力排除し、前記電波ゴトの判断精度を高めることができる。結果として、真の不正行為に対しより適切な対応をとることが可能となり、不正行為を効率よく防止することができる。ひいては、むやみに警報を発しないなど、遊技ホールにとっては、遊技者との無用なトラブルを回避し、円滑なホール運営を行うことができる。
【０６８６】
手段３．前記経過時間計測手段は、少なくとも所定の入球有り判定時から当該入球有り判定に係る入球無し判定時（第２レベルの信号から第１レベルの信号への切換わり検出時）までの経過時間（所定の最大計測時間へ到達する場合を含む）を計測可能に構成され、
前記異常判定手段は、少なくとも前記経過時間が予め設定された第２の規定時間よりも長い場合に異常有りと判定可能に構成され、
前記報知手段は、前記異常判定手段により異常有りと判定された場合において、その旨を報知することを特徴とする手段１又は２に記載の遊技機。
【０６８７】
「電波ゴト」には、上述したような実際に入球検出手段を通過する遊技球を検出することに基づき出力されるレベル信号を分断して検出回数を増やす不正行為とは別に、例えば正規の遊技球よりも直径の大きい遊技球（以下、「不正大球」という）を用いる方法も考えられる。かかる場合、まず不正大球を入球手段へ入球させる等して予め球通路内へ入れる。そうすると、当該不正大球は、入球検出手段の通過孔を通過できずに、当該通過孔に引っ掛った状態となる。これにより、入球検出手段は、常時、不正大球を検出したオン状態（第２レベル信号を出力した状態）となる。この状態で、入球検出手段をオフ状態（第１レベル信号を出力した状態）とする不正な電波を適宜発信することにより、オンオフ状態を切換え、遊技球が通過していないにもかかわらず、遊技球が通過したと誤検知させることができる。
【０６８８】
上述したように遊技球が入球検出手段の通過孔を通過するのに要する時間（第２レベル信号の継続出力時間）は、数ｍｓｅｃから遅くとも３０ｍｓｅｃ程度である。つまり、入球手段への入球有りと判定された時点から継続して第２の規定時間（例えば１秒）以上、第２レベル信号が継続して出力されている場合には、上記不正大球による不正行為が行われている可能性が高い。
【０６８９】
この点、上記手段３によれば、上記不正大球を用いた電波ゴトが行われた旨を判別可能となり、当該電波ゴトの抑制を図ることができる。
【０６９０】
なお、前段の実際に入球検出手段を通過する遊技球を検出することに基づき出力されるレベル信号を分断して検出回数を増やす電波ゴトは、実際に遊技球が入球検出手段を通過するタイミングを合わせて、不正な電波を挿し込まなければならず、実行が困難である。これに対し、後段の不正大球を用いる方法は、実行するのが比較的容易であるため、このような不正行為を抑止する手段を設けることは、電波ゴト対策としてより奏効する。
【０６９１】
また、不正大球を用いた不正行為を判定するために必要な第２の規定時間は比較的長いため、当該第２の規定時間に達したか否かを判定するにあたり、仮に信号レベルのレベル情報を定期的に記憶していき、これらレベル情報を基に判定を行う構成を採用した場合には、演算処理にかかる処理負担が極めて大きくなるおそれがある。これに対し、タイマなどを経過時間計測手段として用いれば、処理負担の軽減を図ることができる。
【０６９２】
さらに、手段２の「所定の入球有り判定時から次の入球有り判定時までの経過時間」の計測と、手段３の「所定の入球有り判定時から当該入球有り判定に係る入球無し判定時までの経過時間」の計測を共通の経過時間計測手段により行うことにより、構成の簡素化を図ることができる。経過時間計測手段を共通化する構成としては、以下の手段４等が一例に挙げられる。
【０６９３】
手段４．前記入球判定手段は、前記入球検出手段から入力される信号レベルの切換わり（第２レベルの信号から第１レベルの信号への切換わり）に基づき、遊技球の検出が終了した旨の入球無し判定が可能に構成され、
前記経過時間計測手段は、前記所定の入球有り判定時から次の入球有り判定時までの経過時間の計測中において、前記入球無し判定があった場合には、前記所定の入球有り判定時から前記規定時間（第１の規定時間）が経過するのを待って、前記所定の入球有り判定時から当該入球有り判定に係る入球無し判定時までの経過時間の計測を終了することを特徴とする手段３に記載の遊技機。
【０６９４】
手段５．遊技球を発射する発射手段と、
発射された遊技球が案内される遊技領域と、
前記遊技領域内に配置された始動入球手段と、
前記始動入球手段への遊技球の入球に起因して当落抽選を行う抽選手段と、
開閉動作可能な開閉部材を有し、前記遊技領域を流下する遊技球が入球可能な開状態と、遊技球が入球不能な閉状態とに切換可能な可変入球手段と、
前記可変入球手段へ入球した遊技球を検出可能な入球検出手段と、
前記当落抽選により当選結果が得られた場合において、所定の開閉動作を所定回数実行可能な開閉制御手段と、
前記入球検出手段により検出された遊技球の入球数を計数する入球計数手段と、
前記入球計数手段により計数された入球数が予め定められた判定値以上か否かを判定し、前記判定値以上の場合には異常有りの判定を行う異常判定手段とを備えたことを特徴とする遊技機。
【０６９５】
上記手段５によれば、可変入球手段へ入球した遊技球の入球数を監視（計数）し、当該入球数に基づき異常判定を行うことにより、所定の異常を適切に検出することができる。結果として、電波検知センサを備えることなく、可変入球手段に対する電波ゴト等の不正行為を早期発見ひいては抑制することができる。
【０６９６】
また、本手段によれば、１つの電波検知センサにより複数の入球手段を監視する場合に比べ、可変入球手段に応じた適切な処理を行うことも可能となる。例えば可変入球手段に関して異常有りと判定された場合には、当該可変入球手段に関連する処理のみ中止するといったように、他の入球手段に関連する処理に大きな影響を与えることなく、可変入球手段を狙った特定の不正行為のみに対応する処置をとることも可能となる。結果として、電波ゴトに対しより適切な対応をとることが可能となり、電波ゴトを効率よく抑制することができる。
【０６９７】
「電波ゴト」には、上述したような実際に入球検出手段を通過する遊技球を検出することに基づき出力されるレベル信号を分断して検出回数を増やす不正行為とは別に、例えばハイレベル信号及びローレベル信号のオンオフを自由に操る電波発信機を用いる方法も考えられる。かかる方法によれば、実際に遊技球を入球手段へ入球させることなく、遊技球が入球したと誤検知させることが可能となる。
【０６９８】
前段の実際に遊技球を入球手段へ入球させることに基づき行われる電波ゴトは、実際に遊技球が入球検出手段を通過するタイミングを合わせて、不正な電波を挿し込まなければならず、実行が困難である。これに対し、後段の発信機を用いる方法は、実際に遊技球を入球手段に入球させることなく、実行するのが比較的容易であるため、このような不正行為を抑止可能な手段を設けることは、電波ゴト対策としてより奏効する。
【０６９９】
尚、上記「所定の開閉動作」としては、例えば「前記開閉部材を閉状態から開状態へ切換えた後、規定時間が経過した場合に閉状態とするまでを一回とする開閉動作」や、「前記開閉部材を閉状態から開状態へ切換えた後、規定時間が経過した場合又は規定個数の遊技球が前記入球検出手段により検出された場合に閉状態とするまでを一回とする開閉動作」などが挙げられる。
【０７００】
また、前者の構成において、所定回数（１又は２以上）の開閉動作が行われる間に規定個数の遊技球が前記入球検出手段により検出された場合に閉状態とする構成としてもよい。さらに、当該所定回数の開閉動作を１ラウンドとして、当該ラウンドを所定回数（１又は２以上）実行する構成としてもよい。
【０７０１】
手段６．前記開閉部材の一回の開閉動作に係る当該開閉部材の動作態様を複数種類（複数パターン）有した構成であって、
前記開閉部材の各動作態様に対応して前記判定値を記憶した判定値記憶手段を備えたことを特徴とする手段５に記載の遊技機。
【０７０２】
近年では、当落抽選により所定の当選結果が得られた場合に行われる可変入球手段の開閉制御が多様化してきている。例えば当選結果に応じて、開閉部材の開閉動作の実行回数や開閉動作に要する規定時間などが変化する。また、一連の特別遊技状態（例えば１５ラウンドの大当たり状態）の発生中に開閉部材の開閉動作の動作態様が切換わる（複数の動作態様が行われる）こともある。そのため、例えば開閉部材の開閉動作が所定回数実行される一連の特別遊技状態の種別（当たり種別）ごとに、異常判定用の判定値を記憶しておく構成では、データ記憶数が膨大となるおそれがある。
【０７０３】
この点、本手段６のように、開閉部材の各動作態様に対応して異常判定用の判定値を記憶しておくことにより、データ記憶数の増加を抑制することができる。
【０７０４】
また、大当たりや小当たり等の特別遊技状態や、当該特別遊技状態中に実行される各ラウンドや特賞状態等の終了を待つことなく、開閉部材の開閉動作が終了するごとに異常判定を行うことができ、不正行為を早期発見ひいては抑制を図ることができる。
【０７０５】
なお、開閉部材の動作態様の違いとしては、例えば１回の開閉動作に要する規定時間が異なること等が挙げられる。
【０７０６】
手段７．前記異常判定手段は、前記開閉部材が開状態から閉状態となった後の所定時間内（インターバル中など）において前記入球計数手段により計数された入球数を含み、前記開閉部材が開状態となった後の所定期間内（例えば開閉部材の１回目の開放開始時から２回目の開放開始時までの期間内や、開閉部材の開閉動作が複数回行われる期間内）に計数された入球数が予め定められた判定値以上か否かを判定し、前記判定値以上の場合には異常有りの判定を行うことを特徴とする手段５又は６に記載の遊技機。
【０７０７】
開閉部材の開状態中にいくら上記電波ゴトを行おうとしても入球検出手段によって検出される入球数が規定個数に達した場合には、開閉部材の開閉動作が適正に終了してしまう。つまり、可変入球手段に対し上記不正行為が行われるケースとしては、開閉部材が閉状態となっている間に行われる可能性が高い。また、開閉部材が開状態から閉状態となった後の所定時間内（インターバル中など）は、開閉部材が閉じる間際に可変入球手段へ適正に入球したが未だ入球検出手段により検出されていない遊技球（残存球）の検出を待つ必要があるため、入球検出手段による検出処理を停止することができない。従って、上記手段７の構成がより奏効することとなる。
【０７０８】
これに鑑みれば、「前記異常判定手段が、前記開閉部材が開状態から閉状態となった後の所定時間内（インターバル中など）において前記入球計数手段により計数された入球数が予め定められた判定値以上か否かを判定し、前記判定値以上の場合には異常有りの判定を行う」構成や、「前記入球検出手段による遊技球の検出が有効となる有効期間が設定される構成において、前記異常判定手段が、前記開閉部材が開状態から閉状態となった後の所定時間内でかつ前記入球検出手段の有効期間が経過した後段階において前記入球計数手段により計数された入球数が予め定められた判定値以上か否かを判定し、前記判定値以上の場合には異常有りの判定を行う」構成においても、同様の作用効果が奏されることとなる。
【０７０９】
手段８．前記異常判定手段による異常判定に基づき、所定の異常があった旨を報知可能な報知手段を備えたことを特徴とする手段５乃至７のいずれかに記載の遊技機。
【０７１０】
上記手段８によれば、報知手段を備えることにより、可変入球手段に対し不正行為が行われているなど、何らかの異常が発生したことを遊技ホール関係者等が把握することができる。結果的に、不正行為などの早期発見に繋がる。なお、報知手段としては、ランプ等の発光手段、スピーカ等の音声発生手段、表示手段、ホールコンピュータ等の外部装置に対し信号を出力する外部端子基板等の外部出力手段などが挙げられる。
【０７１１】
手段９．前記異常判定手段により異常有りと判定された回数を記憶可能な異常回数記憶手段を備え、
前記報知手段は、前記異常有りと判定された回数が所定回数以上となった場合において、その旨を報知することを特徴とする手段８に記載の遊技機。
【０７１２】
異常が検出された場合でも、その検出回数が少ない場合（例えば１回だけの場合）には、不正行為ではなく、偶発的な入球である可能性も考えられる。これに対し、このような異常が多数検出された場合には不正行為である可能性が高い。
【０７１３】
また、電波検知センサを用いた場合、電波検知センサにより検出される電波の中には、各種電子機器から発せられる電波ノイズなど、電波ゴトとは無関係なものも多く含まれる。このような電波ノイズ等を検出した場合にまで一様の処理を行っていては、電波ゴトに対する適切な対応策とならないばかりか、電波ゴトとは無関係の遊技者に対し不測の不利益をもたらすおそれもある。
【０７１４】
この点、上記手段９によれば、上記例示した方法による電波ゴトが行われた旨を判別可能となり、当該電波ゴトの抑制を図ることができる。さらに、偶発的な要因を極力排除し、前記電波ゴトの判断精度を高めることができる。結果として、真の不正行為に対しより適切な対応をとることが可能となり、不正行為を効率よく防止することができる。ひいては、むやみに警報を発しないなど、遊技ホールにとっては、遊技者との無用なトラブルを回避し、円滑なホール運営を行うことができる。
【０７１５】
手段１０．前記入球検出手段は、遊技球の通過に伴う磁束の変化に基づき当該遊技球の通過を検出可能なもの（例えば、近接スイッチ）であることを特徴とする手段１乃至９のいずれかに記載の遊技機。
【０７１６】
手段１１．前記遊技機は弾球遊技機（例えば、パチンコ機又はパチンコ機に準ずる遊技機）であることを特徴とする手段１乃至１０のいずれかに記載の遊技機。
【符号の説明】
【０７１７】
１０…パチンコ機、２２１…入賞口スイッチ、２２３…カウントスイッチ、２２４ａ，２２４ｂ…第１契機対応ユニットスイッチ、２２５…第２契機対応口スイッチ、１０４…エラー表示ランプ、２４０…外部中継端子板、２６１…主制御装置、ＣＴ…異常監視タイマ。
【図１】
0006041027.tif 000002
【図２】
0006041027.tif 000003
【図３】
0006041027.tif 000004
【図４】
0006041027.tif 000005
【図５】
0006041027.tif 000006
【図６】
0006041027.tif 000007
【図７】
0006041027.tif 000008
【図８】
0006041027.tif 000009
【図９】
0006041027.tif 000010
【図１０】
0006041027.tif 000011
【図１１】
0006041027.tif 000012
【図１２】
0006041027.tif 000013
【図１３】
0006041027.tif 000014
【図１４】
0006041027.tif 000015
【図１５】
0006041027.tif 000016
【図１６】
0006041027.tif 000017
【図１７】
0006041027.tif 000018
【図１８】
0006041027.tif 000019
【図１９】
0006041027.tif 000020
【図２０】
0006041027.tif 000021
【図２１】
0006041027.tif 000022
【図２２】
0006041027.tif 000023
【図２３】
0006041027.tif 000024
【図２４】
0006041027.tif 000025
【図２５】
0006041027.tif 000026
【図２６】
0006041027.tif 000027
【図２７】
0006041027.tif 000028
【図２８】
0006041027.tif 000029
【図２９】
0006041027.tif 000030
【図３０】
0006041027.tif 000031
【図３１】
0006041027.tif 000032
【図３２】
0006041027.tif 000033
【図３３】
0006041027.tif 000034
【図３４】
0006041027.tif 000035
【図３５】
0006041027.tif 000036
【図３６】
0006041027.tif 000037
【図３７】
0006041027.tif 000038
【図３８】
0006041027.tif 000039
【図３９】
0006041027.tif 000040
【図４０】
0006041027.tif 000041
【図４１】
0006041027.tif 000042
【図４２】
0006041027.tif 000043
【図４３】
0006041027.tif 000044
【図４４】
0006041027.tif 000045
【図４５】
0006041027.tif 000046
【図４６】
0006041027.tif 000047
【図４７】
0006041027.tif 000048
【図４８】
0006041027.tif 000049
【図４９】
0006041027.tif 000050
【図５０】
0006041027.tif 000051
【図５１】
0006041027.tif 000052
【図５２】
0006041027.tif 000053
【図５３】
0006041027.tif 000054
【図５４】
0006041027.tif 000055
【図５５】
0006041027.tif 000056
【図５６】
0006041027.tif 000057